(57)【特許請求の範囲】
【請求項１】
端末がマスタノードからセカンダリノードのシグナリング無線ベアラ（ＳＲＢ）のための設定情報を受信する段階であって、前記ＳＲＢは、前記セカンダリノードと前記端末との間での無線リソース制御（ＲＲＣ）メッセージを保持するのに用いられ、前記セカンダリノード及びマスタノードは、前記端末に対して共同でサービスを提供する、段階と、
前記端末が、前記ＳＲＢのための前記設定情報を用いて前記ＳＲＢを設定する段階と、
前記端末が、前記ＳＲＢを設定した結果を前記セカンダリノードへ送信する段階と、
前記端末が、前記セカンダリノードのダウンリンクＲＲＣメッセージを第１パス上で受信する段階と、
前記端末が、前記セカンダリノードにアップリンクＲＲＣメッセージを第２パス上で送信する段階であって、前記アップリンクＲＲＣメッセージは前記ダウンリンクＲＲＣメッセージに対する応答メッセージであり、前記第１パスが、前記セカンダリノードから前記マスタノードを介して前記端末により前記ダウンリンクＲＲＣメッセージが受信されるパスである場合、前記第２パスは、前記アップリンクＲＲＣメッセージが前記マスタノードを介して前記セカンダリノードに送信されるパスであり、前記第１パスが、直接前記セカンダリノードから前記端末により前記ダウンリンクＲＲＣメッセージが受信されるパスである場合、前記第２パスは、前記アップリンクＲＲＣメッセージが直接前記セカンダリノードに送信されるパスである、段階と
を備える、設定方法。
【請求項２】
前記端末が、前記ＳＲＢを設定した結果を送信する前記段階は、
前記端末が直接前記セカンダリノードへ前記結果を送信する段階、または
前記端末が前記マスタノードを通じて前記セカンダリノードへ前記結果を送信する段階を
有する、請求項１に記載の設定方法。
【請求項３】
前記ＳＲＢのための前記設定情報は、ＳＲＢ識別子、前記ＳＲＢの無線リンク制御（ＲＬＣ）レイヤ設定、論理チャネル設定、およびＳＲＢセキュリティパラメータを含む、請求項１または２に記載の設定方法。
【請求項４】
前記端末が前記セカンダリノードからカウント値を受信し、前記カウント値に基づき鍵を更新する段階をさらに備える、請求項１から３のいずれか一項に記載の設定方法。
【請求項５】
前記端末が前記セカンダリノードからＲＲＣ接続再設定メッセージを受信する段階と、
前記端末が前記ＲＲＣ接続再設定メッセージに対応する再設定の実施に失敗したとき、前記ＲＲＣ接続再設定メッセージの受信前の設定に基づき前記端末が動作する段階と
をさらに備える、請求項１から４のいずれか一項に記載の設定方法。
【請求項６】
前記端末はＲＲＣ接続再確立をトリガしない、請求項５に記載の設定方法。
【請求項７】
前記端末が前記マスタノードへ設定失敗通知を送信する段階をさらに備える、請求項５または６に記載の設定方法。
【請求項８】
前記ダウンリンクＲＲＣメッセージは、ＲＲＣ接続再設定メッセージを有し、前記アップリンクＲＲＣメッセージは、ＲＲＣ接続再設定完了メッセージを有する、請求項１から７のいずれか一項に記載の設定方法。
【請求項９】
端末に適用される設定装置であって、
マスタノードからセカンダリノードのシグナリング無線ベアラ（ＳＲＢ）のための設定情報を受信するよう構成された受信ユニットであって、前記ＳＲＢは、前記セカンダリノードと前記設定装置との間で無線リソース制御（ＲＲＣ）メッセージを伝送するのに用いられ、前記セカンダリノード及びマスタノードは、前記端末に対して共同でサービスを提供する、受信ユニットと、
前記ＳＲＢのための前記設定情報を用いて前記ＳＲＢを設定するよう構成された設定ユニットと、
前記ＳＲＢを設定した結果を前記セカンダリノードへ送信するよう構成された送信ユニットと
を備え、
前記受信ユニットは、前記セカンダリノードのダウンリンクＲＲＣメッセージを第１パス上で受信するようにさらに構成され、
前記送信ユニットは、前記セカンダリノードにアップリンクＲＲＣメッセージを第２パス上で送信するようにさらに構成され、前記アップリンクＲＲＣメッセージは前記ダウンリンクＲＲＣメッセージに対する応答メッセージであり、前記第１パスが、前記セカンダリノードから前記マスタノードを介して前記端末により前記ダウンリンクＲＲＣメッセージが受信されるパスである場合、前記第２パスは、前記アップリンクＲＲＣメッセージが前記マスタノードを介して前記セカンダリノードに送信されるパスであり、前記第１パスが、直接前記セカンダリノードから前記端末により前記ダウンリンクＲＲＣメッセージが受信されるパスである場合、前記第２パスは、前記アップリンクＲＲＣメッセージが直接前記セカンダリノードに送信されるパスである、設定装置。
【請求項１０】
前記送信ユニットは、直接前記セカンダリノードへ前記結果を送信する、または、前記マスタノードを通じて前記セカンダリノードへ前記結果を送信するよう構成されている、請求項９に記載の設定装置。
【請求項１１】
前記ＳＲＢのための前記設定情報は、ＳＲＢ識別子、前記ＳＲＢの無線リンク制御（ＲＬＣ）レイヤ設定、論理チャネル設定、およびＳＲＢセキュリティパラメータを含む、請求項９または１０に記載の設定装置。
【請求項１２】
前記受信ユニットはさらに、前記セカンダリノードからカウント値を受信するよう構成されており、鍵は、前記カウント値に基づき更新される、請求項９から１１のいずれか一項に記載の設定装置。
【請求項１３】
前記受信ユニットはさらに、前記セカンダリノードからＲＲＣ接続再設定メッセージを受信するよう構成されており、
前記設定ユニットはさらに、前記ＲＲＣ接続再設定メッセージに対応する再設定を実施するよう構成されており、
再設定が失敗したとき、前記設定装置は、前記ＲＲＣ接続再設定メッセージの受信前の設定に基づき動作する、請求項９から１２のいずれか一項に記載の設定装置。
【請求項１４】
前記設定ユニットはＲＲＣ接続再確立をトリガしない、請求項１３に記載の設定装置。
【請求項１５】
前記送信ユニットはさらに、前記マスタノードへ設定失敗通知を送信するよう構成されている、請求項１３または１４に記載の設定装置。
【請求項１６】
前記ダウンリンクＲＲＣメッセージは、ＲＲＣ接続再設定メッセージを有し、前記アップリンクＲＲＣメッセージは、ＲＲＣ接続再設定完了メッセージを有する、請求項９から１５のいずれか一項に記載の設定装置。
【請求項１７】
少なくとも１つのプロセッサと、前記少なくとも１つのプロセッサに結合されたメモリとを備え、前記少なくとも１つのプロセッサは、請求項１から８のいずれか一項に記載の設定方法を実施するよう構成されている、設定装置。
【請求項１８】
プロセッサに、請求項１から８のいずれか一項に記載の設定方法を実行させるプログラム。
【請求項１９】
通信システムに適用される設定方法であって、前記通信システムは、端末に対して共同でサービスを提供するマスタノードとセカンダリノードとを含み、
前記セカンダリノードが、シグナリング無線ベアラ（ＳＲＢ）のための設定情報を生成する段階であって、前記ＳＲＢは、前記セカンダリノードと前記端末との間で無線リソース制御（ＲＲＣ）メッセージを伝送するのに用いられる、段階と、
前記セカンダリノードが、前記ＳＲＢのための前記設定情報を前記マスタノードへ送信する段階であって、前記ＳＲＢのための前記設定情報は前記マスタノードを通じて前記端末へ送信される、段階と、
前記ＳＲＢのための前記設定情報を用いて前記端末が前記ＳＲＢを設定した結果を前記セカンダリノードが受信する段階と、
前記セカンダリノードが、第１パス上で前記セカンダリノードのダウンリンクＲＲＣメッセージを前記端末に送信する段階と、
前記セカンダリノードが、前記端末から第２パス上でアップリンクＲＲＣメッセージを受信する段階であって、前記アップリンクＲＲＣメッセージは前記ダウンリンクＲＲＣメッセージに対する応答メッセージであり、前記第１パスが、前記セカンダリノードから前記マスタノードを介して前記端末により前記ダウンリンクＲＲＣメッセージが受信されるパスである場合、前記第２パスは、前記アップリンクＲＲＣメッセージが前記マスタノードを介して前記セカンダリノードに送信されるパスであり、前記第１パスが、直接前記セカンダリノードから前記端末により前記ダウンリンクＲＲＣメッセージが受信されるパスである場合、前記第２パスは、前記アップリンクＲＲＣメッセージが直接前記セカンダリノードに送信されるパスである、段階と
を備える、設定方法。
【請求項２０】
前記セカンダリノードがＳＲＢのための設定情報を生成する前記段階は、前記セカンダリノードが前記マスタノードから追加要求メッセージを受信したときに前記セカンダリノードが前記ＳＲＢのための前記設定情報を生成する段階であって、前記追加要求メッセージは、セカンダリノードを追加するよう要求するのに用いられる、段階を有する、請求項１９に記載の設定方法。
【請求項２１】
前記セカンダリノードが、前記ＳＲＢの設定または確立をトリガする、請求項１９または２０に記載の設定方法。
【請求項２２】
前記ＳＲＢのための前記設定情報は、ＳＲＢ識別子、前記ＳＲＢの無線リンク制御（ＲＬＣ）レイヤ設定、論理チャネル設定、およびＳＲＢセキュリティパラメータのうち少なくとも１つの情報を含む、請求項１９から２１のいずれか一項に記載の設定方法。
【請求項２３】
前記セカンダリノードが前記マスタノードから前記セカンダリノードの前記ＳＲＢのために用いられるセキュリティ情報を受信する段階であって、前記セキュリティ情報は、セキュリティ鍵、およびセキュリティアルゴリズムに関する情報のうち少なくとも１つを含む、段階をさらに備える、請求項１９から２２のいずれか一項に記載の設定方法。
【請求項２４】
前記セカンダリノードが前記マスタノードから測定設定情報を受信する段階であって、前記測定設定情報は、前記セカンダリノードによる前記マスタノードへの測定結果の送信をトリガするための条件を設定するのに用いられる、段階と、
前記マスタノードがモビリティ管理を実施できるように、又は、セカンダリセルグループ管理を実施できるように、前記条件を満たす測定結果を前記セカンダリノードが前記マスタノードへ送信する段階と
をさらに備える、請求項１９から２３のいずれか一項に記載の設定方法。
【請求項２５】
前記セカンダリノードが前記マスタノードへ前記ＳＲＢのための前記設定情報を送信する前記段階は、前記セカンダリノードが前記マスタノードへＲＲＣコンテナとして前記ＳＲＢのための前記設定情報を送信する段階を有する、請求項１９から２４のいずれか一項に記載の設定方法。
【請求項２６】
前記コンテナは、前記セカンダリノードが前記マスタノードへ送信する肯定応答メッセージ内に保持され、前記肯定応答メッセージは、セカンダリノードを追加するよう要求するのに用いられる追加要求メッセージに対する応答メッセージである、請求項２５に記載の設定方法。
【請求項２７】
前記セカンダリノードが前記端末へＲＲＣ接続再設定メッセージを送信する段階と、
前記ＲＲＣ接続再設定メッセージの設定が失敗したとき、前記セカンダリノードが前記マスタノードから設定失敗通知を受信する段階と
をさらに備える、請求項１９から２６のいずれか一項に記載の設定方法。
【請求項２８】
通信システムにおけるセカンダリノードに適用される設定装置であって、前記通信システムは、端末に対して共同でサービスを提供するマスタノードと前記セカンダリノードとを含み、前記設定装置は、第１の通信ユニットと第２の通信ユニットとを備え、前記第１の通信ユニットは、前記セカンダリノードと前記マスタノードとの間の通信を制御するよう構成され、前記第２の通信ユニットは、前記セカンダリノードと前記端末との間の通信を制御するよう構成され、
前記設定装置は、シグナリング無線ベアラ（ＳＲＢ）のための設定情報を生成するよう構成された生成ユニットであって、前記ＳＲＢは、前記セカンダリノードと前記端末との間で無線リソース制御（ＲＲＣ）メッセージを伝送するのに用いられる、生成ユニットをさらに備え、
前記第１の通信ユニットは、前記ＳＲＢのための前記設定情報を前記マスタノードへ送信するよう構成され、前記ＳＲＢのための前記設定情報は前記マスタノードを通じて前記端末へ送信され、
前記第１の通信ユニットまたは前記第２の通信ユニットは、前記ＳＲＢのための前記設定情報を用いて前記端末が前記ＳＲＢを設定した結果を受信するよう構成され、
前記第２の通信ユニットは、第１パス上で前記セカンダリノードのダウンリンクＲＲＣメッセージを前記端末に送信し、前記端末から第２パス上でアップリンクＲＲＣメッセージを受信するようにさらに構成され、
前記アップリンクＲＲＣメッセージは前記ダウンリンクＲＲＣメッセージに対する応答メッセージであり、前記第１パスが、前記セカンダリノードから前記マスタノードを介して前記端末により前記ダウンリンクＲＲＣメッセージが受信されるパスである場合、前記第２パスは、前記アップリンクＲＲＣメッセージが前記マスタノードを介して前記セカンダリノードに送信されるパスであり、前記第１パスが、直接前記セカンダリノードから前記端末により前記ダウンリンクＲＲＣメッセージが受信されるパスである場合、前記第２パスは、前記アップリンクＲＲＣメッセージが直接前記セカンダリノードに送信されるパスである、設定装置。
【請求項２９】
前記第１の通信ユニットはさらに、前記マスタノードから追加要求メッセージを受信するよう構成されており、前記追加要求メッセージは、セカンダリノードを追加するよう要求するのに用いられ、
前記生成ユニットは、前記第１の通信ユニットが前記追加要求メッセージを受信したときに前記ＳＲＢのための前記設定情報を生成するよう構成されている、請求項２８に記載の設定装置。
【請求項３０】
前記ＳＲＢの設定または確立をトリガするよう構成されたユニットをさらに備える、請求項２８または２９に記載の設定装置。
【請求項３１】
前記ＳＲＢのための前記設定情報は、ＳＲＢ識別子、前記ＳＲＢの無線リンク制御（ＲＬＣ）レイヤ設定、論理チャネル設定、およびＳＲＢセキュリティパラメータのうち少なくとも１つの情報を含む、請求項２８から３０のいずれか一項に記載の設定装置。
【請求項３２】
前記第１の通信ユニットはさらに、前記マスタノードから前記セカンダリノードの前記ＳＲＢのために用いられるセキュリティ情報を受信するよう構成されており、前記セキュリティ情報は、セキュリティ鍵、およびセキュリティアルゴリズムに関する情報のうち少なくとも１つを含む、請求項２８から３１のいずれか一項に記載の設定装置。
【請求項３３】
前記第１の通信ユニットはさらに、前記マスタノードから測定設定情報を受信するよう構成されており、前記測定設定情報は、前記セカンダリノードによる前記マスタノードへの測定結果の送信をトリガするための条件を設定するのに用いられ、
前記第１の通信ユニットはさらに、前記マスタノードがモビリティ管理を実施できるように、又は、セカンダリセルグループ管理を実施できるように、前記条件を満たす測定結果を前記マスタノードへ送信するよう構成されている、請求項２８から３２のいずれか一項に記載の設定装置。
【請求項３４】
前記第１の通信ユニットは、ＲＲＣコンテナとして前記マスタノードへ前記ＳＲＢのための前記設定情報を送信する、請求項２８から３３のいずれか一項に記載の設定装置。
【請求項３５】
前記コンテナは、前記第１の通信ユニットが前記マスタノードへ送信する肯定応答メッセージ内に保持され、前記肯定応答メッセージは、セカンダリノードを追加するよう要求するのに用いられる追加要求メッセージに対する応答メッセージである、請求項３４に記載の設定装置。
【請求項３６】
前記第２の通信ユニットはさらに、前記端末へＲＲＣ接続再設定メッセージを送信するよう構成されており、
前記第１の通信ユニットはさらに、前記ＲＲＣ接続再設定メッセージの設定が失敗したとき、前記マスタノードから設定失敗通知を受信するよう構成されている、請求項２８から３５のいずれか一項に記載の設定装置。
【請求項３７】
通信システムに適用される設定方法であって、前記通信システムは、端末に対して共同でサービスを提供するマスタノードとセカンダリノードとを含み、
前記マスタノードが前記セカンダリノードからシグナリング無線ベアラ（ＳＲＢ）のための設定情報を受信する段階であって、前記ＳＲＢは、前記セカンダリノードと前記端末との間で無線リソース制御（ＲＲＣ）メッセージを伝送するのに用いられる、段階と、
前記マスタノードが前記端末へ前記ＳＲＢのための前記設定情報を送信する段階と、
前記ＳＲＢのための前記設定情報を用いて前記端末が前記ＳＲＢを設定した結果を前記マスタノードが受信する段階と、
前記マスタノードが前記セカンダリノードへ前記結果を送信する段階と、
前記マスタノードが、第１パス上で前記セカンダリノードのダウンリンクＲＲＣメッセージを前記端末に送信する段階と、
前記マスタノードが、第２パス上で、前記端末から受信したアップリンクＲＲＣメッセージを前記セカンダリノードに送信する段階であって、前記アップリンクＲＲＣメッセージは前記ダウンリンクＲＲＣメッセージに対する応答メッセージであり、前記第１パスが、前記セカンダリノードから前記マスタノードを介して前記端末により前記ダウンリンクＲＲＣメッセージが受信されるパスである場合、前記第２パスは、前記アップリンクＲＲＣメッセージが前記マスタノードを介して前記セカンダリノードに送信されるパスであり、前記第１パスが、直接前記セカンダリノードから前記端末により前記ダウンリンクＲＲＣメッセージが受信されるパスであり、かつ、前記第２パスが、前記アップリンクＲＲＣメッセージが直接前記セカンダリノードに送信されるパスである場合、前記ダウンリンクＲＲＣメッセージ及び前記アップリンクＲＲＣメッセージは、前記端末と前記セカンダリノードとの間で直接伝送される、段階と
を備える、設定方法。
【請求項３８】
前記マスタノードが前記セカンダリノードへインジケーション情報を送信する段階であって、前記インジケーション情報は、前記ＳＲＢを確立するよう前記セカンダリノードに指示するのに用いられる、または、前記ＳＲＢのための前記設定情報を生成するよう前記セカンダリノードに指示するのに用いられる、段階、または、
前記マスタノードが前記セカンダリノードへ追加要求メッセージを送信する段階であって、前記追加要求メッセージは、セカンダリノードを追加するよう要求するのに用いられ、前記セカンダリノードの前記ＳＲＢのための前記設定情報は、前記セカンダリノードが追加されるよう要求されるとき前記セカンダリノードが生成する、段階
をさらに備える、請求項３７に記載の設定方法。
【請求項３９】
前記ＳＲＢのための前記設定情報は、ＳＲＢ識別子、前記ＳＲＢの無線リンク制御（ＲＬＣ）レイヤ設定、論理チャネル設定、およびＳＲＢセキュリティパラメータのうち少なくとも１つの情報を含む、請求項３７または３８に記載の設定方法。
【請求項４０】
前記マスタノードが前記セカンダリノードへ前記セカンダリノードの前記ＳＲＢのために用いられるセキュリティ情報を送信する段階であって、前記セキュリティ情報は、セキュリティ鍵、およびセキュリティアルゴリズムに関する情報のうち少なくとも１つを含む、段階をさらに備える、請求項３７から３９のいずれか一項に記載の設定方法。
【請求項４１】
前記セカンダリノードへ測定設定情報を送信する段階であって、前記測定設定情報は、前記セカンダリノードによる前記マスタノードへの測定結果の送信をトリガするための条件を設定するのに用いられる、段階と、
モビリティ管理を実施する、又は、セカンダリセルグループ管理を実施するために、前記条件を満たす測定結果を前記セカンダリノードから受信する段階と
をさらに備える、請求項３７から４０のいずれか一項に記載の設定方法。
【請求項４２】
前記ＳＲＢのための前記設定情報はＲＲＣコンテナであり、前記マスタノードが前記端末へ前記ＳＲＢのための前記設定情報を送信する前記段階は、前記マスタノードが前記端末へ前記ＲＲＣコンテナをパースすることなく前記ＲＲＣコンテナを転送する段階を有する、請求項３７から４１のいずれか一項に記載の設定方法。
【請求項４３】
前記セカンダリノードが送信したＲＲＣ接続再設定メッセージの設定の実施に前記端末が失敗したとき、前記マスタノードが前記端末から設定失敗通知を受信する段階と、
前記設定が失敗したことを前記マスタノードが前記セカンダリノードに通知する段階と
をさらに備える、請求項３７から４２のいずれか一項に記載の設定方法。
【請求項４４】
通信システムにおけるマスタノードに適用される設定装置であって、前記通信システムは、端末に対して共同でサービスを提供する前記マスタノードとセカンダリノードとを含み、
前記セカンダリノードからシグナリング無線ベアラ（ＳＲＢ）のための設定情報を受信するよう構成された第１の受信ユニットであって、前記ＳＲＢは、前記セカンダリノードと前記端末との間で無線リソース制御（ＲＲＣ）メッセージを伝送するのに用いられる、第１の受信ユニットと、
前記端末へ前記ＳＲＢのための前記設定情報を送信するよう構成された第２の送信ユニットと、
前記ＳＲＢのための前記設定情報を用いて前記端末が前記ＳＲＢを設定した結果を受信するよう構成された第２の受信ユニットと、
さらに、前記セカンダリノードへ前記結果を送信するよう構成された第１の送信ユニットと
を備え、
前記第２の送信ユニットが、第１パス上で前記セカンダリノードのダウンリンクＲＲＣメッセージを前記端末に送信するようにさらに構成され、
前記第１の送信ユニットは、第２パス上で、前記端末から受信したアップリンクＲＲＣメッセージを前記セカンダリノードに送信するようにさらに構成され、前記アップリンクＲＲＣメッセージは前記ダウンリンクＲＲＣメッセージに対する応答メッセージであり、前記第１パスが、前記セカンダリノードから前記マスタノードを介して前記端末により前記ダウンリンクＲＲＣメッセージが受信されるパスである場合、前記第２パスは、前記アップリンクＲＲＣメッセージが前記マスタノードを介して前記セカンダリノードに送信されるパスであり、前記第１パスが、直接前記セカンダリノードから前記端末により前記ダウンリンクＲＲＣメッセージが受信されるパスであり、かつ、前記第２パスが、前記アップリンクＲＲＣメッセージが直接前記セカンダリノードに送信されるパスである場合、前記ダウンリンクＲＲＣメッセージ及び前記アップリンクＲＲＣメッセージは、前記端末と前記セカンダリノードとの間で直接伝送される、設定装置。
【請求項４５】
前記第１の送信ユニットはさらに、
前記セカンダリノードへインジケーション情報を送信することであって、前記インジケーション情報は、前記ＳＲＢを確立するよう前記セカンダリノードに指示するのに用いられる、または、前記ＳＲＢのための前記設定情報を生成するよう前記セカンダリノードに指示するのに用いられる、こと、または、
前記セカンダリノードへ追加要求メッセージを送信することであって、前記追加要求メッセージは、セカンダリノードを追加するよう要求するのに用いられ、前記セカンダリノードの前記ＳＲＢのための前記設定情報は、前記セカンダリノードが追加されるよう要求されるとき前記セカンダリノードが生成する、こと
を行うよう構成されている、請求項４４に記載の設定装置。
【請求項４６】
前記ＳＲＢのための前記設定情報は、ＳＲＢ識別子、前記ＳＲＢの無線リンク制御（ＲＬＣ）レイヤ設定、論理チャネル設定、およびＳＲＢセキュリティパラメータのうち少なくとも１つの情報を含む、請求項４４または４５に記載の設定装置。
【請求項４７】
前記第１の送信ユニットはさらに、前記セカンダリノードへ前記セカンダリノードの前記ＳＲＢのために用いられるセキュリティ情報を送信するよう構成されており、前記セキュリティ情報は、セキュリティ鍵、およびセキュリティアルゴリズムに関する情報のうち少なくとも１つを含む、請求項４４から４６のいずれか一項に記載の設定装置。
【請求項４８】
前記第１の送信ユニットはさらに、前記セカンダリノードへ測定設定情報を送信するよう構成されており、前記測定設定情報は、前記セカンダリノードによる前記マスタノードへの測定結果の送信をトリガするための条件を設定するのに用いられ、
前記第１の送信ユニットはさらに、モビリティ管理を実施する、又は、セカンダリセルグループ管理を実施するために、前記条件を満たす測定結果を前記セカンダリノードから受信するよう構成されている、請求項４４から４７のいずれか一項に記載の設定装置。
【請求項４９】
前記ＳＲＢのための前記設定情報はＲＲＣコンテナであり、前記第２の送信ユニットは、前記ＲＲＣコンテナをパースすることなく前記端末へ前記ＲＲＣコンテナを転送する、請求項４４から４８のいずれか一項に記載の設定装置。
【請求項５０】
前記セカンダリノードが送信したＲＲＣ接続再設定メッセージの設定の実施に前記端末が失敗したとき、
前記第２の受信ユニットはさらに、前記端末から設定失敗通知を受信するよう構成されており、
前記第１の送信ユニットは、前記設定が失敗したことを前記セカンダリノードに通知するよう構成されている、請求項４４から４９のいずれか一項に記載の設定装置。
【請求項５１】
少なくとも１つのプロセッサと、前記少なくとも１つのプロセッサに結合されたメモリとを備え、前記少なくとも１つのプロセッサは、請求項１９から２７のいずれか一項、または請求項３７から４３のいずれか一項に記載の設定方法を実施するよう構成されている、設定装置。
【請求項５２】
プロセッサに、請求項１９から２７のいずれか一項または請求項３７から４３のいずれか一項に記載の設定方法を実行させるプログラム。
【請求項５３】
端末に対して共同でサービスを提供するマスタノードとセカンダリノードとを備える通信システムであって、
前記マスタノードは、請求項３７から４３のいずれか一項に記載の設定方法を実施するように構成され、前記セカンダリノードは、請求項１９から２７のいずれか一項に記載の設定方法を実施するように構成される、通信システム。
【発明の詳細な説明】
【技術分野】
【０００１】
本願は、２０１７年３月２３日に中国国家知識産権局に提出された、発明の名称が「設定方法および装置、並びにシステム」である中国特許出願第２０１７１０１７９７５３．７に基づく優先権を主張する。同特許出願はその全体が参照により本明細書に組み込まれる。
【０００２】
本願は通信技術の分野に関し、特に設定方法および装置、並びにシステムに関する。
【背景技術】
【０００３】
無線通信システムにおいて、１つのセルまたは基地局（またはノードと呼ばれる）の帯域幅リソースおよびカバレッジが限定されていることを鑑み、より良好にキャパシティおよびカバレッジの要件を満たすべく１より多くのセルまたは基地局の無線リソースを用いて端末に対してサービスが提供されてよい。
【０００４】
１より多くの基地局の無線リソースを用いて端末に対してサービスが提供されるとき、基地局間の伝送の遅延がスケジューリングの要件を満たせない可能性がある。それゆえ、デュアルコネクティビティ（Ｄｕａｌ  Ｃｏｎｎｅｃｔｉｖｉｔｙ，ＤＣ）技術が提案され、マスタ基地局とセカンダリ基地局との間の非理想的バックホール（ｎｏｎ−ｉｄｅａｌ  ｂａｃｋｈａｕｌ）のシナリオにおいて比較的良好な実用性を有している。
【０００５】
現在のデュアルコネクティビティシステムにおいて、シグナリング無線ベアラ（ｓｉｇｎａｌｉｎｇ  ｒａｄｉｏ  ｂｅａｒｅｒ，ＳＲＢ）をマスタ基地局が提供し、セカンダリ基地局はＳＲＢを提供せず、端末の無線リソース制御（Ｒａｄｉｏ  Ｒｅｓｏｕｒｃｅ  Ｃｏｎｔｒｏｌ，ＲＲＣ）メッセージ全てをマスタ基地局が処理する。このことはＲＲＣメッセージ処理効率の向上のために有益ではない。
【発明の概要】
【０００６】
本願の実施形態は、セカンダリノード上でＳＲＢを確立して、セカンダリノードと端末間でダイレクトＲＲＣメッセージ伝送を実装することを期待して設定方法および装置、並びにシステムを提供する。このことはＲＲＣメッセージ処理効率の向上のために有益である。
【０００７】
ある態様によると、通信システムに適用される設定方法が提供される。通信システムは、端末に対して共同でサービスを提供するマスタノードとセカンダリノードとを含む。方法は、セカンダリノードが、シグナリング無線ベアラ（ＳＲＢ）のための設定情報を生成し、ＳＲＢのための設定情報がマスタノードを通じて端末へ送信されるよう、ＳＲＢのための設定情報をマスタノードへ送信する段階と、ＳＲＢのための設定情報を用いて端末がＳＲＢを設定した結果をセカンダリノードが受信する段階とを含む。ＳＲＢは、セカンダリノードと端末との間で無線リソース制御（ＲＲＣ）メッセージを伝送するのに用いられる。
【０００８】
別の態様によれば、通信システムに適用される設定方法が提供される。通信システムは、端末に対して共同でサービスを提供するマスタノードとセカンダリノードとを含む。方法は、端末がマスタノードからセカンダリノードのＳＲＢのための設定情報を受信する段階と、端末が、ＳＲＢのための設定情報を用いてＳＲＢを設定する段階と、ＳＲＢを設定した結果を送信する段階とを含む。ＳＲＢは、セカンダリノードと端末との間でＲＲＣメッセージを伝送するのに用いられる。
【０００９】
さらに別の態様によれば、通信システムに適用される設定方法が提供される。通信システムは、端末に対して共同でサービスを提供するマスタノードとセカンダリノードとを含む。方法は、マスタノードがセカンダリノードからＳＲＢのための設定情報を受信し、端末へＳＲＢのための設定情報を送信する段階と、ＳＲＢのための設定情報を用いて端末がＳＲＢを設定した結果をマスタノードが受信し、セカンダリノードへ設定結果を送信する段階とを含む。ＳＲＢは、セカンダリノードと端末との間でＲＲＣメッセージを伝送するのに用いられる。
【００１０】
先述の態様において、ＳＲＢのための設定情報は、ＳＲＢ設定情報またはダイレクトセカンダリノードＲＲＣ（ｄｉｒｅｃｔ  Ｓ−ＲＲＣ）設定情報と呼ばれてもよい。ＳＲＢのための設定情報（ＳＲＢ設定情報またはダイレクトＳ−ＲＲＣ設定情報）は、セカンダリノードと端末との間で直接ＲＲＣメッセージを伝送するためにＳＲＢを設定するのに用いられる。つまり、ＳＲＢのための設定情報（ＳＲＢ設定情報またはダイレクトＳ−ＲＲＣ設定情報）は、ＲＲＣメッセージが直接端末とセカンダリノードとの間で伝送されるよう、端末が設定情報に基づきＳＲＢを設定するのに用いる。加えて、設定結果は、ダイレクトＳ−ＲＲＣ設定結果またはセカンダリノードＲＲＣ設定結果と呼ばれてもよい。
【００１１】
分かるのは、先述の態様において、セカンダリノードと端末との間でＲＲＣメッセージを伝送するのに用いられるＳＲＢのための設定情報は、マスタノードを通じて端末へ送信されてよく、端末がセカンダリノードのＳＲＢを設定した後、端末は直接、またはマスタノードを通じてセカンダリノードへ設定結果を送信する、ということである。このように、ＲＲＣメッセージを、直接セカンダリノードと端末との間で伝送出来、このことは、ＲＲＣメッセージ処理効率の向上のために有益である。
【００１２】
ある実装において、端末は直接セカンダリノードへ設定結果を送信し、つまり、端末は、設定されたＳＲＢを用いてセカンダリノードへ設定結果を送信し、または端末は、設定結果がマスタノードを通じてセカンダリノードへ送信されるよう、マスタノードへ設定結果を送信する。
【００１３】
ある実装において、マスタノードは、セカンダリノードへ第１インジケーション情報を送信する。第１インジケーション情報は、ＳＲＢを確立するようセカンダリノードに指示するのに用いられる、または、ＳＲＢのための設定情報を生成するようセカンダリノードに指示するのに用いられる。セカンダリノードは第１インジケーション情報を受信し、第１インジケーション情報に基づきＳＲＢのための設定情報を生成する。このように、セカンダリノードはマスタノードの指示に基づきＳＲＢを確立出来、このことは、要件に基づいたセカンダリノードのＳＲＢの確立の制御に関してマスタノードを補助し、セカンダリノードのＳＲＢの確立の制御をよりフレキシブルなものとする。
【００１４】
オプションで、第１インジケーション情報は、マスタノードがセカンダリノードへ送信する追加要求メッセージで保持されてよい。追加要求メッセージは、セカンダリノードを追加するよう要求するのに用いられる。代わりに、第１インジケーション情報は、マスタノードがセカンダリノードへ送信する変更要求メッセージで保持されてよい。変更要求メッセージは、セカンダリノードの設定を変更するよう要求するのに用いられる。
【００１５】
ある実装において、マスタノードは、セカンダリノードへ追加要求メッセージを送信する。追加要求メッセージは、セカンダリノードを追加するよう要求するのに用いられる。セカンダリノードがマスタノードから追加要求メッセージを受信したとき、セカンダリノードは、ＳＲＢのための設定情報を生成する。このように、マスタノードとセカンダリノードとの間で伝送される情報要素を減らせる。セカンダリノードが追加されたとき、ＳＲＢがデフォルトでセカンダリノード上で確立される。
【００１６】
ある実装において、ＳＲＢのための設定情報は、ＲＲＣプロトコルデータユニット（ＰＤＵ）であってよく、またはＲＲＣ  ＰＤＵの一部であってよい。
【００１７】
ある実装において、ＳＲＢのための設定情報は、セカンダリノードがセキュリティ処理を実施した後にマスタノードへ送信されてよい。この場合、セカンダリノードがマスタノードへＳＲＢのための設定情報を送信する前に、セカンダリノードはＳＲＢのための設定情報に対してセキュリティ処理を実施する。セキュリティ処理は、完全性保護および／または暗号化を含む。対応して、端末がＳＲＢのための設定情報を受信した後、端末は、ＳＲＢのための設定情報に対してセキュリティ処理を実施し、それから、ＳＲＢのための設定情報を用いてセカンダリノードのＳＲＢを設定する。セキュリティ処理は、完全性確認および／または復号化を含む。
【００１８】
ある実装において、ＳＲＢのための設定情報は、ＳＲＢ識別子、ＳＲＢの無線リンク制御（ＲＬＣ）レイヤ設定、論理チャネル設定、およびＳＲＢセキュリティパラメータのうち少なくとも１つの情報を含む。ＳＲＢセキュリティパラメータは、例えば、セキュリティアルゴリズムに関する情報、および／またはセキュリティ鍵を導出するのに用いられるパラメータを含む。セキュリティアルゴリズムは、例えば、暗号化および／または完全性保護アルゴリズムを含む。セキュリティアルゴリズムに関する情報は、セキュリティアルゴリズムを示すのに用いられる情報であってよく、例えば、アルゴリズムインジケーション若しくはアルゴリズム識別子であってよく、またはセキュリティアルゴリズムであってよい。
【００１９】
ある実装において、セカンダリノードは、マスタノードへ送信される肯定応答メッセージにＳＲＢのための設定情報を追加してよい。肯定応答メッセージは、セカンダリノードを追加するよう要求するのに用いられる追加要求メッセージに対する応答メッセージ（つまり、追加要求確認メッセージ）であり、または、セカンダリノードの設定を変更するよう要求するのに用いられる変更要求メッセージに対する応答メッセージ（つまり、変更要求確認メッセージ）である。つまり、先述の方法は、セカンダリノードがマスタノードから追加要求メッセージまたは変更要求メッセージを受信する段階をさらに含み、セカンダリノードがマスタノードへＳＲＢのための設定情報を送信する段階は、セカンダリノードがマスタノードへ追加要求確認メッセージまたは変更要求確認メッセージを送信する段階を含む。追加要求確認メッセージまたは変更要求確認メッセージは、ＳＲＢのための設定情報を含む。
【００２０】
分かるのは、シグナリングを節約出来、通信効率を向上させられるよう、ＳＲＢのための設定情報が、セカンダリノード追加処理（デュアルコネクティビティの初期設定処理）またはセカンダリノード変更プロセスにおいてセカンダリノードによりマスタノードへ送信されてよいということである。ＳＲＢのための設定情報がセカンダリノード変更プロセスにおいてセカンダリノードによりマスタノードへ送信されるとき、セカンダリノード変更プロセスはマスタノードがトリガしてよく、またはセカンダリノードがトリガしてよい。セカンダリノードがセカンダリノード変更プロセスをトリガするとき、先述の方法は、セカンダリノードがマスタノードへ変更必要メッセージを送信する段階をさらに含む。変更必要メッセージは、ＲＲＣメッセージが伝送されることを可能とするよう、またはＳＲＢがセカンダリノードと端末との間で確立されることを可能とするようマスタノードに要求するのに用いられる。
【００２１】
ある実装において、マスタノードは、マスタノードのＲＲＣ接続再設定メッセージを用いて端末へセカンダリノードのＳＲＢのための設定情報を送信してよい。対応して、端末は、ＲＲＣ接続再設定完了メッセージを用いてマスタノードへＳＲＢを設定した結果を送信してよい。つまり、マスタノードが端末へセカンダリノードのＳＲＢのための設定情報を送信することは、マスタノードが端末へＲＲＣ接続再設定メッセージを送信することを含む。ＲＲＣ接続再設定メッセージは、セカンダリノードのＳＲＢのための設定情報を保持し、端末がＳＲＢを設定した結果をマスタノードが受信することは、マスタノードが端末からＲＲＣ接続再設定完了メッセージを受信することを含む。ＲＲＣ接続再設定完了メッセージは設定結果を保持する。対応して、端末がマスタノードからセカンダリノードのＳＲＢのための設定情報を受信することは、端末がマスタノードからＲＲＣ接続再設定メッセージを受信することを含む。ＲＲＣ接続再設定メッセージは、セカンダリノードのＳＲＢのための設定情報を保持する。端末がマスタノードへ設定結果を送信することは、端末がマスタノードへＲＲＣ接続再設定完了メッセージを送信することを含む。ＲＲＣ接続再設定完了メッセージは設定結果を保持する。
【００２２】
ある実装において、端末がマスタノードを通じてセカンダリノードへ設定結果を送信するとき、端末はマスタノードへ第２のインジケーション情報を送信して、端末がセカンダリノードのＳＲＢを設定した結果を示す。このように、マスタノードが設定結果をパース出来ないときでも、マスタノードは、端末がセカンダリノードのＳＲＢを設定した結果を知ることが出来る。
【００２３】
ある実装において、マスタノードは、マスタノードのＲＲＣ接続再設定メッセージを用いて、端末へセカンダリノードのＳＲＢのための設定情報を送信してよい。端末が送信するＲＲＣ接続再設定完了メッセージは設定結果である。この場合、マスタノードがＲＲＣ接続再設定完了メッセージを受信したとき、設定が成功したものとみなされる。ＲＲＣ接続再設定完了メッセージは、マスタノードへ送信されるＲＲＣ接続再設定完了メッセージであってよく、またはセカンダリノードへ送信されるＲＲＣ接続再設定完了メッセージであってよい。
【００２４】
ある実装において、端末がマスタノードを通じてセカンダリノードへ設定結果を送信するとき、マスタノードは、セカンダリノード再設定完了メッセージを用いて設定結果を送信する。オプションで、マスタノードはセカンダリノードへセカンダリノード再設定完了メッセージを送信する。セカンダリノード再設定完了メッセージは設定結果を保持する。オプションで、マスタノードはセカンダリノードへセカンダリノード再設定完了メッセージを送信する。セカンダリノード再設定完了メッセージは設定結果である。この場合、セカンダリノードがセカンダリノード再設定完了メッセージを受信したとき、設定が成功したものとみなされる。
【００２５】
ある実装において、マスタノードは設定結果をパースによって得、設定結果が成功であったとき、セカンダリノードへ端末のデータを送信してよく、またはセカンダリノードへ端末のデータを送信するようコアネットワークに要求してよい。代わりに、マスタノードは、端末がセカンダリノードのＳＲＢを設定した結果を第２のインジケーション情報に基づき決定してよく、設定結果が成功であるとき、セカンダリノードへ端末のデータを送信してよく、またはセカンダリノードへ端末のデータを送信するようコアネットワークに要求してよい。
【００２６】
ある実装において、マスタノードは、セカンダリノードのＳＲＢのために用いられるセキュリティ情報をセカンダリノードへ送信する。セカンダリノードのＳＲＢのために用いられるセキュリティ情報は、ダイレクトＳ−ＲＲＣのためのセキュリティ情報とも呼ばれる。セキュリティ情報は、セキュリティ鍵と、セキュリティアルゴリズムに関する情報とのうち少なくとも１つの情報を含む。セキュリティアルゴリズムは、暗号化アルゴリズムおよび／または完全性保護アルゴリズムを含む。セキュリティアルゴリズムに関する情報は、セキュリティアルゴリズムを示すのに用いられる情報であってよく、例えば、アルゴリズムインジケーション若しくはアルゴリズム識別子であってよく、またはセキュリティアルゴリズムであってよい。セカンダリノードはセキュリティ情報を受信し、セキュリティ情報に基づきＳＲＢのためにセキュリティ処理を実施する。マスタノードは、セカンダリノードがＳＲＢのための設定情報を生成する前に、つまり、マスタノードがセカンダリノードのＳＲＢのための設定情報を受信する前に、セカンダリノードへセキュリティ情報を送信してよい。セカンダリノードがＳＲＢのための設定情報を生成した後、セカンダリノードは、セキュリティ情報を用いてＳＲＢのための設定情報に対してセキュリティ処理を実施してよい。セキュリティ情報は、追加要求メッセージまたは変更要求メッセージで保持されてよい。
【００２７】
ある実装において、マスタノードはセカンダリノードへ鍵グループ（鍵リストとも呼ばれる）を送信する。鍵を更新するときセカンダリノードが鍵グループから鍵を選択するよう、鍵グループは複数の鍵を含む。セカンダリノードはマスタノードから鍵グループを受信し、鍵を更新するとき鍵グループから鍵を選択する。このように、セカンダリノード自体が鍵を更新出来、それによりセカンダリノード上での設定効率をさらに向上させる。
【００２８】
オプションで、マスタノードは、セカンダリノードの要件に基づき鍵グループを送信してよい。具体的には、セカンダリノードは、鍵グループを送信するようマスタノードに指示するのに用いられる第３のインジケーション情報をマスタノードへ送信する。
【００２９】
オプションで、マスタノードはセカンダリノードへ、鍵グループ内の鍵を導出するのに用いられるカウント（ＣＯＵＮＴ）値のグループ、つまりカウント値グループを送信してよい。セカンダリノードはカウント値グループを受信し、端末も同期した鍵更新を完了するよう、鍵を更新するとき、選択された鍵を導出するのに用いられるカウント値を端末へ送信する。
【００３０】
オプションで、マスタノードは端末へ、鍵グループ内の鍵を導出するのに用いられるカウント値のグループ、つまりカウント値グループを送信してよい。セカンダリノードが鍵を更新するとき、セカンダリノードは鍵グループから鍵を順番に選択し、鍵を更新するよう端末に指示し、つまり、端末へ通知メッセージを送信して鍵を更新するよう端末に指示する。端末が通知メッセージを受信したとき、端末は、カウント値グループからカウント値を順番に選択して同期した鍵更新を実施する。
【００３１】
オプションで、マスタノードは、鍵グループ内の鍵と、鍵グループ内の鍵を導出するのに用いられるカウント値との間の対応情報をセカンダリノードへ送信する。セカンダリノードが鍵を更新するとき、セカンダリノードは、選択された鍵と、鍵を導出するのに用いられるカウント値との間の対応情報を端末へ送信する。端末は対応情報を受信し、対応情報に基づきカウント値を選択し、カウント値に基づき同期した鍵更新を実施する。
【００３２】
ある実装において、セカンダリノードのＳＲＢが設定された後、セカンダリノードは直接端末へＲＲＣ接続再設定メッセージを設定のために送信してよい。端末はＲＲＣ接続再設定メッセージを受信し、ＲＲＣ接続再設定メッセージに対応する再設定が失敗したとき、ＲＲＣ接続再設定メッセージを受信する前の設定を復元する。オプションで、端末はさらに、（直接、またはマスタノードを通じて）セカンダリノードへ通知メッセージを送信して、ＲＲＣ接続再設定が失敗した旨をセカンダリノードに通知してよい。
【００３３】
ある実装において、セカンダリノードのＳＲＢのための設定情報は、アップリンクＲＲＣ設定情報をさらに含む。アップリンクＲＲＣ設定情報は、端末がセカンダリノードのためのアップリンクＲＲＣメッセージを送信する方式を設定するのに用いられる。
【００３４】
さらに別の態様によれば、本願は、先述の態様のうちいずれか１つの任意の実施例におけるステップを実施するよう構成されたユニットまたは手段（ｍｅａｎｓ）を含む設定装置を提供する。
【００３５】
さらに別の態様によれば、本願は、少なくとも１つの処理素子と少なくとも１つの記憶素子とを含む設定装置であって、少なくとも１つの記憶素子は、プログラムとデータとを格納するよう構成されており、少なくとも１つの処理素子は、先述の態様のうちいずれか１つの任意の実施例で提供される方法を実施するよう構成されている、設定装置を提供する。
【００３６】
さらに別の態様によれば、本願は、コンピュータプログラムを提供する。プロセッサが走らせたとき、プログラムは、先述の態様のうちいずれか１つの任意の実施例における方法を実施するのに用いられる。
【００３７】
さらに別の態様によれば、先述のプログラムを含むコンピュータ可読記憶媒体が提供される。
【００３８】
さらに別の態様によれば、先述の設定装置のうちいずれか１つを含む通信システムが提供される。
【００３９】
加えて、本願の実施形態は、ＳＲＢをセカンダリノード上で確立出来るときのアップリンクＲＲＣメッセージ伝送の信頼性をさらに向上させることを期待して、ＲＲＣメッセージ伝送方法および装置、並びにシステムをさらに提供する。さらには、ＲＲＣメッセージ伝送方法および装置、並びにシステムは、先述の設定方法および装置、並びに先述のシステムと組み合わせられてよい。
【００４０】
ある態様によると、通信システムに適用されるＲＲＣメッセージ伝送方法が提供される。通信システムは、端末に対して共同でサービスを提供するマスタノードとセカンダリノードとを含む。方法は、端末が、セカンダリノードのダウンリンクＲＲＣメッセージを受信する段階であって、ダウンリンクＲＲＣメッセージは、マスタノードによりセカンダリノードから受信され端末へ送信され、または、ダウンリンクＲＲＣメッセージは、セカンダリノードにより端末へ送信される、段階と、端末がアップリンクＲＲＣメッセージを送信する段階であって、アップリンクＲＲＣメッセージはダウンリンクＲＲＣメッセージに対する応答メッセージであり、端末がアップリンクＲＲＣメッセージを送信するパスは、端末がダウンリンクＲＲＣメッセージを受信するパスと同じである、段階とを含む。具体的には、ダウンリンクＲＲＣメッセージがマスタノードによりセカンダリノードから受信され端末へ送信されたとき、アップリンクＲＲＣメッセージは端末によりマスタノードへ送信され、それから、マスタノードによりセカンダリノードへ送信される。代わりに、ダウンリンクＲＲＣメッセージがセカンダリノードにより端末へ送信されるとき、アップリンクＲＲＣメッセージは、端末がセカンダリノードへ送信する。ここで「送信」とは、マスタノードによる転送なしで、直接送信することを意味する。
【００４１】
別の態様によれば、通信システムに適用されるＲＲＣメッセージ伝送方法が提供される。通信システムは、端末に対して共同でサービスを提供するマスタノードとセカンダリノードとを含む。方法は、
マスタノードが、セカンダリノードのアップリンクＲＲＣ設定情報を取得または生成する段階であって、アップリンクＲＲＣ設定情報は、端末がセカンダリノードのためのアップリンクＲＲＣメッセージを送信する方式を設定するのに用いられる、段階と、
端末がアップリンクＲＲＣ設定情報に基づきアップリンクＲＲＣメッセージを送信するよう、マスタノードが端末へアップリンクＲＲＣ設定情報を送信する段階と
を含む。マスタノードは、セカンダリノードからアップリンクＲＲＣ設定情報を取得してよい。
【００４２】
さらに別の態様によれば、通信システムに適用されるＲＲＣメッセージ伝送方法が提供される。通信システムは、端末に対して共同でサービスを提供するマスタノードとセカンダリノードとを含む。方法は、端末がマスタノードからセカンダリノードのアップリンクＲＲＣ設定情報を受信する段階であって、アップリンクＲＲＣ設定情報は、セカンダリノードのためのアップリンクＲＲＣメッセージを端末が送信する方式を設定するのに用いられる、段階と、
端末が、アップリンクＲＲＣ設定情報に基づきセカンダリノードのためのアップリンクＲＲＣメッセージを送信する段階と
を含む。
【００４３】
ある実装において、アップリンクＲＲＣメッセージの送信方式は、
端末がセカンダリノードへセカンダリノードのためのアップリンクＲＲＣメッセージを送信すること、または、
端末がマスタノードを通じてセカンダリノードへセカンダリノードのためのアップリンクＲＲＣメッセージを送信すること、または、
端末がセカンダリノードへセカンダリノードのためのアップリンクＲＲＣメッセージを送信することであって、アップリンクＲＲＣメッセージは、セカンダリノードのダウンリンクＲＲＣメッセージに対する応答メッセージである、こと、または、
端末がマスタノードを通じてセカンダリノードへセカンダリノードのためのアップリンクＲＲＣメッセージを送信することであって、アップリンクＲＲＣメッセージは、セカンダリノードのダウンリンクＲＲＣメッセージに対する応答メッセージである、こと、または、
端末が直接、またはマスタノードを通じてセカンダリノードへセカンダリノードのためのアップリンクＲＲＣメッセージを、セカンダリノードのセルを測定した結果に基づき送信すること、または、
端末が、セカンダリノードのダウンリンクＲＲＣメッセージと同じパスでセカンダリノードのためのアップリンクＲＲＣメッセージを送信すること
を含む。
【００４４】
オプションで、ＲＲＣメッセージ伝送方法が先述の設定方法と組み合わせられるとき、ＳＲＢのための先述の設定情報は、アップリンクＲＲＣ設定情報を含んでよく、または、ＳＲＢのための設定情報およびアップリンクＲＲＣ設定情報の両方が、マスタノードのＲＲＣ接続再設定メッセージを用いて端末へ送信されてよい。
【００４５】
オプションで、セカンダリノードのセルの測定の結果に基づき端末がセカンダリノードのためのアップリンクＲＲＣメッセージを直接、またはマスタノードを通じてセカンダリノードへ送信するとき、先述のアップリンクＲＲＣ設定情報は閾値を含んでよい。セカンダリノードのセルを測定することにより端末が取得する測定値が閾値より大きいとき、端末はセカンダリノードへセカンダリノードのためのアップリンクＲＲＣメッセージを送信する。セカンダリノードのセルを測定することにより端末が取得する測定値が閾値より小さいとき、端末はマスタノードを通じてセカンダリノードへセカンダリノードのためのアップリンクＲＲＣメッセージを送信する。セカンダリノードのセルを測定することにより端末が取得する測定値が閾値と等しいとき、端末は直接、またはマスタノードを通じてセカンダリノードへセカンダリノードのためのアップリンクＲＲＣメッセージを送信してよい。
【００４６】
さらに別の態様によれば、本願は、先述の態様のうちいずれか１つの任意の実施例におけるステップを実施するよう構成されたユニットまたは手段（ｍｅａｎｓ）を含むＲＲＣメッセージ伝送装置を提供する。
【００４７】
さらに別の態様によれば、本願は、少なくとも１つの処理素子と少なくとも１つの記憶素子とを含むＲＲＣメッセージ伝送装置であって、少なくとも１つの記憶素子は、プログラムとデータとを格納するよう構成されており、少なくとも１つの処理素子は、先述の態様のうちいずれか１つの任意の実施例で提供される方法を実施するよう構成されている、ＲＲＣメッセージ伝送装置を提供する。
【００４８】
さらに別の態様によれば、本願は、コンピュータプログラムを提供する。プロセッサが走らせたとき、プログラムは、先述の態様のうちいずれか１つの任意の実施例における方法を実施するのに用いられる。
【００４９】
さらに別の態様によれば、先述のプログラムを含むコンピュータ可読記憶媒体が提供される。
【００５０】
さらに別の態様によれば、先述の設定装置のうちいずれか１つを含む通信システムが提供される。
【００５１】
分かるのは、先述の態様において、セカンダリノードのためのアップリンクＲＲＣメッセージはマスタノードが設定した方式で伝送されてよく、またはダウンリンクＲＲＣメッセージと同じパスで伝送されてよいということである。このように、複数のアップリンクＲＲＣメッセージ伝送の可能性がもたらす低信頼性が緩和される。
【００５２】
加えて、本願の実施形態は、ＳＲＢをセカンダリノード上で確立出来るときのモビリティ管理の効率をさらに向上させることを期待して、設定方法および装置、並びにシステムをさらに提供する。さらには、設定方法および装置、並びにシステムは、先述の設定方法および装置、並びに先述のシステムと組み合わせられてよい。
【００５３】
ある態様によると、通信システムに適用される設定方法が提供される。通信システムは、端末に対して共同でサービスを提供するマスタノード（ＭＮ）とセカンダリノード（ＳＮ）とを含む。方法は、セカンダリノードがマスタノードから測定設定情報を受信する段階であって、測定設定情報は、セカンダリノードによるマスタノードへの測定結果の送信をトリガするための条件を設定するのに用いられる、段階と、
セカンダリノードのセルを測定することにより端末が取得した測定レポートをセカンダリノードが端末から受信する段階と、
先述の条件を満たす測定結果を測定レポートが含むとき、セカンダリノードがマスタノードへ測定結果を送信する段階と
を含む。
【００５４】
別の態様によれば、通信システムに適用される設定方法が提供され、通信システムは、端末に対して共同でサービスを提供するＭＮとＳＮとを含み、方法は、
マスタノードがセカンダリノードへ測定設定情報を送信する段階であって、測定設定情報は、セカンダリノードによるマスタノードへの測定結果の送信をトリガするための条件を設定するのに用いられる、段階と、
マスタノードが、先述の条件を満たす測定結果をセカンダリノードから受信する段階であって、測定結果は、セカンダリノードのセルを測定することにより端末が取得し、セカンダリノードへ報告される、段階と
を含む。
【００５５】
ある実装において、測定設定情報は閾値を含み、先述の条件は、測定結果が閾値以上であることである。具体的には、マスタノードはセカンダリノードへ閾値を送信し、セカンダリノードは閾値を受信し、測定結果が閾値以上であるとき、セカンダリノードはマスタノードへ測定結果を送信する。
【００５６】
ある実装において、先述の方法は、セカンダリノードが端末のための閾値を設定する段階をさらに含む。このように、端末が報告する測定レポートは、閾値の要件を満たす測定レポートであり、セカンダリノードは、測定結果が閾値の要件を満たすかを決定することなく、直接マスタノードへ測定レポート内の測定結果を送信してよい。
【００５７】
ある実装において、セカンダリノードがマスタノードへ送信する情報は、セルまたはビーム識別子、つまり、条件を満たす測定結果に対応するセルまたはビーム識別子をさらに含む。つまり、先述の方法は、測定結果に対応するセルまたはビーム識別子をセカンダリノードがマスタノードへ送信する段階をさらに含む。
【００５８】
さらに別の態様によれば、本願は、先述の態様のうちいずれか１つの任意の実施例におけるステップを実施するよう構成されたユニットまたは手段（ｍｅａｎｓ）を含む設定装置を提供する。
【００５９】
さらに別の態様によれば、本願は、少なくとも１つの処理素子と少なくとも１つの記憶素子とを含む設定装置であって、少なくとも１つの記憶素子は、プログラムとデータとを格納するよう構成されており、少なくとも１つの処理素子は、先述の態様のうちいずれか１つの任意の実施例で提供される方法を実施するよう構成されている、設定装置を提供する。
【００６０】
さらに別の態様によれば、本願は、コンピュータプログラムを提供する。プロセッサが走らせたとき、プログラムは、先述の態様のうちいずれか１つの任意の実施例における方法を実施するのに用いられる。
【００６１】
さらに別の態様によれば、先述のプログラムを含むコンピュータ可読記憶媒体が提供される。
【００６２】
さらに別の態様によれば、先述の設定装置のうちいずれか１つを含む通信システムが提供される。
【００６３】
分かるのは、先述の態様において、端末がセカンダリノードのセルを測定した結果を特定の条件でレポートするようセカンダリノードをマスタノードが設定することが出来、それにより、モビリティ管理性能を向上させるということである。
【図面の簡単な説明】
【００６４】
【図１】本願の実施形態に係るデュアルコネクティビティシナリオの概略図である。
【００６５】
【図２ａ】本願の実施形態に係るＬＴＥ−ＮＲデュアルコネクティビティシナリオの概略図である。
【００６６】
【図２ｂ】本願の実施形態に係る別のＬＴＥ−ＮＲデュアルコネクティビティシナリオの概略図である。
【００６７】
【図２ｃ】本願の実施形態に係るさらに別のＬＴＥ−ＮＲデュアルコネクティビティシナリオの概略図である。
【００６８】
【図３ａ】本願の実施形態に係るデュアルコネクティビティの無線プロトコルの概略的アーキテクチャ図である。
【００６９】
【図３ｂ】本願の実施形態に係るデュアルコネクティビティの別の無線プロトコルの概略的アーキテクチャ図である。
【００７０】
【図４】本願の実施形態に係るＲＲＣメッセージの概略図である。
【００７１】
【図５】本願の実施形態に係る設定方法の概略図である。
【００７２】
【図６】本願の実施形態に係る無線ベアラ確立方法の概略図である。
【００７３】
【図７】本願の実施形態に係る設定方法の概略図である。
【００７４】
【図８】本願の実施形態に係るパラメータＣＯＵＮＴの概略フォーマット図である。
【００７５】
【図９】本願の実施形態に係るＲＲＣ伝送方法の概略図である。
【００７６】
【図１０】本願の実施形態に係る別のＲＲＣ伝送方法の概略図である。
【００７７】
【図１１】本願の実施形態に係る設定方法の概略図である。
【００７８】
【図１２】本願の実施形態に係るＳＮに適用される装置の概略図である。
【００７９】
【図１３】本願の実施形態に係るＭＮに適用される装置の概略図である。
【００８０】
【図１４】本願の実施形態に係る端末に適用される装置の概略図である。
【００８１】
【図１５】本願の実施形態に係るＲＡＮノードの概略構造図である。
【００８２】
【図１６】本願の実施形態に係る端末の概略構造図である。
【発明を実施するための形態】
【００８３】
以下に、本願の一部の用語を説明する。
【００８４】
（１）ユーザ機器（Ｕｓｅｒ  Ｅｑｕｉｐｍｅｎｔ，ＵＥ）とも呼ばれる端末は、ボイスおよび／またはデータ接続性をユーザに提供するデバイス、例えば、無線接続機能を有するハンドヘルドデバイスまたは車載デバイスである。現在、一部の端末は、例えば、携帯電話、タブレットコンピュータ、ノートブックコンピュータ、パームトップコンピュータ、モバイルインターネットデバイス（Ｍｏｂｉｌｅ  Ｉｎｔｅｒｎｅｔ  Ｄｅｖｉｃｅ，ＭＩＤ）、スマートウォッチ、スマートバンド、並びに歩数計等のウェアラブルデバイスである。
【００８５】
（２）無線アクセスネットワーク（Ｒａｄｉｏ  Ａｃｃｅｓｓ  Ｎｅｔｗｏｒｋ，ＲＡＮ）は無線ネットワークへと端末を接続するネットワーク内の一部である。ＲＡＮノードまたはデバイスは無線アクセスネットワークにおけるノードまたはデバイスであり、基地局と呼ばれてもよい。現在、一部のＲＡＮノードは、例えば、ｇＮＢ、伝送／受信ポイント（Ｔｒａｎｓｍｉｓｓｉｏｎ  Ｒｅｃｅｐｔｉｏｎ  Ｐｏｉｎｔ，ＴＲＰ）、発展型ノードＢ（ｅｖｏｌｖｅｄ  Ｎｏｄｅ  Ｂ，ｅＮＢ）、無線ネットワークコントローラ（Ｒａｄｉｏ  Ｎｅｔｗｏｒｋ  Ｃｏｎｔｒｏｌｌｅｒ，ＲＮＣ）、ノードＢ（Ｎｏｄｅ  Ｂ，ＮＢ）、基地局コントローラ（Ｂａｓｅ  Ｓｔａｔｉｏｎ  Ｃｏｎｔｒｏｌｌｅｒ，ＢＳＣ）、ベーストランシーバ基地局（Ｂａｓｅ  Ｔｒａｎｓｃｅｉｖｅｒ  Ｓｔａｔｉｏｎ，ＢＴＳ）、ホーム基地局（例えば、Ｈｏｍｅ  ｅｖｏｌｖｅｄ  ＮｏｄｅＢまたはＨｏｍｅ  Ｎｏｄｅ  Ｂ，ＨＮＢ）、ベースバンドユニット（ＢａｓｅＢａｎｄ  Ｕｎｉｔ，ＢＢＵ）、またはＷｉＦｉアクセスポイント（Ａｃｃｅｓｓ  Ｐｏｉｎｔ，ＡＰ）である。加えて、ネットワーク構造において、ＲＡＮは、集中型ユニット（Ｃｅｎｔｒａｌｉｚｅｄ  Ｕｎｉｔ，ＣＵ）ノードと分散型ユニット（Ｄｉｓｔｒｉｂｕｔｅｄ  Ｕｎｉｔ，ＤＵ）ノードとを含んでよい。この構造において、ロングタームエボリューション（Ｌｏｎｇ  Ｔｅｒｍ  Ｅｖｏｌｕｔｉｏｎ，ＬＴＥ）におけるｅＮＢのプロトコル層は分割される。一部のプロトコル層の機能は集中型の制御のためにＣＵに分割され、残りのプロトコル層の一部または全ての機能は、集中型の方式でＣＵが制御するＤＵに分割される。
【００８６】
（３）「複数の」という用語は、２または２より多くを意味し、他の数量詞もそれと同様である。「および／または」という用語は、対応付けられたオブジェクトを説明するための対応関係を説明し、３つの関係が存在してよいことを表現している。例えば、Ａおよび／またはＢは、以下の３つの場合を表現してよい：Ａのみが存在、ＡおよびＢの両方が存在、Ｂのみが存在。「／」という文字は概して、対応付けられたオブジェクト同士の「または」の関係を示す。
【００８７】
図１を参照すると、図１は、本願の実施形態に係るデュアルコネクティビティシナリオの概略図である。図１に示すように、ＲＡＮノード１１０およびＲＡＮノード１２０は共同で端末１３０のためにサービスを提供する。ＲＡＮノード１１０はマスタノード（Ｍａｓｔｅｒ  Ｎｏｄｅ，ＭＮ）である。ＲＡＮノード１２０はセカンダリノード（ｓｅｃｏｎｄａｒｙ  ｎｏｄｅ，ＳＮ）である。制御プレーン接続およびユーザプレーン接続が、ＭＮ１１０とコアネットワーク（Ｃｏｒｅ  Ｎｅｔｗｏｒｋ，ＣＮ）１４０との間に存在する。ユーザプレーン接続が、ＳＮ１２０とコアネットワーク１４０との間に存在してもしなくてもよい。Ｓ１−Ｕはユーザプレーン接続を表し、Ｓ１−Ｃは制御プレーン接続を表す。ユーザプレーン接続がＳＮ１２０とコアネットワーク１４０との間に存在しないとき、端末１３０のためのデータは、パケットデータコンバージェンスプロトコル（Ｐａｃｋｅｔ  Ｄａｔａ  Ｃｏｎｖｅｒｇｅｎｃｅ  Ｐｒｏｔｏｃｏｌ，ＰＤＣＰ）レイヤでＭＮ１１０からＳＮ１２０へオフロードされてよい。ＭＮおよびＳＮは、マスタ基地局およびセカンダリ基地局とも呼ばれる。
【００８８】
デュアルコネクティビティが、イントラＲＡＴ  ＲＡＮノード間で実装されてよく、またはインターＲＡＴ  ＲＡＮノード間で実装されてよい。例えば、無線通信技術の進化とともに、デュアルコネクティビティが、ＬＴＥ（４Ｇとも呼ばれる）と新無線（Ｎｅｗ  Ｒａｄｉｏ，ＮＲ）（５Ｇとも呼ばれる）のジョイントネットワーキングのシナリオで実装されてよく、そのようなデュアルコネクティビティは、ＬＴＥ−ＮＲデュアルコネクティビティと呼ばれる。このように、端末が、データ伝送のためにＬＴＥおよびＮＲの両方の無線インタフェースから無線リソースを取得出来、それにより、伝送速度の増加を取得出来る。ＬＴＥ−ＮＲデュアルコネクティビティは主に、以下の３つのアーキテクチャを含み、それらについては以下に図２ａ、図２ｂ、および図２ｃを参照し別々に説明する。ここで、コアネットワークとＲＡＮノードとの間のインタフェースはＳ１で表され、ＲＡＮノード間のインタフェースはＸ２で表される（Ｘｎインタフェースと呼ばれてもよい）。そのような表現形態は例に過ぎず、本願を限定することは意図されていない。
【００８９】
図２ａを参照すると、図２ａは、本願の実施形態に係るＬＴＥ−ＮＲデュアルコネクティビティシナリオの概略図である。図２ａに示すように、ＬＴＥ  ｅＮＢがＭＮとして機能し、制御プレーンおよびユーザプレーンの接続が、ＭＮと、ＬＴＥシステムの発展型パケットコア（ｅｖｏｌｖｅｄ  Ｐａｃｋｅｔ  Ｃｏｒｅ，ＥＰＣ）との間で端末のために確立されてよい。ＮＲ  ｇＮＢがＳＮとして機能し、ユーザプレーン接続がＳＮとＥＰＣとの間で確立されてよい。分かるのは、図２ａに示すシナリオにおいて、ＬＴＥ  ｅＮＢはアンカーとして用いられ、ＬＴＥ  ｅＮＢはＬＴＥコアネットワークに接続するということである。
【００９０】
図２ｂを参照すると、図２ｂは、本願の実施形態に係る別のＬＴＥ−ＮＲデュアルコネクティビティシナリオの概略図である。図２ａとの違いは、ＮＲ  ｇＮＢがアンカーとして用いられ、ＮＲ  ｇＮＢは、次世代コア（Ｎｅｘｔ  Ｇｅｎｅｒａｔｉｏｎ  Ｃｏｒｅ，ＮＧＣ）または５Ｇコアネットワーク（５ｔｈ  Ｇｅｎｅｒａｔｉｏｎ  Ｃｏｒｅ  Ｎｅｔｗｏｒｋ，５Ｇ−ＣＮ）と呼ばれてよいＮＲコアネットワークに接続する点である。つまり、ＮＲ  ｇＮＢはＭＮとして機能し、制御プレーンおよびユーザプレーンの接続がＭＮとＮＧＣとの間で端末のために確立されてよい。ＬＴＥ  ｅＮＢがＳＮとして機能し、ユーザプレーン接続がＳＮとＮＧＣとの間で確立されてよい。
【００９１】
図２ｃを参照すると、図２ｃは、本願の実施形態に係るさらに別のＬＴＥ−ＮＲデュアルコネクティビティシナリオの概略図である。図２ａと同様に、ＬＴＥ  ｅＮＢがアンカーとして用いられ、図２ａとの違いは、ＬＴＥ  ｅＮＢがＮＲコアネットワークＮＧＣに接続する点である。つまり、ＬＴＥ  ｅＮＢはＭＮとして機能し、制御プレーンおよびユーザプレーンの接続がＭＮとＮＧＣとの間で端末のために確立されてよい。ＮＲ  ｇＮＢがＳＮとして機能し、ユーザプレーン接続がＳＮとＮＧＣとの間で確立されてよい。
【００９２】
先述の３つのシナリオにおいて、ユーザプレーン接続はＳＮとコアネットワークとの間で確立されなくてよく、データはＭＮを通じて転送される。例えば、ダウンリンク方向で、端末のためのデータはまずＭＮに到達し、ＭＮは端末のためのデータをＰＤＣＰ層でＳＮへオフロードする。オフロードされるデータの形態は、例えば、ＰＤＣＰプロトコルデータユニット（Ｐｒｏｔｏｃｏｌ  Ｄａｔａ  Ｕｎｉｔ，ＰＤＵ）である。
【００９３】
デュアルコネクティビティにおいて、データ無線ベアラー（Ｄａｔａ  Ｒａｄｉｏ  Ｂｅａｒｅｒ，ＤＲＢ）はＭＮのみ、またはＳＮのみが提供してよく、またはＭＮおよびＳＮの両方が提供してよい。ＤＲＢをＭＮのみが提供するとき、ＤＲＢはマスタセルグループ（Ｍａｓｔｅｒ  Ｃｅｌｌ  Ｇｒｏｕｐ，ＭＣＧ）ベアラと呼ばれる。ＤＲＢをＳＮのみが提供するとき、ＤＲＢはセカンダリセルグループ（Ｓｅｃｏｎｄａｒｙ  Ｃｅｌｌ  Ｇｒｏｕｐ，ＳＣＧ）ベアラと呼ばれる。ＤＲＢをＭＮおよびＳＮの両方が提供するとき、ＤＲＢは分割ベアラ（ｓｐｌｉｔ  ｂｅａｒｅｒ）と呼ばれる。
【００９４】
図３ａおよび図３ｂを参照して説明を以下に提供する。図３ａおよび図３ｂはそれぞれ、本願の実施形態に係るデュアルコネクティビティの無線プロトコルの概略的アーキテクチャ図である。図３ａおよび図３ｂに示すように、ベアラをＭＮのみが提供するとき、つまり、データストリームがコアネットワークからＭＮのみへ流れるとき、ベアラはＭＣＧベアラ（ｂｅａｒｅｒ）である。ベアラをＳＮのみが提供するとき、つまり、データストリームがコアネットワークからＳＮのみへ流れるとき、ベアラはＳＣＧベアラである。ベアラをＭＮおよびＳＮの両方が提供するとき、つまり、データストリームがＭＮまたはＳＮでオフロードされるとき、ベアラは分割ベアラ（ｓｐｌｉｔ  ｂｅａｒｅｒ）である。区別するために、ＭＮで分割されるベアラは（図３ａに示す）ＭＣＧ分割ベアラと呼ばれてよく、ＳＮで分割されるベアラは（図３ｂに示す）ＳＣＧ分割ベアラと呼ばれてよい。
【００９５】
現在のＬＴＥデュアルコネクティビティシステムにおいて、シグナリング無線ベアラ（ｓｉｇｎａｌｉｎｇ  ｒａｄｉｏ  ｂｅａｒｅｒ，ＳＲＢ）をＭＮが提供し、ＳＮはＳＲＢを提供しない。ＳＲＢは端末とＭＮとの間でのみ、無線リソース制御（Ｒａｄｉｏ  Ｒｅｓｏｕｒｃｅ  Ｃｏｎｔｒｏｌ，ＲＲＣ）メッセージ伝送のために確立され、ＳＮの全てのＲＲＣメッセージはＭＮを通じて端末へ送信される。しかしながら、技術の進化と共に、高速のＲＲＣ設定を実装出来るようＳＲＢを独立して提供可能であることがＳＮに期待されている。それゆえ、ＲＲＣメッセージがＭＮと端末との間のみでなく、ＳＮと端末との間でも伝送出来る。この場合、３つのＲＲＣメッセージタイプが存在してよい。
【００９６】
図４を参照すると、図４は、本願の実施形態に係るＲＲＣメッセージの概略図である。図４に示すように、ＳＮがＳＲＢを提供出来るとき、３つのＲＲＣメッセージタイプがある：マスタＲＲＣ（Ｍ−ＲＲＣ）メッセージ、ダイレクトセカンダリノードＲＲＣ（ｄｉｒｅｃｔ  Ｓ−ＲＲＣ）メッセージ、および埋め込みセカンダリノードＲＲＣ（ｅｍｂｅｄｄｅｄ  Ｓ−ＲＲＣ）メッセージ。Ｍ−ＲＲＣメッセージはＭＮのために用いられ、直接ＭＮと端末との間で伝送され、つまり、直接ＭＮと端末との間で終了する。ダイレクトＳ−ＲＲＣメッセージはＳＮのために用いられ、直接ＳＮと端末との間で伝送される。埋め込みＳ−ＲＲＣメッセージはＳＮのために用いられ、埋め込みＳ−ＲＲＣメッセージは、Ｍ−ＲＲＣメッセージ内でカプセル化され、ＲＲＣコンテナ（ｃｏｎｔａｉｎｅｒ）として用いられてよい。ＲＲＣコンテナは、ＳＮプロトコル要件を満たすＲＲＣ  ＰＤＵである。分かるのは、２つのＲＲＣメッセージタイプ、つまり、埋め込みＳ−ＲＲＣメッセージおよびダイレクトＳ−ＲＲＣメッセージがＳＮのために用いられてよいことである。
【００９７】
しかしながら、現在、ＳＮ上でＳＲＢを確立するための利用可能な方法はない。加えて、端末とＳＮとの間のＲＲＣメッセージはＭＮ上のＳＲＢを用いて転送されてよく、またはＳＮ上のＳＲＢを用いて直接転送されてよいが、同じく現在、端末とＳＮとの間のＲＲＣメッセージの転送方式を選択するための利用可能な方法がない。
【００９８】
このことを考慮して、以下の実施形態は、ＲＲＣメッセージを直接端末とＳＮとの間で伝送出来るようＳＮ上でＳＲＢを確立する設定方法を提供する。
【００９９】
図５を参照すると、図５は、本願の実施形態に係る設定方法の概略図である。図５に示すように、方法は以下の段階を含む。
【０１００】
Ｓ５１０：ＳＮが、ＳＲＢのための設定情報を生成する。ＳＲＢは、ＳＮと端末との間でＲＲＣメッセージを伝送するのに用いられる。つまり、ＲＲＣメッセージは、ＭＮが転送することなく、ＳＲＢを用いてＳＮが直接端末へ伝送してよく、または、ＲＲＣメッセージは、ＭＮが転送することなく、ＳＲＢを用いて端末が直接ＳＮへ伝送してよい。ＳＲＢのための設定情報は、ＳＲＢ設定情報またはダイレクトＳ−ＲＲＣ設定情報と呼ばれてもよい。ＳＲＢのための設定情報の名称は本願において限定されない。ＳＲＢのための設定情報（ＳＲＢ設定情報またはダイレクトＳ−ＲＲＣ設定情報）は、ＲＲＣメッセージを直接端末とＳＮとの間で伝送するためにＳＲＢを設定するのに用いられる。つまり、ＳＲＢのための設定情報（ＳＲＢ設定情報またはダイレクトＳ−ＲＲＣ設定情報）は、ＲＲＣメッセージが直接端末とセカンダリノードとの間で伝送されるよう、端末が設定情報に基づきＳＲＢを設定するのに用いる。
【０１０１】
Ｓ５２０：ＳＮがＭＮへＳＲＢのための設定情報を送信する。
【０１０２】
ＭＮは、ＳＮのＳＲＢのための設定情報を受信し、以下のオペレーションを実施する。
【０１０３】
Ｓ５３０：ＭＮが端末へＳＮのＳＲＢのための設定情報を送信する。
【０１０４】
端末は、ＳＮのＳＲＢのための設定情報を受信し、以下のオペレーションを実施する。
【０１０５】
Ｓ５４０：端末が、ＳＮのＳＲＢのための設定情報を用いてＳＲＢを設定し、ＳＮへ設定結果を送信する。端末は、ＭＮを通じてＳＮへ設定結果を送信してよく、または、直接ＳＮへ設定結果を送信してよい。それから、端末はステップＳ５５０またはＳ５７０を実施してよい。
【０１０６】
Ｓ５５０：ＳＲＢを設定した結果がＭＮを通じてＳＮへ送信されてよいよう、端末がＭＮへ設定結果を送信する。
【０１０７】
ＭＮは設定結果を受信し、以下の段階を実施する。
【０１０８】
Ｓ５６０：ＭＮがＳＮへ設定結果を送信する。
【０１０９】
Ｓ５７０：端末がＳＮへ設定結果を送信する。つまり、端末は、設定されたＳＲＢを用いて、直接ＳＮへＳＮのＳＲＢを設定した結果を送信する。
【０１１０】
このように、ＳＮによるＳＲＢのための設定を、ＭＮを通じて端末へ送信出来、端末がＳＲＢを設定した後、端末は、直接、またはＭＮを通じてＳＮへ設定結果を送信する。このように、ＲＲＣメッセージを、直接ＳＮと端末との間で伝送出来、このことは、ＲＲＣメッセージ処理効率の向上のために有益である。
【０１１１】
ステップＳ５１０において、ＳＮは、ＭＮの指示に基づきＳＲＢのための設定情報を生成してよく、または、ＳＮとしてＳＮを追加するようＭＮが要求していることを分かったときにデフォルトでＳＲＢのための設定情報を生成してよい。つまり、ステップＳ５１０の前に、先述の方法はステップＳ５０１またはステップＳ５０２をさらに含んでよい。
【０１１２】
Ｓ５０１：ＭＮがＳＮへ第１インジケーション情報を送信する。第１インジケーション情報は、ＳＲＢを確立するようＳＮに指示するのに用いられる、または、ＳＲＢのための設定情報を生成するようＳＮに指示するのに用いられる。ＳＮは第１インジケーション情報を受信し、第１インジケーション情報に基づきＳＲＢのための設定情報を生成する。ＳＲＢを確立するようＳＮに指示するのに第１インジケーション情報が用いられるとき、ＳＮはＳＲＢのための設定情報を生成し、ＭＮを通じて端末へＳＲＢのための設定情報を送信して、ＳＲＢ設定を完了し、ＳＲＢ確立を完了する。ＳＲＢのための設定情報を生成するようＳＮに指示するのに第１インジケーション情報が用いられるとき、このことが示すのは、ＳＲＢはＳＮ上で確立されることになるということであり、それゆえ、ＳＮは、ＳＲＢのための設定情報を生成し、ＭＮを通じて端末へＳＲＢのための設定情報を送信して、ＳＲＢ設定を完了し、ＳＲＢ確立を完了する。このように、セカンダリノードはマスタノードの指示に基づきＳＲＢを確立出来、このことは、要件に基づいたセカンダリノードのＳＲＢの確立の制御に関してマスタノードを補助し、セカンダリノードのＳＲＢの確立の制御をよりフレキシブルなものとする。
【０１１３】
Ｓ５０２：ＳＮがＭＮから要求メッセージを受信する。要求メッセージは、ＳＮとしてＳＮを追加するよう要求するのに用いられる。ＳＮは要求メッセージを受信し、ＳＮとしてＳＮが追加されることになることを知り、ＳＮとしてＳＮが追加されたとき、デフォルトでＳＲＢを確立し、つまり、デフォルトでＳＲＢのために設定情報を生成する。つまり、ＳＮとしてＳＮが追加されるよう要求されていることをＳＮが知ったとき、ＳＮは、ＳＲＢのための設定情報を生成するようＭＮが情報要素を用いて指示することなく、ＳＲＢのための設定情報を生成してよい。このように、ＭＮとＳＮとの間で伝送される情報要素を減らせる。ＳＮが追加されたとき、ＳＲＢがデフォルトでＳＮ上で確立される。
【０１１４】
オプションで、ステップＳ５０１の第１インジケーション情報は、ＭＮがＳＮへ送信する追加要求メッセージで保持されてよい。追加要求メッセージは、ＳＮを追加するよう要求するのに用いられる。代わりに、第１インジケーション情報は、ＭＮがＳＮへ送信する変更要求メッセージで保持されてよい。変更要求メッセージは、セカンダリノードの設定を変更するよう要求するのに用いられる。このことは、次の実施形態でさらに説明され、ここでは詳細は記載しない。
【０１１５】
加えて、ステップＳ５１０において、ＳＮが生成するＳＲＢのための設定情報は、ＲＲＣプロトコルデータユニット（Ｐｒｏｔｏｃｏｌ  Ｄａｔａ  Ｕｎｉｔ，ＰＤＵ）またはＲＲＣ  ＰＤＵの一部であってよい。例えば、ＭＮがＬＴＥシステムにおけるＲＡＮノードであり、ＳＮがＮＲシステムにおけるＲＡＮノードである場合、ＳＮはＮＲ  ＲＲＣ  ＰＤＵを生成する。ＮＲ  ＲＲＣ  ＰＤＵは少なくとも、ＳＮのＳＲＢのための設定情報を含む。ＮＲ  ＲＲＣ  ＰＤＵはＮＲ  ＲＲＣ接続再設定メッセージ（ＲＲＣ  Ｃｏｎｎｅｃｔｉｏｎ  Ｒｅｃｏｎｆｉｇｕｒａｔｉｏｎ  ｍｅｓｓａｇｅ）であってよい。加えて、セキュリティ処理がＳＲＢのための設定情報に対して実施されてよい。例えば、ＳＮはＳＲＢのための設定情報に対して完全性保護および／または暗号化処理を実施し、それから、ＭＮへＳＲＢのための設定情報を送信する。ＭＮは、端末へＳＲＢのための設定情報を送信する。端末がＳＲＢのための設定情報を受信した後、端末は、ＳＲＢのための設定情報に対して完全性確認および／または復号化を実施する。
【０１１６】
ＳＲＢのための設定情報は、ＳＲＢ識別子、ＳＲＢの無線リンク制御（Ｒａｄｉｏ  Ｌｉｎｋ  Ｃｏｎｔｒｏｌ，ＲＬＣ）レイヤ設定、論理チャネル設定、およびＳＲＢセキュリティパラメータのうち少なくとも１つの情報を含んでよい。ＳＲＢセキュリティパラメータは、例えば、セキュリティアルゴリズムに関する情報、およびセキュリティ鍵を導出するのに用いられるパラメータのうち少なくとも１つのパラメータを含んでよい。セキュリティアルゴリズムは、例えば、暗号化および／または完全性保護アルゴリズムを含む。セキュリティアルゴリズムに関する情報は、セキュリティアルゴリズムを示すのに用いられる情報であってよく、例えば、アルゴリズムインジケーション若しくはアルゴリズム識別子であってよく、またはセキュリティアルゴリズムであってよい。代わりに、ＳＮはＳＲＢセキュリティパラメータを送信しなくてよく、端末およびＳＮが一貫性を維持するセキュリティパラメータを事前設定する。オプションの方式において、ＳＮおよびＭＮは同じセキュリティパラメータ、例えば、同じ暗号化および／または完全性保護アルゴリズムを用いる。代わりに、セキュリティパラメータは、ＭＮが端末へ送信し、ＳＲＢのための設定情報で保持される必要はない。加えて、セキュリティパラメータで保持されるコンテンツは、部分的にＳＲＢのための設定情報で保持され、部分的に、事前設定されるか、またはＭＮが端末へ送信してよい。
【０１１７】
ステップＳ５２０において、ＳＮは、ＳＮがＭＮへ送信する肯定応答メッセージに、ＳＮのＳＲＢのための設定情報を追加してよい。肯定応答メッセージは、ＳＮを追加するよう要求するのに用いられる追加要求メッセージに対する応答メッセージであり、または、ＳＮの設定を変更するよう要求するのに用いられる変更要求メッセージに対する応答メッセージである。加えて、ステップＳ５３０において、ＭＮは、ＭＮのＲＲＣ接続再設定メッセージを用いて、端末へＳＮのＳＲＢのための設定情報を送信してよい。
【０１１８】
ＳＮのＳＲＢのための設定情報は、ＲＲＣコンテナ（ｃｏｎｔａｉｎｅｒ）としてＭＮへ送信されてよい。コンテナは、例えばＲＲＣ  ＰＤＵである。加えて、コンテナは、ＳＮがＭＮへ送信するメッセージで保持されてよい。ＭＮがメッセージからコンテナをパースによって得た後、ＭＮは、コンテナをパースすることなくコンテナを直接端末へ転送する。例えば、コンテナは、ＳＮがＭＮへ送信する肯定応答メッセージで保持される。肯定応答メッセージは、ＳＮを追加するよう要求するのに用いられる要求メッセージに対する応答メッセージであり、または、ＳＮの設定を変更するよう要求するのに用いられる変更要求メッセージに対する応答メッセージである。
【０１１９】
ステップＳ５４０において、端末は、ＳＲＢのための設定情報に基づき対応するＲＲＣエンティティおよびレイヤ２エンティティ（例えば、ＲＬＣエンティティ）を生成し、端末とＳＮとの間のダイレクトＲＲＣ伝送のためのセキュリティ処理をアクティブ化して、ＳＮのＲＲＣメッセージを伝送する。ここでのエンティティは論理的エンティティであり、ＲＲＣおよびレイヤ２の機能を実装するのに用いられる。ＳＲＢのための設定情報がＭＮのＲＲＣ接続再設定メッセージで保持されているとき、端末がＭＮのＲＲＣ接続再設定メッセージを受信した後、端末はＲＲＣ接続再設定メッセージからＳＲＢのための設定情報を抽出し、ＳＮのＲＲＣフォーマットを用いてＳＲＢのための設定情報をパースする。ＳＮがＳＲＢのための設定情報に対してセキュリティ処理、例えば完全性保護および／または暗号化を実施する場合、端末は、セキュリティパラメータを用いてＳＲＢのための設定情報に対してセキュリティ処理、例えば完全性確認および／または復号化を実施してよい。
【０１２０】
ステップＳ５５０において、端末は設定結果をＲＲＣ接続再設定完了メッセージに追加し、ＭＮへＲＲＣ接続再設定完了メッセージを送信してよい。設定結果は、ダイレクトＳ−ＲＲＣ設定結果またはＳＮ  ＲＲＣ設定結果と呼ばれてもよい。例えば、設定結果は成功または失敗であって、端末がＳＮのＳＲＢを設定した結果が成功であったか、または失敗であったかを示してよい。設定結果について、端末はＭＮへ第２のインジケーション情報を送信してよい。ＭＮが設定結果をパース出来なかったとき、端末がＳＮのＳＲＢを設定した結果をＭＮが第２のインジケーション情報に基づき知ってよいよう、第２のインジケーション情報は、設定結果を示すのに用いられる。第２のインジケーション情報および設定結果は、端末がＭＮへ送信する同じメッセージで保持されてよく、例えば、端末がＭＮへ送信するＲＲＣ接続再設定完了メッセージで保持されてよい。
【０１２１】
加えて、設定結果はＲＲＣ接続再設定完了メッセージであってよい。例えば、ＭＮがＲＲＣ接続再設定完了メッセージを受信したとき、ＳＮ（またはＳＮ  ＲＲＣ設定若しくはダイレクトＳ−ＲＲＣ設定）のＳＲＢの設定が成功したものとみなされる。
【０１２２】
加えて、ＲＲＣ接続再設定メッセージがＭＮ  ＲＲＣ設定情報を保持しているとき、ＵＥは、ＭＮの設定とＳＮの設定とを別々に実施し、ＲＲＣ接続再設定完了メッセージを用いてＭＮへ設定結果を返す。
【０１２３】
ステップＳ５６０において、ＭＮは、ＳＮ再設定完了メッセージを用いてＳＮへ設定結果を送信してよい。加えて、設定結果はコンテナ（ｃｏｎｔａｉｎｅｒ）としてＳＮへ送信されてよい。代わりに、ＳＮ再設定完了メッセージは設定結果であってよい。ＳＮがＳＮ再設定完了メッセージを受信したとき、設定が成功したものとみなされる。
【０１２４】
オプションで、ＭＮは設定結果をパースし、設定結果が成功であるときのみ、ＳＮへ端末のためのデータを送信してよく、または対応するデータをＳＮへ送信するようコアネットワークに要求してよい。代わりに、マスタノードが設定結果をパース出来ないとき、例えば、ＳＮフォーマット要件を満たすＲＲＣコンテナの形態で設定結果がマスタノードへ送信されたとき、マスタノードは、端末がセカンダリノードのＳＲＢを設定した結果を第２のインジケーション情報に基づき決定し、設定結果が成功であるとき、ＳＮへ端末のためのデータを送信してよく、または対応するデータをＳＮへ送信するようコアネットワークへ要求してよい。設定結果が失敗であるとき、ＭＮはデュアルコネクティビティのためのＳＮを再選択してよく、若しくはＳＮに変更を加えてよく、または、ＭＮはＳＮへデータを送信せず、ＳＮ自体が再設定を実施する。ここでは、コアネットワークがＳＮへ送信するデータは、端末のためのデータの一部または全てであってよい。つまり、コアネットワークがＳＮへ端末のためのデータを全て送信するかは限定されない。コアネットワークは、データオフロードがコアネットワークで完了するようデータの一部をＳＮへ送信し、データの一部をＭＮへ送信してよい。
【０１２５】
ＭＮが送信した、端末がＳＮのＳＲＢを設定した結果をＳＮが受信した後、設定結果が成功であることをＳＮを知った場合、端末について、ＳＮ上でのＳＲＢの設定が完了する。
【０１２６】
加えて、ＳＮ  ＲＲＣ設定結果が失敗である場合、ＭＮは、ＳＮリリース手順をトリガしてよく、つまり、ＳＮリリース命令をＳＮへ送信してよい。ＳＮリリース命令は、「ＳＮ  ＲＲＣ設定が失敗した」ことを示すインジケーション情報を含んでよい。
【０１２７】
デュアルコネクティビティの初期設定をＭＮが完了し、ＳＮ上のＳＲＢがデュアルコネクティビティの初期設定処理で確立されてよい。添付の図面を参照して説明を以下に提供する。
【０１２８】
図６を参照すると、図６は、本願の実施形態に係る無線ベアラ確立方法の概略図である。図６に示すように、方法は以下の段階を含む。
【０１２９】
Ｓ６１０：ＲＡＮノード１１０がＲＡＮノード１２０へ追加要求（ａｄｄｉｔｉｏｎ  ｒｅｑｕｅｓｔ）メッセージを送信する。追加要求メッセージは、ＳＮとしてＲＡＮノード１２０を追加するよう要求するのに用いられる。
【０１３０】
オプションで、追加要求メッセージは、先述の実施形態における第１インジケーション情報を保持して、ＳＲＢを確立するよう、またはＳＲＢのための設定情報を生成するようＲＡＮノード１２０に指示してよい。代わりに、追加要求メッセージは第１インジケーション情報を保持しなくてよく、代わりに、ＲＡＮノード１２０が追加要求メッセージを受信したときに、ＲＡＮノード１２０はデフォルトでＳＲＢを確立して、デフォルトでＳＲＢのために設定情報を生成する。
【０１３１】
ＲＡＮノード１２０が追加要求メッセージを受信した後、ＲＡＮノード１１０がＳＮとしてＲＡＮノード１２０を追加することになることをＲＡＮノード１２０は知り、それから、ＳＣＧ設定を実施する。本実施形態において、ＲＡＮノード１２０がＳＣＧ設定を実施する処理において、ＲＡＮノード１２０はＳＣＧ設定情報を生成し、その生成したＳＣＧ設定情報をＲＡＮノード１１０へ送信する。ＳＣＧ設定情報は、ＳＲＢのための設定情報（またはダイレクトＳ−ＲＲＣ設定情報）を保持する。つまり、ＲＡＮノード１２０は以下の段階を実施する。
【０１３２】
Ｓ６２０：ＲＡＮノード１２０がＳＲＢのための設定情報を生成する。
【０１３３】
Ｓ６３０：ＲＡＮノード１２０は、ＳＲＢのための生成された設定情報を追加要求確認（ａｄｄｉｔｉｏｎ  ｒｅｑｕｅｓｔ  ａｃｋｎｏｗｌｅｄｇｅ）メッセージに追加し、追加要求確認メッセージをＲＡＮノード１１０へ送信する。追加要求確認メッセージは、追加要求メッセージに対する応答メッセージである。
【０１３４】
先述の実施形態と同様に、ＳＮのＳＲＢのための設定情報は、ＭＮへ送信される追加要求確認メッセージ内にコンテナとして保持されてよい。例えば、ＳＲＢのための設定情報は、ＳＮのＲＲＣ  ＰＤＵとして、またはＲＲＣ  ＰＤＵの一部としてＭＮへ送信されてよい。
【０１３５】
ＲＡＮノード１１０は、ＲＡＮノード１２０が送信した追加要求確認メッセージを受信し、以下のオペレーションを実施する。
【０１３６】
Ｓ６４０：ＲＡＮノード１１０が、ＲＡＮノード１２０のＳＲＢのための設定情報をＲＲＣ接続再設定（ＲＲＣ  ｃｏｎｎｅｃｔｉｏｎ  ｒｅｃｏｎｆｉｇｕｒａｔｉｏｎ）メッセージに追加し、ＲＲＣ接続再設定メッセージを端末へ送信する。
【０１３７】
例えば、ＭＮがＬＴＥにおけるＲＡＮノードであり、ＳＮがＮＲにおけるＲＡＮノードである場合、ＭＮはＬＴＥ  ＲＲＣ接続再設定メッセージを端末へ送信する。ＬＴＥ  ＲＲＣ接続再設定メッセージは、ＳＮのＳＲＢのための設定情報を含み、例えば、ＳＮのＲＲＣ  ＰＤＵを含み、つまり、ＭＮはＳＮのＲＲＣ  ＰＤＵを端末へ転送する。ＳＮのＳＲＢのための設定情報がＲＲＣ  ＰＤＵの一部であるときでも、ＭＮは依然として、完全なＲＲＣ  ＰＤＵを端末へ転送して、ＳＮのＳＲＢのための設定情報を端末へ送信出来る。
【０１３８】
端末がＲＲＣ接続再設定メッセージを受信した後、端末はＲＲＣ接続再設定メッセージからＲＡＮノード１２０のＳＲＢのための設定情報をパースによって得、以下のオペレーションを実施する。
【０１３９】
Ｓ６５０：端末が、ＲＡＮノード１２０のＳＲＢのための設定情報を用いてＲＡＮノード１２０のＳＲＢを設定し、例えば、ＲＲＣエンティティおよびレイヤ２エンティティを確立し、端末とＳＮとの間のダイレクトＲＲＣ伝送のためにセキュリティ処理をアクティブ化して、ＲＲＣ接続再設定完了メッセージを生成する。この処理は端末がＳＲＢを追加する処理であり、ＳＮのセキュリティ設定を用いてＰＤＣＰインスタンスを確立すること、ＲＬＣ設定に基づきＲＬＣインスタンスを確立すること、論理チャネル設定に基づき論理チャネルを確立すること、および同様のことを含む。インスタンスは論理ユニットであり、ＰＤＣＰまたはＲＬＣレイヤプロトコルを満たすオペレーションを実施するのに用いられる。それから、ステップＳ６６０が実施される。
【０１４０】
Ｓ６６０：端末が、ＲＡＮノード１２０のＳＲＢを設定した結果をＲＲＣ接続再設定完了（ＲＲＣ  ｃｏｎｎｅｃｔｉｏｎ  ｒｅｃｏｎｆｉｇｕｒａｔｉｏｎ  ｃｏｍｐｌｅｔｅ）メッセージに追加し、ＲＲＣ接続再設定完了メッセージをＲＡＮノード１１０へ送信する。
【０１４１】
ＲＡＮノード１１０が送信したＲＲＣ接続再設定メッセージがＭＮの設定情報を含むとき、端末は、ＭＮの設定とＳＮの設定とを別々に実施する。ＭＮの設定はＲＲＣ接続再設定メッセージ内のＭＮの設定情報に基づき実施され、ＭＮのＳＲＢおよび／またはＤＲＢの設定または同様のことを含んでよい。ＳＮの設定は、ＲＲＣ接続再設定メッセージ内のＳＮの設定情報に基づき実施され、ＳＮのＳＲＢの設定を含む。設定が完了したとき、端末は、ＲＲＣ接続再設定完了メッセージを用いてＭＮへＭＮおよびＳＮ設定結果を送信してよい。
【０１４２】
オプションで、ＳＮ設定結果について、端末は先述の第２のインジケーション情報をＲＲＣ接続再設定完了メッセージに追加して、端末がＳＮのＳＲＢを設定した結果を示してよい。
【０１４３】
ＲＡＮノード１１０はＲＲＣ接続再設定完了メッセージを受信し、ＲＲＣ接続再設定完了メッセージから、端末がＳＮのＳＲＢを設定した結果をパースによって得、以下の段階を実施する。
【０１４４】
Ｓ６７０：ＲＡＮノード１１０がＲＡＮノード１２０へ設定結果を送信する。ＲＡＮノード１１０は、ＳＮ再設定完了（ｒｅｃｏｎｆｉｇｕｒａｔｉｏｎ  ｃｏｍｐｌｅｔｅ）メッセージを用いてＲＡＮノード１２０へ設定結果を送信してよい。
【０１４５】
オプションで、ＲＡＮノード１１０は、コンテナの形態でＲＡＮノード１２０へ設定結果を送信してよい。加えて、オプションで、ＲＡＮノード１１０は設定結果をパースし、設定結果が成功であったときのみ、ＲＡＮノード１２０、つまりＳＮへ端末のためのデータを送信してよく、または端末のためのデータをＳＮへ送信するようコアネットワークに要求してよい。
【０１４６】
このように、ＳＲＢが端末のためにＳＮ上で確立される。
【０１４７】
分かるのは、図５に示す方法が、デュアルコネクティビティの初期設定処理において完了してよいということである。ＳＮのＳＲＢのための設定情報は、追加要求確認メッセージを用いてＭＮへ送信され、ＭＮのＲＲＣ接続再設定メッセージを用いて端末へ送信される。それから、端末は、ＳＮのＳＲＢのための設定情報を用いてＳＮのＳＲＢを設定し、ＲＲＣ接続再設定完了メッセージを用いてＭＮへ設定結果を送信する。ＭＮは、ＳＮ再設定完了メッセージを用いてＳＮへ設定結果を送信する。このように、デュアルコネクティビティの初期設定が完了したとき、同時にＳＲＢがＳＮ上で確立され、それにより、シグナリングを節約し通信効率を向上させる。
【０１４８】
加えて、ＲＲＣ接続再設定完了メッセージは設定結果であってよく、設定が成功したとき端末がＭＮへ送信する。加えて、ＳＮ再設定完了メッセージは設定結果であってよく、設定が成功したときＭＮがＳＮへ送信する。
【０１４９】
図６に示す実施形態において、ＳＮ上のＳＲＢが、デュアルコネクティビティの初期設定処理で設定される。別の実施形態においてＳＮ上のＳＲＢが別に設定されてよい。例えば、ＳＮ上のＤＲＢのみがデュアルコネクティビティの初期設定処理で設定されてよく、ＤＣ処理でＭＮまたはＳＮが、ＳＲＢの設定または確立をトリガする。加えて、ＳＮ上のＳＲＢは、別の設定処理、例えば、ＳＮ変更（ｍｏｄｉｆｉｃａｔｉｏｎ）処理で設定されてよい。図７を参照して説明を以下に提供する。
【０１５０】
図７を参照すると、図７は、本願の実施形態に係る設定方法の概略図である。図７に示すように、方法は以下の段階を含む。
【０１５１】
Ｓ７１０：ＭＮがＳＮへ変更要求（ｍｏｄｉｆｉｃａｔｉｏｎ  ｒｅｑｕｅｓｔ）メッセージを送信する。変更要求メッセージは、ＳＮの設定を変更するよう要求するのに用いられ、例えば、ＳＮ上でいくつかのベアラを確立するよう要求するのに用いられる、または、ＳＣＧベアラ若しくは分割ベアラのＳＣＧ部分を変更するよう要求するのに用いられる、またはＳＣＧセルを追加する、若しくはリリースするよう要求するのに用いられる。本実施形態において、ＳＮは、ＳＲＢのための設定情報を生成し、対応する無線リソースを割り当てるよう要求される。
【０１５２】
オプションで、変更要求メッセージは、先述の実施形態における第１インジケーション情報を保持して、ＳＲＢを確立するよう、またはＳＲＢのための設定情報を生成するようＳＮに指示してよい。
【０１５３】
ＳＮが変更要求メッセージを受信した後、ＳＮは第１インジケーション情報をパースによって得、第１インジケーション情報に基づきＳＣＧ設定を実施する。本実施形態において、ＳＮがＳＣＧ設定を実施する処理において、ＳＮは、ＳＣＧ設定情報を生成し、その生成したＳＣＧ設定情報をＭＮへ送信する。ＳＣＧ設定情報は、ＳＲＢのための設定情報（またはダイレクトＳ−ＲＲＣ設定情報）を保持する。つまり、ＳＮは以下の段階を実施する。
【０１５４】
Ｓ７２０：ＳＮがＳＲＢのための設定情報を生成する。
【０１５５】
Ｓ７３０：ＳＮが、ＳＲＢのための生成された設定情報を変更要求確認（ｍｏｄｉｆｉｃａｔｉｏｎ  ｒｅｑｕｅｓｔ  ａｃｋｎｏｗｌｅｄｇｅ）メッセージに追加し、変更要求確認メッセージをＭＮへ送信する。変更要求確認メッセージは、変更要求メッセージに対する応答メッセージである。
【０１５６】
ＳＮのＳＲＢのための設定情報の形態またはコンテンツは先述の実施形態におけるものと同じであり、詳細はここで改めて記載しない。
【０１５７】
ＭＮは、ＳＮが送信した変更要求確認メッセージを受信し、ステップＳ７４０〜Ｓ７６０を実施する。ステップＳ７４０〜Ｓ７６０は、図６におけるステップＳ６４０〜Ｓ６６０と同様であり、詳細はここで改めて記載しない。
【０１５８】
ステップＳ７６０において、ＭＮはＲＲＣ接続再設定完了メッセージを受信し、ＲＲＣ接続再設定完了メッセージから、端末がＳＮのＳＲＢを設定した結果をパースによって得、以下の段階を実施する。
【０１５９】
Ｓ７７０：ＭＮがＳＮへ設定結果を送信する。ＭＮは、ＳＮ変更確認（ｍｏｄｉｆｉｃａｔｉｏｎ  ｃｏｎｆｉｒｍ）メッセージを用いてＳＮへ設定結果を送信してよい。
【０１６０】
オプションで、ＭＮは、コンテナの形態でＳＮへ設定結果を送信してよい。加えて、オプションで、ＭＮは設定結果をパースし、設定結果が成功であったときのみ、ＳＮへ端末のためのデータを送信してよく、または端末のためのデータをＳＮへ送信するようコアネットワークに要求してよい。
【０１６１】
このように、ＳＲＢが端末のためにＳＮ上で確立される。
【０１６２】
先述のＳＮ変更は、ＭＮがトリガする。オプションで、ＳＮ変更は、ＳＮがトリガしてよい。この場合、先述の実施形態とは異なり、ステップＳ７１０の前に方法はステップＳ７０１をさらに含んでよい：ＳＮがＭＮへ変更必要（ｍｏｄｉｆｉｃａｔｉｏｎ  ｒｅｑｕｉｒｅｄ）メッセージを送信する。変更必要メッセージは、ＳＲＢがＳＮと端末との間で確立されることを可能とするよう、またはＲＲＣメッセージがＳＮと端末との間で伝送されることを可能とするようＭＮに要求するのに用いられる。
【０１６３】
オプションで、変更必要メッセージはインジケーション情報を保持する。インジケーション情報は、ＳＮのＳＲＢのために用いられるセキュリティ情報をＳＮへ送信するようＭＮに指示するのに用いられる。
【０１６４】
セキュリティ情報は以下の実施形態において詳細に説明され、ここでは詳細は記載しない。
【０１６５】
分かるのは、図５に示す方法は、デュアルコネクティビティで、例えば、ＳＮ変更処理で完了してよいということである。ＳＮのＳＲＢのための設定情報は変更要求確認メッセージを用いてＭＮへ送信され、ＭＮのＲＲＣ接続再設定メッセージを用いて端末へ送信される。それから、端末は、ＳＮのＳＲＢのための設定情報を用いてＳＮのＳＲＢを設定し、ＲＲＣ接続再設定完了メッセージを用いてＭＮへ設定結果を送信する。ＭＮは、ＳＮ変更確認メッセージを用いてＳＮへ設定結果を送信する。このように、デュアルコネクティビティのＳＮ変更が完了したとき、同時にＳＲＢがＳＮ上で確立され、それにより、シグナリングを節約し通信効率を向上させる。
【０１６６】
先述の実施形態において、ＭＮはさらに、ＳＮのＳＲＢのために用いられるセキュリティ情報（またはダイレクトＳ−ＲＲＣのためのセキュリティ情報と呼ばれる）をＳＮへ送信してよい。セキュリティ情報は、セキュリティ鍵と、セキュリティアルゴリズムに関する情報とのうち少なくとも１つを含む。セキュリティアルゴリズムは、暗号化アルゴリズムおよび／または完全性保護アルゴリズムを含む。セキュリティアルゴリズムに関する情報は、セキュリティアルゴリズムを示すのに用いられる情報であってよく、例えば、アルゴリズムインジケーション若しくはアルゴリズム識別子であってよく、またはセキュリティアルゴリズムであってよい。このように、ＳＮは、セキュリティ情報を用いてＳＮのＳＲＢのためにセキュリティ処理を実施してよく、例えば、暗号化／復号化または完全性保護／完全性確認を実施してよい。ＭＮは、ＳＮがＳＲＢのための設定情報を生成する前に、つまり、ＭＮがＳＮのＳＲＢのための設定情報を受信する前に、セキュリティ情報をＳＮへ送信してよい。ＳＮがＳＲＢのための設定情報を生成した後、ＳＮは、セキュリティ情報を用いてＳＲＢのための設定情報に対してセキュリティ処理を実施してよく、例えば、完全性保護および／または暗号化を実施してよい。ＳＮ上のＳＲＢがデュアルコネクティビティの初期設定処理で確立される場合、セキュリティ情報は、ステップＳ６１０における追加要求メッセージで保持されてよい。ＳＮ上のＳＲＢがデュアルコネクティビティ処理で確立される場合、セキュリティ情報は、ステップＳ７１０における変更要求メッセージで保持されてよい。
【０１６７】
現在、ＭＣＧ分割ベアラ設定処理において、ＭＮはセキュリティ情報をＳＮへ送信しない。ＭＮはＰＤＣＰ層でＳＮへＰＤＣＰデータパケットをオフロードし、暗号化がＰＤＣＰ層で完了するので、ＳＮは改めてデータを暗号化する必要がない。しかしながら、本実施形態において、ＳＮがＳＲＢのためにセキュリティ処理を実施するよう、ＭＮは任意のシナリオにおいてＳＮへセキュリティ情報を送信してよい。具体的には、ＭＣＧ分割ベアラ設定処理において、つまり、ＭＮがＰＤＣＰ層で端末のためのデータをＳＮへオフロードするとき、ＭＮは、依然としてＳＮへセキュリティ情報を送信する。
【０１６８】
セキュリティ鍵は、ＭＮのアクセス層（ａｃｃｅｓｓ  ｓｔｒａｔｕｍ，ＡＳ）ルート鍵（例えば、ＫｅＮＢ）に基づき導出されてよい。例えば、ＭＮがＬＴＥシステムにおけるＲＡＮノードであるとき、セキュリティ鍵は、ＫｅＮＢに基づき導出されるＳＫｅＮＢであってよい。ＳＮは、ローカルポリシーに従い暗号化／復号化アルゴリズムおよび完全性保護／チェックアルゴリズムを選択する。ＳＮは、選択されたアルゴリズムおよびセキュリティ鍵に基づき、暗号化／復号化のための鍵および完全性保護／チェックのための鍵を導出して、ＳＲＢおよびＤＲＢ上で保持されるシグナリングおよびデータパケットに対する暗号化／復号化および完全性保護／チェックを完了する。ＬＴＥシステムにおいて、最初のＡＳルート鍵はＫｅＮＢである。コアネットワークデバイスは、ルート鍵ＫＡＳＭＥおよび非アクセス層（ｎｏｎ−ａｃｃｅｓｓ  ｓｔｒａｔｕｍ，ＮＡＳ）アップリンクカウント（ＮＡＳ  ｕｐｌｉｎｋ  ｃｏｕｎｔ）に基づきＫｅＮＢを生成し、ＲＡＮノードがＡＳセキュリティ鍵を計算するよう、その生成されたＫｅＮＢをＲＡＮノードへ送信する。ＲＡＮノードは、ＫｅＮＢおよびパラメータＣＯＵＮＴに基づきＳＫｅＮＢを導出し、ＳＫｅＮＢをＳＮへ送信してよい。図８を参照すると、図８は、本願の実施形態に係るパラメータＣＯＵＮＴの概略フォーマット図である。図８に示すように、パラメータＣＯＵＮＴは、上位のハイパーフレーム番号（Ｈｙｐｅｒ  Ｆｒａｍｅ  Ｎｕｍｂｅｒ，ＨＦＮ）および下位のＰＤＣＰシーケンス番号（ＰＤＣＰ  Ｓｅｑｕｅｎｃｅ  Ｎｕｍｂｅｒ，ＰＤＣＰ  ＳＮ）の２つの部分を含む。
【０１６９】
ＡＳルート鍵、およびそのＡＳルート鍵の導出した鍵の表現形態はＬＴＥシステムにおけるものを例として用いて上記にて説明したが、本願においては限定されない。例えば、ＭＮがＬＴＥシステムにおける基地局であるとき、ＡＳルート鍵、およびそのＡＳルート鍵の導出した鍵は、ＫｅＮＢおよびＳＫｅＮＢとして表される。ＭＮが別の規格のシステムにおける基地局であるとき、異なる形態が表現のために用いられてよい。例えば、５Ｇ通信システムにおいて、ＡＳルート鍵、およびそのＡＳルート鍵の導出した鍵は、ＫｇＮＢおよびＳＫｇＮＢ、またはＫｃｕおよびＳＫｃｕとして表されてよい。当然、他の表現形態も用いられてよく、それらはここでは列挙せず、本願はそれら表現形態に限定されない。
【０１７０】
デュアルコネクティビティが端末のために設定された後、サービングセルグループがＭＣＧとＳＣＧとに分割される。ＭＣＧ内のセルはＭＮに属し、ＳＣＧ内のセルはＳＮに属する。キャリアアグリゲーション（Ｃａｒｒｉｅｒ  Ａｇｇｒｅｇａｔｉｏｎ，ＣＡ）がＭＣＧおよび／またはＳＣＧで設定されてよい。ＳＣＧのＣＡにおいて、アップリンクコンポーネントキャリア（Ｃｏｍｐｏｎｅｎｔ  Ｃａｒｒｉｅｒ，ＣＣ）が、プライマリセカンダリセル（Ｐｒｉｍａｒｙ  Ｓｅｃｏｎｄａｒｙ  Ｃｅｌｌ，ＰＳＣｅｌｌ）を含む少なくとも１つのセルのために設定され、物理アップリンク制御チャネル（Ｐｈｙｓｉｃａｌ  Ｕｐｌｉｎｋ  Ｃｏｎｔｒｏｌ  Ｃｈａｎｎｅｌ，ＰＵＣＣＨ）リソースが、ＰＳＣｅｌｌのために設定される。
【０１７１】
現在、ＰＳＣｅｌｌはＳＣＧが変更されたときのみ変更出来、つまり、ＰＳＣｅｌｌの変更には、鍵の変更およびランダムアクセス処理が伴う。しかしながら、ＳＲＢがＳＮ上で確立されたとき、ＳＲＢは端末とＳＮとの間に存在し、独立した測定をＳＮ側で実装出来る。例えば、ＳＮがＲＲＣメッセージを用いて端末に対して測定設定を実施し、端末が対応して測定および報告を実施する。この場合、ＳＮ自体がＰＳＣｅｌｌの変更をトリガしてよく、ＰＳＣｅｌｌの変更には鍵の更新が伴う。
【０１７２】
このことに基づき、ある実施形態において、ＳＮはＭＮへ要求メッセージを送信してよく、それから、ＭＮは更新された鍵をＳＮへおよび端末へ送信してよい。要求メッセージは、更新された鍵をＭＮから要求するのに用いられる。この処理はある特定の遅延を引き起こす。
【０１７３】
ＳＲＢをＳＮ上で確立出来るので、設定を、ＳＮと端末との間で直接実施出来る。このように、高速な設定を実装出来る。さらに、ＳＮ自体が鍵を更新出来る場合、ＳＮ上での設定効率をさらに向上出来る。
【０１７４】
このことに基づき、別の実施形態において、鍵を更新するときにＳＮが鍵グループから鍵を選択するよう、ＭＮはＳＮへ鍵グループ（または鍵リスト（ｋｅｙ  ｌｉｓｔ））を送信してよい。オプションで、鍵グループは、図５におけるステップＳ５０２における要求メッセージ、または図６におけるステップＳ６１０における追加要求メッセージ、または図７におけるステップＳ７１０における変更要求メッセージで保持されてよい。加えて、ＭＮは、ＳＮの指示に基づき鍵グループを送信してよい。例えば、ＳＮはインジケーション情報をＭＮへ送信して、ＳＮへ鍵グループを送信するようＭＮに指示する。インジケーション情報は別に送信されてよく、または別のメッセージで保持されてよい。例えば、図７におけるステップＳ７０１において、ＳＮは、ＭＮへインジケーション情報を送信してよい。当然、ＭＮがＳＮの指示に基づき鍵グループを送信する必要はなくてよく、鍵グループの送信を自発的にトリガしてよい。
【０１７５】
ある実装において、ＭＮは、鍵グループ、およびカウント（ＣＯＵＮＴ）値のグループ、つまり、鍵グループ内の鍵を導出するのに用いられる、カウント値グループ（またはカウント値リストと呼ばれる。ＣＯＵＮＴ  ｌｉｓｔ）をＳＮへ送信する。ＳＮは、鍵グループおよびカウント値グループを受信し、鍵を更新する必要があるとき、鍵グループから新たな鍵、つまり、既存の鍵とは異なる鍵を選択する。それから、端末が同期した鍵更新を完了するよう、ＳＮは、鍵を導出するのに用いられるカウント値を端末へ送信する。
【０１７６】
ＳＮは鍵を順番に、またはランダムに選択してよい。ＳＮが鍵を順番に選択するとき、ＭＮはＳＮへカウント値グループを送信しなくてよく、端末へカウント値グループを送信してよい。ＳＮが鍵を更新するとき、ＳＮは端末へ通知情報を送信して、鍵を更新するよう端末に指示し、端末は、同期した鍵更新のためにカウント値を順番に用いる。代わりに、対応情報が鍵とその鍵を導出するのに用いられるカウント値とに関して設定されて、鍵とカウント値とを対応付けてよい。例えば、鍵とカウント値とに関して同じシーケンス番号が設定される。ＳＮが鍵をランダムに選択するとき、対応して端末が対応するカウント値を同期した鍵更新のために選択するよう、選択された鍵の対応情報が端末へ送信される。
【０１７７】
ここで鍵は、ルート鍵およびカウント値から導出される導出した鍵である。鍵についての説明は先述の実施形態におけるものと同じであり、詳細はここで改めて記載しない。
【０１７８】
加えて、先述の実施形態において、端末がＭＮ  ＲＲＣ設定を実施するが、ＳＮ  ＳＲＢ設定（または、ＲＲＣ設定若しくはダイレクトＳ−ＲＲＣ設定）を実施出来ないとき、端末はＭＮへＳＮ  ＳＲＢ設定失敗情報を送信してよい。加えて、端末はＳＮへＲＲＣ接続再確立要求メッセージを送信してよい。ＲＲＣ接続再確立要求メッセージは、ＭＮへ送信されるＲＲＣ接続再設定完了メッセージで保持されてよい。ＭＮがＲＲＣ接続再設定完了メッセージを受信した後、ＭＮはＳＮへ変更要求メッセージを送信し、ＲＲＣ接続再確立要求メッセージを変更要求メッセージに追加する。
【０１７９】
ＳＮ  ＳＲＢ設定が完了した後、ＳＮは直接端末へＲＲＣ接続再設定メッセージを設定のために送信してよい。端末がＲＲＣ設定を実施出来ないとき、端末は、従来技術に従って端末とＳＮとの間でのＲＲＣ接続再確立処理をトリガするが、その処理は、ＳＮ上で保持されるデータの伝送を中断する。この課題を考慮して、本願の実施形態において、端末はＲＲＣ接続再設定メッセージを受信する前の設定を復元し、つまり、ＲＲＣ接続再設定メッセージを受信する前の設定に基づき動作し、ＲＲＣ接続再確立をトリガせず、直近の設定に失敗した旨をＳＮに通知する。端末は、直近の設定に失敗した旨を直接、またはＭＮを通じてＳＮに通知してよい。
【０１８０】
依然として図４を参照すると、ＳＮと端末との間でＲＲＣメッセージを伝送するようＳＲＢがＳＮ上で確立されたとき、端末とＲＡＮとの間のＲＲＣメッセージは、ＭＮのＲＲＣメッセージ（つまり、Ｍ−ＲＲＣメッセージ）と、ＳＮのＲＲＣメッセージ（つまり、Ｓ−ＲＲＣメッセージ）とを含んでよい。ダウンリンクＳ−ＲＲＣメッセージ（つまり、ＳＮが端末へ送信するＲＲＣメッセージ）は、ダイレクトＳ−ＲＲＣメッセージと埋め込みＳ−ＲＲＣメッセージとを含む。ＳＮとＭＮとの間の交渉に関係しないＲＲＣメッセージ（例えば、ＲＲＣ接続再設定メッセージ）がＳＮにより直接端末へ送信されてよく、または、ＭＮを通じて端末へ送信されてよい。つまり、ダイレクトＳ−ＲＲＣタイプのＲＲＣメッセージが用いられてよく、または、埋め込みＳ−ＲＲＣタイプのＲＲＣメッセージが用いられてよい。用いられる具体的な方式またはメッセージは、ＳＮが決定してよい。
【０１８１】
アップリンクＳ−ＲＲＣメッセージの送信に関しても２つの可能性がある。つまり、アップリンクＳ−ＲＲＣメッセージ（つまり、端末がＳＮへ送信するＲＲＣメッセージ）は、ダイレクトＳ−ＲＲＣメッセージと埋め込みＳ−ＲＲＣメッセージとを含む。端末がダイレクトＳ−ＲＲＣメッセージおよび埋め込みＳ−ＲＲＣメッセージの両方を用いるとき、ネットワーク側の課題が引き起こされ得る。例えば、アップリンクＲＲＣメッセージ伝送の信頼性が低下する。例えば、端末が埋め込みＳ−ＲＲＣメッセージを用いて測定レポートを送信した後、端末は、短時間の間で、ダイレクトＳ−ＲＲＣメッセージを用いて別の測定レポートを送信する。しかしながら、ＭＮの無線インタフェース遅延、およびＭＮとＳＮとの間のインタフェースの遅延が故に、埋め込みＳ−ＲＲＣメッセージを用いて送信される測定レポートは、ダイレクトＳ−ＲＲＣメッセージを用いて送信される測定レポートよりも遅くＳＮに届き得る。結果として、ＳＮは測定結果を用いることが出来ない。
【０１８２】
このことを考慮して、本願の実施形態は以下のＲＲＣメッセージ伝送方法を提供して、アップリンクＲＲＣメッセージ伝送の信頼性を向上させる。
【０１８３】
第１の方法において、アップリンクのパスとダウンリンクのパスとが同じである。この方法は、端末が送信するＳＮのためのアップリンクＲＲＣメッセージがＳＮのダウンリンクＲＲＣメッセージに対する応答メッセージである場合に適用可能である。例えば、ＲＲＣ接続再設定完了メッセージはＲＲＣ接続再設定メッセージに対する応答メッセージである。この場合、端末はダウンリンクＲＲＣメッセージと同じパスでアップリンクＲＲＣメッセージを送信する。
【０１８４】
図９を参照すると、図９は、本願の実施形態に係るＲＲＣ伝送方法の概略図である。図９に示すように、方法は通信システムに適用される。通信システムは、端末に対して共同でサービスを提供するＭＮとＳＮとを含み、方法は以下の段階を含む。
【０１８５】
Ｓ９１０：端末がＳＮのダウンリンクＲＲＣメッセージを受信する。ダウンリンクＲＲＣメッセージはＭＮによりＳＮから受信され端末へ送信される（図内で破線が示すパス）か、またはダウンリンクＲＲＣメッセージはＳＮにより端末へ送信される（図内で実線が示すパス）。
【０１８６】
Ｓ９２０：端末がアップリンクＲＲＣメッセージを送信する。アップリンクＲＲＣメッセージはダウンリンクＲＲＣメッセージに対する応答メッセージであり、端末がアップリンクＲＲＣメッセージを送信するパスは、端末がダウンリンクＲＲＣメッセージを受信するパスと同じである。具体的には、ダウンリンクＲＲＣメッセージがＭＮによりＳＮから受信され端末へ送信されたとき、アップリンクＲＲＣメッセージは端末によりＭＮへ送信されＭＮによりＳＮへ送信される（図内で破線が示すパス）。代わりに、ダウンリンクＲＲＣメッセージをＳＮが端末へ送信するとき、アップリンクＲＲＣメッセージは、端末がＳＮへ送信する（図内で実線が示すパス）。ここで「送信」とは、ＭＮによる転送なしで、直接送信することを意味する。
【０１８７】
分かるのは、端末は、ＳＮのダウンリンクＲＲＣメッセージを受信するパスと一致するパスでアップリンクＲＲＣメッセージを送信するということである。このように、２つのパスでの送信が引き起こすアップリンクＲＲＣメッセージの信頼性が低いことの課題は解決する。
【０１８８】
第２の方法において、ＭＮまたはＳＮがアップリンクＲＲＣ伝送パスを設定する。この方法は、端末がアップリンクＲＲＣメッセージを開始（ｉｎｉｔｉａｔｅ）する場合に適用されてよく、端末が送信するＳＮのためのアップリンクＲＲＣメッセージがＳＮのダウンリンクＲＲＣメッセージに対する応答メッセージである場合に適用されてもよい。
【０１８９】
例えば、ＭＮがアップリンクＲＲＣ伝送パスを設定する。図１０を参照すると、図１０は、本願の実施形態に係る別のＲＲＣ伝送方法の概略図である。図１０に示すように、方法は通信システムに適用される。通信システムは、端末に対して共同でサービスを提供するＭＮとＳＮとを含み、方法は以下の段階を含む。
【０１９０】
Ｓ１０１０：ＭＮが、ＳＮのアップリンクＲＲＣ設定情報を生成する。アップリンクＲＲＣ設定情報は、ＳＮのためのアップリンクＲＲＣメッセージを端末が送信する方式を設定するのに用いられる。
【０１９１】
Ｓ１０２０：端末がアップリンクＲＲＣ設定情報に基づきアップリンクＲＲＣメッセージを送信するよう、ＭＮが端末へアップリンクＲＲＣ設定情報を送信する。
【０１９２】
端末はアップリンクＲＲＣ設定情報を受信し、以下の段階を実施する。
【０１９３】
Ｓ１０３０：端末が、アップリンクＲＲＣ設定情報に基づきＳＮのためのアップリンクＲＲＣメッセージを送信する。
【０１９４】
アップリンクＲＲＣ設定情報は、セカンダリノードのＳＲＢを確立する図５に示す処理で端末へ送信されてよく、または、セカンダリノードのＳＲＢを確立する図５に示す処理の後に、つまり、セカンダリノードのＳＲＢが確立された後に端末へ送信されてよく、または、ＭＮはアップリンクＲＲＣ設定情報をＲＲＣ接続再設定メッセージに追加してよい。
【０１９５】
代わりに、ＳＮがアップリンクＲＲＣ伝送パスを設定してよく、つまり、アップリンクＲＲＣメッセージの送信方式はＳＮが設定してよい。この場合、ステップＳ１０１０は、ＭＮがＳＮのアップリンクＲＲＣ設定情報を取得することであってよい。オプションで、アップリンクＲＲＣ設定情報は、ＳＲＢのための先述の設定情報に含まれてよい。加えて、アップリンクＲＲＣ設定情報の可能な設定は以下のものを含む：
【０１９６】
１．ＳＮが送信したＲＲＣメッセージに対する応答メッセージ（またはリプライメッセージと呼ばれる）が直接ＳＮへ送信される。つまり、端末が直接ＳＮへＳＮのためのアップリンクＲＲＣメッセージを送信する。アップリンクＲＲＣメッセージは、ＳＮのダウンリンクＲＲＣメッセージに対する応答メッセージである。
【０１９７】
２．ＳＮが送信したＲＲＣメッセージに対する応答メッセージ（またはリプライメッセージと呼ばれる）がＭＮを通じてＳＮへ送信される。つまり、端末が直接ＭＮへＳＮのためのアップリンクＲＲＣメッセージを送信し、ＭＮがＳＮへＳＮのためのアップリンクＲＲＣメッセージを送信する。アップリンクＲＲＣメッセージは、ＳＮのダウンリンクＲＲＣメッセージに対する応答メッセージである。この場合、端末はＭＮへ、ＭＮが属する規格のフォーマットのＲＲＣメッセージ、つまりＭ−ＲＲＣメッセージを送信する。Ｍ−ＲＲＣメッセージは、端末がＳＮへ返すＲＲＣメッセージであって、ＳＮが属する規格のフォーマットのＲＲＣメッセージ、つまり、埋め込みＳ−ＲＲＣメッセージを含む。例えば、ＭＮがＬＴＥ  ｅＮＢであり、ＳＮがＮＲ  ｇＮＢである場合、ＳＮがＵＥへＮＲ  ＲＲＣ接続再設定メッセージを送信した後、端末は設定の後にＮＲ  ＲＲＣ接続再設定完了メッセージを生成する。ＮＲ  ＲＲＣ接続再設定完了メッセージは、ＬＴＥ  ＲＲＣメッセージを用いてＭＮへ送信され、それから、ＭＮがＳＮへ送信する。
【０１９８】
３．ＳＮのセルを測定した結果に基づき、端末は、直接、またはＭＮを通じてＳＮへＳＮのためのアップリンクＲＲＣメッセージを送信する。例えば、測定閾値が端末のために設定される。ＳＮのセルを測定することにより端末が取得する測定値が閾値より大きいとき、端末は直接ＳＮへＳＮのためのアップリンクＲＲＣメッセージを送信する。そうでない場合、端末は、ＭＮへ送信されるＲＲＣメッセージにＳＮのためのアップリンクＲＲＣメッセージを追加して、ＭＮへＳＮのためのアップリンクＲＲＣメッセージを送信し、ＭＮがＳＮへＳＮのためのアップリンクＲＲＣメッセージを送信する。
【０１９９】
４．ＳＮのための第１のタイプのアップリンクＲＲＣメッセージは直接ＳＮへ送信され、ＳＮのための第２のタイプのアップリンクＲＲＣメッセージはＭＮを通じてＳＮへ送信されるよう設定されている。ＳＮの第１のタイプおよび第２のタイプのアップリンクＲＲＣメッセージは、１より多くのメッセージタイプを含んでよく、要件に基づき具体的に設定されてよく、ここでは限定されない。
【０２００】
５．アップリンクがダウンリンクに従属するというルールが設定される。ダウンリンクＲＲＣメッセージをＳＮのＳＲＢ上で受信した場合、対応するアップリンクＲＲＣメッセージもＳＮのＳＲＢで送信され、つまり、端末は、ＳＮのダウンリンクＲＲＣメッセージと同じパス上でＳＮのためのアップリンクＲＲＣメッセージを送信する。オプションで、図９に示す実施形態のものと同様、アップリンクＲＲＣメッセージはダウンリンクＲＲＣメッセージに対する応答メッセージである。図９に示す実施形態は、ＭＮによる設定なしで端末とネットワーク側との間の合意を通じて実装されてよく、または、ＭＮによる設定を通じて実装されてよい。
【０２０１】
６．ＳＮのためのアップリンクＲＲＣメッセージはデフォルトでＭＮに影響を与えず、ＳＮのＳＲＢ上で直接送信され、つまり、端末は、直接ＳＮへＳＮのためのアップリンクＲＲＣメッセージを送信する。代わりに、ＳＮのためのアップリンクＲＲＣメッセージはデフォルトでＭＮに影響を与え、ＭＮを通じてＳＮへ送信され、つまり、端末は、ＭＮを通じてＳＮへＳＮのためのアップリンクＲＲＣメッセージを送信する。
【０２０２】
アップリンクであるかダウンリンクであるかとは関係なく、ＭＮがＳＮへＳＮのＲＲＣメッセージを送信するシナリオにおいて、端末が送信したＲＲＣメッセージをＳＮへ伝送するためにトンネルがＭＮとＳＮとの間で確立される。例えば、ＳＣＧ  ＳＲＢがＳＮ追加要求メッセージ内に示されてよく、ＳＮがＭＮへ返す肯定応答メッセージは、ＳＣＧ  ＳＲＢに割り当てられたトンネルエンドポイント識別子（Ｔｕｎｎｅｌ  Ｅｎｄｐｏｉｎｔ  Ｉｄｅｎｔｉｆｉｅｒ，ＴＥＩＤ）を保持する。
【０２０３】
図９または図１０に示す実施形態は、前述の実施形態と組み合わせられて、アップリンクＲＲＣメッセージ伝送の信頼性をさらに向上させてよいことに留意すべきである。
【０２０４】
ＬＴＥがアンカーとして用いられるＬＴＥ−ＮＲデュアルコネクティビティシナリオにおいて、ＳＮが高周波で動作する場合、ビームフォーミング技術が用いられてよい。端末がＳＮ内のビームを測定および報告して、端末のための適切なビームを選択する必要があり得る。現在、端末の測定設定および測定報告の両方がＭＮで実施されている。具体的には、ＭＮは端末について測定設定を実施し、端末は、測定設定に基づき測定を実施し、測定イベントが満たされたときＭＮへ測定レポートを送信する。それゆえ、ＬＴＥ−ＮＲデュアルコネクティビティシナリオにおいて、既存の方式が依然として用いられる場合、ＳＮのセルまたはビーム間での端末の移動をＭＮが制御する必要がある。セルまたはビームを変更することをＭＮが決定したとき、ＭＮは端末に通知し、ＭＮはさらに、ＳＮに通知して、ＳＮ内の端末の移動を実装する必要がある。
【０２０５】
分かるのは、設定処理全体に要する時間は、ＬＴＥ規格のＭＮと端末との間での無線インタフェース伝送の時間と、ＭＮとＳＮとの間のインタフェースインタラクションの時間とを含むということである。設定およびインタラクションがＳＮと端末との間で直接実装される場合と比較して、既存のメカニズムは遅延が長い。高周波の移動のシナリオにおいて、既存のメカニズムは低遅延であることに関する要件を満たせない可能性がある。先述の実施形態において、ＲＲＣメッセージが直接端末とＳＮとの間で伝送されてよく、つまり、ＳＮが端末との通信のためにＳＲＢを確立してよい。この場合、ＭＮは端末のためにＬＴＥ測定のみを設定してよく、ＮＲ測定はＳＮが設定する。ＭＮおよびＳＮの両方が端末のためにＮＲ測定を設定する場合、設定の不一致等の課題が引き起こされ得る。ＭＮは、周辺のＮＲセルに関する情報も知って、切り替えまたはＳＣＧ管理を実装してよい。モビリティ管理の効率をさらに向上させるべく、本願の実施形態において、ＭＮがＳＮへ測定設定情報を送信する。測定設定情報は、端末がＳＮのセルを測定した結果のＳＮによるＭＮへの送信をトリガするための条件を設定するのに用いられる。例えば、測定設定情報は閾値である。ＳＮが受信した測定レポート内の測定結果が閾値以上であるとき、ＭＮがモビリティ管理を実施する、例えば、切り替える決定を行う、またはＳＣＧ管理を実施するよう、ＳＮがＭＮへ測定結果を送信する。
【０２０６】
図１１を参照すると、図１１は、本願の実施形態に係る設定方法の概略図である。図１１に示すように、方法は通信システムに適用される。通信システムは、端末に対して共同でサービスを提供するＭＮとＳＮとを含み、端末によるＭＮのセルの測定はＭＮが設定し、端末によるＳＮのセルの測定はＳＮが設定し、方法は以下の段階を含む。
【０２０７】
Ｓ１１１０：ＭＮがＳＮへ測定設定情報を送信する。測定設定情報は、ＳＮによるＭＮへの測定結果の送信をトリガするための条件を設定するのに用いられる。
【０２０８】
Ｓ１１２０：ＳＮのセルを測定することにより取得され端末が送信した測定レポートをＳＮが受信する。
【０２０９】
Ｓ１１３０：先述の条件を満たす測定結果を測定レポートが含むとき、ＳＮがＭＮへ測定結果を送信する。
【０２１０】
当然、ＳＮは、全ての測定レポート内の全ての測定結果をＭＮへ送信してよく、または、条件を満たす測定結果のみ送信してよい。このことはここでは限定されない。
【０２１１】
測定設定情報は閾値を含んでよい。ＳＮが取得した測定レポート内の測定結果が閾値以上であるとき、ＳＮはＭＮへ測定結果を送信する。つまり、ステップＳ１１１０は、ＭＮがＳＮへ閾値を送信することであってよい。ステップＳ１１３０は、測定レポート内の測定結果が閾値以上であるとき、ＳＮがＭＮへ測定結果を送信することであってよい。オプションで、ＳＮは、全ての測定結果をＭＮへ送信してよく、または一部の測定結果をＭＮへ送信してよい。例えば、閾値以上の測定値がＭＮへ送信される。加えて、ＳＮが送信する情報はさらに、送信された測定結果に対応するセル／ビーム識別子を含んでよい。
【０２１２】
加えて、ＳＮは測定閾値として端末のための閾値も設定してよい。代わりに、ＳＮは端末のために、閾値とは異なる別の測定閾値を設定してよい。つまり、ＳＮは、閾値を参照して端末のための測定イベントを設定してよい。例えば、ＳＮは、測定イベントの閾値として端末のために、ＭＮから取得した閾値を設定してよい。代わりに、ＳＮ自体が、閾値を参照することなく端末のための測定閾値を設定してよい。
【０２１３】
例えば、ＭＮはＬＴＥ  ｅＮＢであり、ＳＮはＮＲ  ｇＮＢである。初期設定が完了した後、ＬＴＥ測定のみがＭＮと端末との間で実装され、ＮＲ測定設定および報告が、ＳＮと端末との間で実施される。ＭＮがＮＲ測定を知ってモビリティ管理（例えば、ＭＮ切り替えまたはＳＮ切り替え）を実装出来るよう、ＭＮはＳＮから、要求される測定結果を取得してよい。例えば、ＭＮはＳＮのために閾値を設定してよい。閾値は、参照信号受信電力（Ｒｅｆｅｒｅｎｃｅ  Ｓｉｇｎａｌ  Ｒｅｃｅｉｖｅｄ  Ｐｏｗｅｒ，ＲＳＲＰ）閾値、参照信号受信品質（Ｒｅｆｅｒｅｎｃｅ  Ｓｉｇｎａｌ  Ｒｅｃｅｉｖｅｄ  Ｑｕａｌｉｔｙ，ＲＳＲＱ）閾値、または同様のものであってよい。閾値は、ＳＮ追加／変更要求メッセージで保持され、ＳＮへ送信されてよい。ＳＮは、端末が報告した測定レポートを受信する。測定レポートは、ＮＲセルおよび／またはビームを測定した結果を含み、例えば、ＮＲセルまたはビームのＲＳＲＰまたはＲＳＲＱ等の測定値を含む。ＮＲセルまたはビームを測定した結果が、ＭＮが設定した閾値を超えるとき、ＳＮはＭＮへ測定情報を送信する。測定情報は、少なくとも１つのＮＲセル／ビームの識別子および測定結果を含む。
【０２１４】
本実施形態は前述の実施形態と組み合わせられて、端末のモビリティ管理の効率をさらに向上させてよいことに留意すべきである。
【０２１５】
図１２を参照すると、図１２は、本願の実施形態に係る装置の概略図である。装置１２００は、通信システムにおけるＳＮに適用される。通信システムは、共同でサービスを端末のために提供するＭＮとＳＮとを含む。図１２に示すように、装置１２００は、先述の方法のうち任意の方法の実施形態においてＳＮが実施するステップを実施するためのユニットまたは手段（ｍｅａｎｓ）を含み、これらステップについての詳細な説明全てがこの装置の実施形態に適用可能である。例えば、装置１２００は、第１の通信ユニット１２１０と第２の通信ユニット１２２０とを含む。第１の通信ユニット１２１０は、ＳＮとＭＮとの間の通信を制御するよう構成され、受信および送信をそれぞれ制御するよう構成された第１の受信ユニットおよび第１の送信ユニットを含んでよい。第１の通信ユニット１２１０は、ＳＮとＭＮとの間でインタフェース（例えば、Ｘｎインタフェースと呼ばれてもよいＸ２インタフェース）を通じてメッセージを受信し送信してよい。第２の通信ユニット１２２０は、ＳＮと端末との間の通信を制御するよう構成され、受信および送信をそれぞれ制御するよう構成された第２の受信ユニットおよび第２の送信ユニットを含んでよい。第２の通信ユニット１２２０は、ＳＮと端末との間でインタフェース（例えば、無線インタフェース）を通じてメッセージを受信および送信してよい。ここでインタフェースは論理的概念であり、対応する論理ユニットが、実装の間に設定されて、対応するインタフェースのプロトコル要件を満たす必要がある。ノード間の物理的な接続は無線接続であってよく、または有線接続であってよい。例えば、ＲＡＮノード（ＭＮまたはＳＮ）および端末のために無線接続方式が用いられてよく、ＳＮおよびＭＮのために有線接続方式が用いられてよい。
【０２１６】
先述の方法の実施形態において、ＳＮがＭＮから受信する全てのメッセージまたは情報が第１の通信ユニット１２１０の制御下で受信されてよく、ＳＮがＭＮへ送信する全てのメッセージまたは情報が第１の通信ユニット１２１０の制御下で送信されてよい。ＳＮが端末から受信する全てのメッセージまたは情報が第２の通信ユニット１２２０の制御下で受信されてよく、ＳＮが端末へ送信する全てのメッセージまたは情報が第２の通信ユニット１２２０の制御下で送信されてよい。
【０２１７】
例えば、先述の装置１２００は設定装置であってよく、ＳＲＢのための設定情報を生成するよう構成された生成ユニット１２３０をさらに含んでよい。ＳＲＢは、ＳＮと端末との間でＲＲＣメッセージを伝送するのに用いられる。第１の通信ユニット１２１０は、ＳＲＢのための設定情報がＭＮを通じて端末へ送信されるようＭＮへＳＲＢのための設定情報を送信するよう構成されている。第１の通信ユニット１２１０は、端末がＭＮを通じてＳＮへ設定結果を送信するとき、ＳＲＢのための設定情報を用いて端末がＳＲＢを設定した結果を受信するよう構成されている。第２の通信ユニット１２２０は、端末が直接ＳＮへ設定結果を送信するとき、ＳＲＢのための設定情報を用いて端末がＳＲＢを設定した結果を受信するよう構成されている。
【０２１８】
生成ユニット１２３０がＳＲＢのための設定情報を生成する場合について、およびＳＲＢのための設定情報の形態およびコンテンツについての説明に関しては先述の実施形態を参照されたく、詳細はここで改めて記載しない。加えて、他の送信される、または受信されるメッセージまたは情報についての詳細に関しては先述の方法の実施形態を参照されたく、詳細はここで改めて記載しない。さらには、送信される、または受信されるメッセージまたは情報のコンテンツまたは形態に関しても先述の方法の実施形態を参照されたい。
【０２１９】
オプションで、第１の通信ユニット１２１０はさらに、ＭＮから、ＳＮのＳＲＢのために用いられるセキュリティ情報を受信するよう構成されている。この場合、装置１２００は、ＳＲＢのための設定情報がＭＮへ送信される前に、セキュリティ情報を用いてＳＮのＳＲＢのための設定情報に対してセキュリティ処理を実施するよう構成されたセキュリティ処理ユニット１２４０をさらに含んでよい。
【０２２０】
オプションで、第１の通信ユニット１２１０はさらに、マスタノードから鍵グループを受信するよう構成される。この場合、装置１２００は、ＳＮが鍵を更新するときに鍵グループから鍵を選択するよう構成された選択ユニット１２５０をさらに含んでよい。
【０２２１】
別の例として、先述の装置１２００は別の設定装置であってよい。第１の通信ユニット１２１０は、ＭＮから測定設定情報を受信するよう構成されている。測定設定情報は、ＳＮによるＭＮへの測定結果の送信をトリガするための条件を設定するのに用いられる。第２の通信ユニット１２２０は、ＳＮのセルを測定することにより端末が取得する測定レポートを端末から受信するよう構成されている。第１の通信ユニット１２１０は、先述の条件を満たす測定結果を測定レポートが含むとき、ＭＮへ測定結果を送信するよう構成されている。
【０２２２】
理解されるべきことは、先述の装置のユニットの分割は論理的機能の分割に過ぎないということである。実際の実装の間、ユニットの全て、またはそれらのうちいくつかがある物理的なエンティティに統合されてよく、または物理的に分け隔てられてよい。さらには、これらユニットは全て、処理素子が呼び出すソフトウェアの形態で実装されてよく、若しくは全てハードウェアが実装してよく、または一部のユニットを、処理素子が呼び出すソフトウェアの形態で実装してよく、一部のユニットをハードウェアが実装してよい。例えば、実装の間、第１の通信ユニット１２１０は別に配置された処理素子であってよく、またはＳＮのあるチップに統合されてよい。代わりに、第１の通信ユニット１２１０はプログラムとしてＳＮのメモリに記憶され、ＳＮの処理素子が呼び出してユニットの機能を実施してよい。他のユニットの実装もこれと同様である。加えて、これらユニットの全て、またはそれらのうちいくつかが統合されてよく、または別々に実装されてよい。ここで処理素子は、信号処理能力を有する集積回路であってよい。実装処理において、先述の方法または先述のユニットのステップは、プロセッサ要素内のハードウェア統合論理回路、またはソフトウェアの形態の指示を用いて完了されてよい。加えて、先述の第１の通信ユニットは通信制御ユニットであり、ＳＮとＭＮとの間の接続媒体、例えば、光ファイバーを通じて、ＭＮが送信した情報を受信してよく、またはＭＮへ情報を送信してよい。先述の第２の通信ユニットは通信制御ユニットであり、ＳＮの受信装置、例えば、アンテナおよび無線周波数装置を通じて、端末が送信した情報を受信してよく、または端末へ情報を送信してよい。
【０２２３】
例えば、先述のユニットは先述の方法を実装するための１または複数の集積回路、例えば、１または複数の特定用途向け集積回路（Ａｐｐｌｉｃａｔｉｏｎ−Ｓｐｅｃｉｆｉｃ  Ｉｎｔｅｇｒａｔｅｄ  Ｃｉｒｃｕｉｔ，ＡＳＩＣ）、または１または複数のマイクロプロセッサ（ｄｉｇｉｔａｌ  ｓｉｇｎａｌ  ｐｒｏｃｅｓｓｏｒ，ＤＳＰ）、または１または複数のフィールドプログラマブルゲートアレイ（Ｆｉｅｌｄ−Ｐｒｏｇｒａｍｍａｂｌｅ  Ｇａｔｅ  Ａｒｒａｙ，ＦＰＧＡ）として構成されてよい。別の例として、処理素子がスケジューリングするプログラムの形態で上記のユニットが実装されるとき、処理素子は汎用プロセッサ、例えば、中央処理装置（Ｃｅｎｔｒａｌ  Ｐｒｏｃｅｓｓｉｎｇ  Ｕｎｉｔ，ＣＰＵ）、またはプログラムを呼び出せる別のプロセッサであってよい。別の例として、これらユニットは統合され、システムオンチップ（ｓｙｓｔｅｍ−ｏｎ−ａ−ｃｈｉｐ，ＳＯＣ）形態で実装されてよい。
【０２２４】
図１３を参照すると、図１３は、本願の実施形態に係る装置の概略図である。装置１３００は、通信システムにおけるＭＮに適用される。通信システムは、共同でサービスを端末のために提供するＭＮとＳＮとを含む。図１３に示すように、装置１３００は、先述の方法のうち任意の方法の実施形態においてＭＮが実施するステップを実施するためのユニットまたは手段（ｍｅａｎｓ）を含み、これらステップについての詳細な説明全てがこの装置の実施形態に適用可能である。装置１３００は、第１の受信ユニット１３１０と、第１の送信ユニット１３２０と、第２の受信ユニット１３３０と、第２の送信ユニット１３４０とを含む。第１の受信ユニット１３１０および第１の送信ユニット１３２０は、ＭＮとＳＮとの間の通信を制御するよう構成された第１の通信ユニットと呼ばれてよく、ＭＮとＳＮとの間のインタフェース（例えば、Ｘｎインタフェースと呼ばれてもよいＸ２インタフェース）を通じてメッセージを受信および送信してよい。第２の受信ユニット１３３０および第２の送信ユニット１３４０は、ＭＮと端末との間の通信を制御するよう構成された第２の通信ユニットと呼ばれてよく、ＭＮと端末との間のインタフェース（例えば、無線インタフェース）を通じてメッセージを受信および送信してよい。ここでインタフェースは論理的概念であり、対応する論理ユニットが、実装の間に設定されて、対応するインタフェースのプロトコル要件を満たす必要がある。ノード間の物理的な接続は無線接続であってよく、または有線接続であってよい。例えば、ＲＡＮノード（ＭＮまたはＳＮ）および端末のために無線接続方式が用いられてよく、ＭＮおよびＳＮのために有線接続方式が用いられてよい。
【０２２５】
先述の方法の実施形態において、ＭＮがＳＮから受信する全てのメッセージまたは情報が第１の受信ユニット１３１０の制御下で受信されてよく、ＭＮがＳＮへ送信する全てのメッセージまたは情報が第１の送信ユニット１３２０の制御下で送信されてよい。ＭＮが端末から受信する全てのメッセージまたは情報が第２の受信ユニット１３３０の制御下で受信されてよく、ＭＮが端末へ送信する全てのメッセージまたは情報が第２の送信ユニット１３４０の制御下で送信されてよい。
【０２２６】
例えば、第１の受信ユニット１３１０は、ＳＮからＳＲＢのための設定情報を受信するよう構成されている。ＳＲＢは、ＳＮと端末との間でＲＲＣメッセージを伝送するのに用いられる。ここで「伝送」とは、ＭＮによる転送なしで、直接伝送することを意味する。第２の送信ユニット１３４０は、ＳＲＢのための設定情報を端末へ送信するよう構成されている。第２の受信ユニット１３３０は、ＳＲＢのための設定情報を用いて端末がＳＲＢを設定した結果を受信するよう構成されている。第１の送信ユニット１３２０は、ＳＮへ設定結果を送信するよう構成されている。他の送信される、または受信されるメッセージまたは情報についての詳細に関しては先述の方法の実施形態を参照されたく、詳細はここで改めて記載しない。さらには、送信される、または受信されるメッセージまたは情報のコンテンツまたは形態に関しても先述の方法の実施形態を参照されたい。
【０２２７】
別の例として、先述の装置はＲＲＣメッセージ伝送装置であり、ＳＮのアップリンクＲＲＣ設定情報を生成するよう構成された生成ユニット１３５０をさらに含み、または、第１の受信ユニット１３１０は、ＳＮからアップリンクＲＲＣ設定情報を受信するよう構成されている。アップリンクＲＲＣ設定情報は、端末がＳＮのためにアップリンクＲＲＣメッセージを送信する方式を設定するのに用いられる。端末がアップリンクＲＲＣ設定情報に基づきアップリンクＲＲＣメッセージを送信するよう、第２の送信ユニット１３４０は、端末へアップリンクＲＲＣ設定情報を送信するよう構成されている。送信方式は先述の実施形態におけるものと同じであり、詳細はここで改めて記載しない。
【０２２８】
別の例として、先述の装置は設定装置である。第１の送信ユニット１３２０は、ＳＮへ測定設定情報を送信するよう構成されている。測定設定情報は、ＳＮによるＭＮへの測定結果の送信をトリガするための条件を設定するのに用いられる。第１の受信ユニット１３１０は、先述の条件を満たす測定結果をＳＮから受信する。測定結果は、ＳＮのセルを測定することにより端末が取得し、ＳＮへ報告される。
【０２２９】
理解されるべきことは、先述の装置のユニットの分割は論理的機能の分割に過ぎないということである。実際の実装の間、ユニットの全て、またはそれらのうちいくつかがある物理的なエンティティに統合されてよく、または物理的に分け隔てられてよい。さらには、これらユニットは全て、処理素子が呼び出すソフトウェアの形態で実装されてよく、若しくは全てハードウェアが実装してよく、または一部のユニットを、処理素子が呼び出すソフトウェアの形態で実装してよく、一部のユニットをハードウェアが実装してよい。例えば、実装の間、第１の受信ユニット１３１０は別に配置された処理素子であってよく、またはＭＮのあるチップに統合されてよい。代わりに、第１の受信ユニット１３１０はプログラムとしてＭＮのメモリに記憶され、ＭＮの処理素子が呼び出してユニットの機能を実施してよい。他のユニットの実装もこれと同様である。加えて、これらユニットの全て、またはそれらのうちいくつかが統合されてよく、または別々に実装されてよい。ここで処理素子は、信号処理能力を有する集積回路であってよい。実装処理において、先述の方法または先述のユニットのステップは、プロセッサ要素内のハードウェア統合論理回路、またはソフトウェアの形態の指示を用いて完了されてよい。加えて、先述の第１の受信ユニットは受信制御ユニットであり、端末が送信した情報を、ＭＮの受信装置、例えば、アンテナおよび無線周波数装置を通じて受信してよい。先述の第１の送信ユニットは送信制御ユニットであり、情報を、ＭＮの伝送装置、例えば、アンテナおよび無線周波数装置を通じて端末へ送信してよい。先述の第２の受信ユニットは受信制御ユニットであり、ＳＮが送信した情報を、ＭＮとＳＮとの間の接続媒体、例えば、光ファイバーを通じて受信してよい。先述の第２の送信ユニットは送信制御ユニットであり、情報を、ＭＮとＳＮとの間の接続媒体、例えば、光ファイバーを通じてＳＮへ送信してよい。
【０２３０】
例えば、先述のユニットは先述の方法を実装するための１または複数の集積回路、例えば、１または複数の特定用途向け集積回路（Ａｐｐｌｉｃａｔｉｏｎ−Ｓｐｅｃｉｆｉｃ  Ｉｎｔｅｇｒａｔｅｄ  Ｃｉｒｃｕｉｔ，ＡＳＩＣ）、または１または複数のマイクロプロセッサ（ｄｉｇｉｔａｌ  ｓｉｇｎａｌ  ｐｒｏｃｅｓｓｏｒ，ＤＳＰ）、または１または複数のフィールドプログラマブルゲートアレイ（Ｆｉｅｌｄ−Ｐｒｏｇｒａｍｍａｂｌｅ  Ｇａｔｅ  Ａｒｒａｙ，ＦＰＧＡ）として構成されてよい。別の例として、処理素子がスケジューリングするプログラムの形態で上記のユニットが実装されるとき、処理素子は汎用プロセッサ、例えば、中央処理装置（Ｃｅｎｔｒａｌ  Ｐｒｏｃｅｓｓｉｎｇ  Ｕｎｉｔ，ＣＰＵ）、またはプログラムを呼び出せる別のプロセッサであってよい。別の例として、これらユニットは統合され、システムオンチップ（ｓｙｓｔｅｍ−ｏｎ−ａ−ｃｈｉｐ，ＳＯＣ）形態で実装されてよい。
【０２３１】
図１４を参照すると、図１４は、本願の実施形態に係る装置の概略図である。装置１４００は、通信システムにおける端末に適用される。通信システムは、共同でサービスを端末のために提供するＭＮとＳＮとを含む。図１４に示すように、装置１４００は、先述の方法のうち任意の方法の実施形態において端末が実施するステップを実施するためのユニットまたは手段（ｍｅａｎｓ）を含み、これらステップについての詳細な説明全てがこの装置の実施形態に適用可能である。装置は、受信ユニット１４１０と送信ユニット１４２０とを含む。受信ユニット１４１０および送信ユニット１４２０は、ＲＡＮノード（例えば、ＭＮまたはＳＮ）との通信を制御するよう構成され、端末とＲＡＮノードとの間のインタフェース（例えば、無線インタフェース）を通じてメッセージを受信および送信してよい。ここでインタフェースは論理的概念であり、対応する論理ユニットが、実装の間に設定されて、対応するインタフェースのプロトコル要件を満たす必要がある。ノード間の物理的な接続は無線接続であってよい。
【０２３２】
先述の方法の実施形態において、端末がＭＮまたはＳＮから受信する全てのメッセージまたは情報が受信ユニット１４１０の制御下で受信されてよく、端末がＭＮまたはＳＮへ送信する全てのメッセージまたは情報が送信ユニット１４２０の制御下で送信されてよい。
【０２３３】
例えば、先述の装置１４００は設定装置であり、設定ユニット１４３０をさらに含む。受信ユニット１４１０は、ＭＮからＳＮのＳＲＢのための設定情報を受信するよう構成されている。ＳＲＢは、ＳＮと端末との間でＲＲＣメッセージを伝送するのに用いられる。ここで「伝送」とは、ＭＮによる転送なしで、直接伝送することを意味する。設定ユニット１４３０は、ＳＲＢのための設定情報を用いてＳＲＢを設定するよう構成されている。送信ユニット１４２０は、ＳＲＢを設定した結果を送信するよう構成されている。他の送信される、または受信されるメッセージまたは情報についての詳細に関しては先述の方法の実施形態を参照されたく、詳細はここで改めて記載しない。さらには、送信される、または受信されるメッセージまたは情報のコンテンツまたは形態に関しても先述の方法の実施形態を参照されたい。
【０２３４】
加えて、設定ユニット１４３０はさらに、他のＲＲＣ設定を実施するよう構成されてよい。例えば、ＳＲＢ設定が完了した後、受信ユニット１４１０はＳＮからＲＲＣ接続再設定メッセージを受信してよい。この場合、設定ユニット１４３０は、ＲＲＣ接続再設定メッセージに対応する再設定を実施してよい。さらには、再設定が失敗したとき、設定ユニット１４３０は、ＲＲＣ接続再設定メッセージを受信する前の設定を復元してよい。
【０２３５】
別の例として、先述の装置はＲＲＣメッセージ伝送装置である。受信ユニット１４１０は、ＳＮのダウンリンクＲＲＣメッセージを受信するよう構成されている。ダウンリンクＲＲＣメッセージはＭＮによりＳＮから受信され端末へ送信され、またはダウンリンクＲＲＣメッセージは、ＳＮにより端末へ送信される。送信ユニット１４２０は、アップリンクＲＲＣメッセージを送信するよう構成されている。アップリンクＲＲＣメッセージはダウンリンクＲＲＣメッセージに対する応答メッセージであり、送信ユニット１４２０がアップリンクＲＲＣメッセージを送信するパスは、受信ユニット１４１０がダウンリンクＲＲＣメッセージを受信するパスと同じである。つまり、ダウンリンクＲＲＣメッセージがＭＮによりＳＮから受信され端末へ送信されたとき、アップリンクＲＲＣメッセージは、端末によりＭＮへ送信されＭＮによりＳＮへ送信される。代わりに、ダウンリンクＲＲＣメッセージをＳＮが端末へ送信するとき、アップリンクＲＲＣメッセージは、端末がＳＮへ送信する。
【０２３６】
別の例として、先述の装置はＲＲＣメッセージ伝送装置である。受信ユニット１４１０は、ＳＮのアップリンクＲＲＣ設定情報をＭＮから受信するよう構成されている。アップリンクＲＲＣ設定情報は、ＳＮのためのアップリンクＲＲＣメッセージを端末が送信する方式を設定するのに用いられる。送信ユニット１４２０は、アップリンクＲＲＣ設定情報に基づきＳＮのためにアップリンクＲＲＣメッセージを送信するよう構成されている。送信方式は先述の実施形態におけるものと同じであり、詳細はここで改めて記載しない。
【０２３７】
理解されるべきことは、先述の装置のユニットの分割は論理的機能の分割に過ぎないということである。実際の実装の間、ユニットの全て、またはそれらのうちいくつかがある物理的なエンティティに統合されてよく、または物理的に分け隔てられてよい。さらには、これらユニットは全て、処理素子が呼び出すソフトウェアの形態で実装されてよく、若しくは全てハードウェアが実装してよく、または一部のユニットを、処理素子が呼び出すソフトウェアの形態で実装してよく、一部のユニットをハードウェアが実装してよい。例えば、実装の間、受信ユニット１４１０は別に配置された処理素子であってよく、または端末のあるチップに統合されてよい。代わりに、受信ユニット１４１０はプログラムとして端末のメモリに記憶され、端末の処理素子が呼び出してユニットの機能を実施してよい。他のユニットの実装もこれと同様である。加えて、これらユニットの全て、またはそれらのうちいくつかが統合されてよく、または別々に実装されてよい。ここで処理素子は、信号処理能力を有する集積回路であってよい。実装処理において、先述の方法または先述のユニットのステップは、プロセッサ要素内のハードウェア統合論理回路、またはソフトウェアの形態の指示を用いて完了されてよい。加えて、受信ユニットは受信制御ユニットであり、ＭＮまたはＳＮが送信した情報を、端末の受信装置、例えば、アンテナおよび無線周波数装置を通じて受信してよい。送信ユニットは送信制御ユニットであり、情報を、端末の伝送装置、例えば、アンテナおよび無線周波数装置を通じてＭＮまたはＳＮへ送信してよい。
【０２３８】
例えば、先述のユニットは先述の方法を実装するための１または複数の集積回路、例えば、１または複数の特定用途向け集積回路（Ａｐｐｌｉｃａｔｉｏｎ−Ｓｐｅｃｉｆｉｃ  Ｉｎｔｅｇｒａｔｅｄ  Ｃｉｒｃｕｉｔ，ＡＳＩＣ）、または１または複数のマイクロプロセッサ（ｄｉｇｉｔａｌ  ｓｉｇｎａｌ  ｐｒｏｃｅｓｓｏｒ，ＤＳＰ）、または１または複数のフィールドプログラマブルゲートアレイ（Ｆｉｅｌｄ−Ｐｒｏｇｒａｍｍａｂｌｅ  Ｇａｔｅ  Ａｒｒａｙ，ＦＰＧＡ）として構成されてよい。別の例として、処理素子がスケジューリングするプログラムの形態で上記のユニットが実装されるとき、処理素子は汎用プロセッサ、例えば、中央処理装置（Ｃｅｎｔｒａｌ  Ｐｒｏｃｅｓｓｉｎｇ  Ｕｎｉｔ，ＣＰＵ）、またはプログラムを呼び出せる別のプロセッサであってよい。別の例として、これらユニットは統合され、システムオンチップ（ｓｙｓｔｅｍ−ｏｎ−ａ−ｃｈｉｐ，ＳＯＣ）形態で実装されてよい。
【０２３９】
図１５を参照すると、図１５は、本願の実施形態に係るＲＡＮノードの概略構造図である。ＲＡＮノードは、先述の実施形態におけるＳＮまたはＭＮのオペレーションを実装するよう構成された先述の実施形態におけるＳＮまたはＭＮであってよい。図１５に示すように、ＲＡＮノードは、アンテナ１５１０と、無線周波数装置１５２０と、ベースバンド装置１５３０とを含む。アンテナ１５１０は無線周波数装置１５２０に接続される。アップリンク方向において、無線周波数装置１５２０は、アンテナ１５１０を通じて、端末が送信した情報を受信し、端末が送信した情報をベースバンド装置１５３０へ処理のために送信する。ダウンリンク方向において、ベースバンド装置１５３０は端末の情報を処理し、端末の情報を無線周波数装置１５２０へ送信し、無線周波数装置１５２０は、端末の情報を処理し、それから、端末の情報をアンテナ１５１０を通じて端末へ送信する。ＲＡＮノード間、例えばＭＮとＳＮとの間の通信は、伝送媒体を通じて実施されてよい。伝送媒体は有線媒体、例えば、光ファイバーであってよく、または無線媒体であってよい。
【０２４０】
ＳＮまたはＭＮに適用される先述の設定装置は、ベースバンド装置１５３０内に位置してよい。ある実装において、図１２または図１３に示すユニットは、処理素子がスケジューリングするプログラムの形態で実装される。例えば、ベースバンド装置１５３０は、処理素子１５３１と記憶素子１５３２とを含む。処理素子１５３１は記憶素子１５３２に記憶されているプログラムを呼び出して、先述の方法の実施形態においてＳＮまたはＭＮが実施する方法を実施する。加えて、ベースバンド装置１５３０は、無線周波数装置１５２０と情報を交換するよう構成されたインタフェース１５３３をさらに含んでよい。インタフェースは、例えば、コモンパブリック無線インタフェース（ｃｏｍｍｏｎ  ｐｕｂｌｉｃ  ｒａｄｉｏ  ｉｎｔｅｒｆａｃｅ，ＣＰＲＩ）である。
【０２４１】
別の実装例において、図１２または図１３に示すユニットは、ＳＮまたはＭＮが実施する方法を実装するための１または複数の処理素子として構成されてよい。これら処理素子は、ベースバンド装置１５３０上に配置される。ここで処理素子は、集積回路、例えば、１または複数のＡＳＩＣ、または１または複数のＤＳＰ、または１または複数のＦＰＧＡであってよい。これら集積回路は、統合されてチップを形成してよい。
【０２４２】
例えば、図１２または図１３に示すユニットは統合され、システムオンチップ（ｓｙｓｔｅｍ−ｏｎ−ａ−ｃｈｉｐ，ＳＯＣ）形態で実装されてよい。例えば、ベースバンド装置１５３０は、先述の方法を実装するよう構成されたＳｏＣチップを含む。チップは処理素子１５３１および記憶素子１５３２と統合されてよく、処理素子１５３１は記憶素子１５３２に記憶されているプログラムを呼び出して、ＳＮまたはＭＮが実施する先述の方法、または図１２または図１３に示すユニットの機能を実装する。代わりに、チップは少なくとも１つの集積回路と統合されて、ＳＮまたはＭＮが実施する方法、または図１２または図１３に示すユニットの機能を実装してよい。代わりに、先述の実施例は組み合わせられてよい。一部のユニットの機能は、プログラムを呼び出すことにより処理素子が実装し、一部のユニットの機能は集積回路が実装する。
【０２４３】
用いられる方式とは関係なく、ＳＮまたはＭＮに適用される先述の設定装置は、少なくとも１つの処理素子と記憶素子とを含む。少なくとも１つの処理素子は、ＳＮまたはＭＮが実施する、先述の方法の実施形態において提供される方法を実施するよう構成される。処理素子は、先述の方法の実施形態においてＳＮまたはＭＮが実施する一部の、または全てのステップを第１の方式で、つまり記憶素子に記憶されているプログラムを走らせることにより実施してよく、または、先述の方法の実施形態においてＳＮまたはＭＮが実施する一部の、または全てのステップを第２の方式で、つまりプロセッサ要素内のハードウェア統合論理回路および指示を用いて実施してよく、または当然、先述の方法の実施形態においてＳＮまたはＭＮが実施する方法を、第１の方式と第２の方式とを組み合わせることにより実施してよい。
【０２４４】
ここで処理素子は先述の説明におけるものと同じであり、汎用プロセッサ、例えば、中央処理装置（Ｃｅｎｔｒａｌ  Ｐｒｏｃｅｓｓｉｎｇ  Ｕｎｉｔ，ＣＰＵ）であってよく、または、先述の方法を実装するための１または複数の集積回路、例えば、１または複数の特定用途向け集積回路（Ａｐｐｌｉｃａｔｉｏｎ−Ｓｐｅｃｉｆｉｃ  Ｉｎｔｅｇｒａｔｅｄ  Ｃｉｒｃｕｉｔ，ＡＳＩＣ）、または１または複数のマイクロプロセッサ（ｄｉｇｉｔａｌ  ｓｉｇｎａｌ  ｐｒｏｃｅｓｓｏｒ，ＤＳＰ）、または１または複数のフィールドプログラマブルゲートアレイ（Ｆｉｅｌｄ−Ｐｒｏｇｒａｍｍａｂｌｅ  Ｇａｔｅ  Ａｒｒａｙ，ＦＰＧＡ）として構成されてよい。
【０２４５】
記憶素子はメモリであってよく、または複数の記憶素子の総称であってよい。
【０２４６】
図１６を参照すると、図１６は、本願の実施形態に係る端末の概略構造図である。端末は、先述の実施形態における端末のオペレーションを実装するよう構成された先述の実施形態における端末であってよい。図１６に示すように、端末は、処理素子１６１０と、記憶素子１６２０と、送受信素子１６３０とを含む。送受信素子１６３０はアンテナに接続されてよい。ダウンリンク方向において、送受信素子１６３０は、基地局が送信した情報をアンテナを通じて受信し、その情報を処理素子１６１０へ処理のために送信する。アップリンク方向において、処理素子１６１０は端末のデータを処理し、送受信素子１６３０を通じて端末のデータを基地局へ送信する。
【０２４７】
記憶素子１６２０は、先述の方法の実施形態を実装するためのプログラムを格納するよう構成されている。処理素子１６１０はプログラムを呼び出して、先述の方法の実施形態におけるオペレーションを実施する。
【０２４８】
別の実装例において、図１４に示すユニットは、先述の端末が実施する方法を実装するための１または複数の処理素子として構成されてよい。これら処理素子は端末の回路基板上に配置される。ここで処理素子は、集積回路、例えば、１または複数のＡＳＩＣ、または１または複数のＤＳＰ、または１または複数のＦＰＧＡであってよい。これら集積回路は、統合されてチップを形成してよい。
【０２４９】
例えば、図１４に示すユニットは統合され、システムオンチップ（ｓｙｓｔｅｍ−ｏｎ−ａ−ｃｈｉｐ，ＳＯＣ）形態で実装されてよい。例えば、端末は、先述の方法を実装するよう構成されたＳｏＣチップを含む。チップは処理素子１６１０および記憶素子１６２０と統合されてよく、処理素子１６１０は記憶素子１６２０に記憶されているプログラムを呼び出して、先述の方法、または図１４に示すユニットの機能を実装する。代わりに、チップは少なくとも１つの集積回路と統合されて、先述の方法、または図１４に示すユニットの機能を実装してよい。代わりに、先述の実施例は組み合わせられてよい。一部のユニットの機能は、プログラムを呼び出すことにより処理素子が実装し、一部のユニットの機能は集積回路が実装する。
【０２５０】
用いられる方式とは関係なく、先述の設定装置は、少なくとも１つの処理素子と記憶素子とを含む。少なくとも１つの処理素子は、先述の方法の実施形態において提供される方法を実施するよう構成される。処理素子は、先述の方法の実施形態における一部の、または全てのステップを第１の方式で、つまり記憶素子に記憶されているプログラムを走らせることにより実施してよく、または、先述の方法の実施形態における一部の、または全てのステップを第２の方式で、つまりプロセッサ要素内のハードウェア統合論理回路および指示を用いて実施してよく、または当然、先述の方法の実施形態において提供される方法を、第１の方式と第２の方式とを組み合わせることにより実施してよい。
【０２５１】
ここで処理素子は先述の説明におけるものと同じであり、汎用処理素子、例えば、中央処理装置（Ｃｅｎｔｒａｌ  Ｐｒｏｃｅｓｓｉｎｇ  Ｕｎｉｔ，ＣＰＵ）であってよく、または、先述の方法を実装するための１または複数の集積回路、例えば、１または複数の特定用途向け集積回路（Ａｐｐｌｉｃａｔｉｏｎ−Ｓｐｅｃｉｆｉｃ  Ｉｎｔｅｇｒａｔｅｄ  Ｃｉｒｃｕｉｔ，ＡＳＩＣ）、または１または複数のマイクロプロセッサ（ｄｉｇｉｔａｌ  ｓｉｇｎａｌ  ｐｒｏｃｅｓｓｏｒ，ＤＳＰ）、または１または複数のフィールドプログラマブルゲートアレイ（Ｆｉｅｌｄ−Ｐｒｏｇｒａｍｍａｂｌｅ  Ｇａｔｅ  Ａｒｒａｙ，ＦＰＧＡ）として構成されてよい。
【０２５２】
記憶素子はメモリであってよく、または複数の記憶素子の総称であってよい。
【０２５３】
方法の実施形態のステップの全てまたは一部は、関連するハードウェアに対してプログラムが指示することによって実装されてよいことが当業者には理解されよう。そのプログラムはコンピュータ可読記憶媒体に記憶されてよい。プログラムが走らされたとき、方法の実施形態のステップが実施される。記憶媒体は、ＲＯＭ、ＲＡＭ、磁気ディスク、または光ディスク等の、プログラムコードを格納出来る様々な媒体を含む。
［項目１］
通信システムに適用される設定方法であって、上記通信システムは、端末に対して共同でサービスを提供するマスタノードとセカンダリノードとを含み、
上記セカンダリノードが、シグナリング無線ベアラＳＲＢのための設定情報を生成する段階であって、上記ＳＲＢは、上記セカンダリノードと上記端末との間で無線リソース制御ＲＲＣメッセージを伝送するのに用いられる、段階と、
上記セカンダリノードが、上記ＳＲＢのための上記設定情報を上記マスタノードへ送信する段階であって、上記ＳＲＢのための上記設定情報は上記マスタノードを通じて上記端末へ送信される、段階と、
上記ＳＲＢのための上記設定情報を用いて上記端末が上記ＳＲＢを設定した結果を上記セカンダリノードが受信する段階と
を備える、設定方法。
［項目２］
上記セカンダリノードが上記マスタノードからインジケーション情報を受信する段階であって、上記インジケーション情報は、上記ＳＲＢを確立するよう上記セカンダリノードに指示するのに用いられる、または、上記ＳＲＢのための上記設定情報を生成するよう上記セカンダリノードに指示するのに用いられる、段階をさらに備え、
上記セカンダリノードがＳＲＢのための設定情報を生成する上記段階は、上記セカンダリノードが、上記インジケーション情報に基づき上記ＳＲＢのための上記設定情報を生成する段階を有する、項目１に記載の方法。
［項目３］
上記セカンダリノードがＳＲＢのための設定情報を生成する上記段階は、上記セカンダリノードが上記マスタノードから追加要求メッセージを受信したときに上記セカンダリノードが上記ＳＲＢのための上記設定情報を生成する段階であって、上記追加要求メッセージは、セカンダリノードを追加するよう要求するのに用いられる、段階を有する、項目１に記載の方法。
［項目４］
上記セカンダリノードが、上記ＳＲＢの設定または確立をトリガする、項目１または３に記載の方法。
［項目５］
上記ＳＲＢのための上記設定情報は、ＳＲＢ識別子、上記ＳＲＢの無線リンク制御ＲＬＣレイヤ設定、論理チャネル設定、およびＳＲＢセキュリティパラメータのうち少なくとも１つの情報を含む、項目１から４のいずれか一項に記載の方法。
［項目６］
上記セカンダリノードがＳＲＢのための設定情報を生成する上記段階の前に、上記セカンダリノードが上記マスタノードから上記セカンダリノードの上記ＳＲＢのために用いられるセキュリティ情報を受信する段階であって、上記セキュリティ情報は、セキュリティ鍵、およびセキュリティアルゴリズムに関する情報のうち少なくとも１つを含む、段階をさらに備える、項目１から５のいずれか一項に記載の方法。
［項目７］
上記セカンダリノードが上記マスタノードから鍵グループを受信する段階であって、上記鍵グループは複数の鍵を含む、段階と、
鍵を更新するとき、上記セカンダリノードが上記鍵グループから鍵を選択する段階と
をさらに備える、項目１から６のいずれか一項に記載の方法。
［項目８］
上記鍵グループ内の上記鍵を導出するのに用いられるカウント値グループを上記セカンダリノードが上記マスタノードから受信する段階と、
上記鍵を更新するとき、上記カウント値グループ内のカウント値であって選択された上記鍵を導出するのに用いられるカウント値を上記セカンダリノードが上記端末へ送信する段階と
をさらに備える、項目７に記載の方法。
［項目９］
上記セカンダリノードが上記マスタノードから測定設定情報を受信する段階であって、上記測定設定情報は、上記セカンダリノードによる上記マスタノードへの測定結果の送信をトリガするための条件を設定するのに用いられる、段階と、
上記条件を満たす測定結果を上記セカンダリノードが上記マスタノードへ送信する段階と
をさらに備える、項目１から８のいずれか一項に記載の方法。
［項目１０］
上記セカンダリノードが上記マスタノードへ上記ＳＲＢのための上記設定情報を送信する上記段階は、上記セカンダリノードが上記マスタノードへＲＲＣコンテナとして上記ＳＲＢのための上記設定情報を送信する段階を有する、項目１から９のいずれか一項に記載の方法。
［項目１１］
上記コンテナは、上記セカンダリノードが上記マスタノードへ送信する肯定応答メッセージ内に保持され、上記肯定応答メッセージは、セカンダリノードを追加するよう要求するのに用いられる上記要求メッセージに対する応答メッセージである、項目１０に記載の方法。
［項目１２］
上記セカンダリノードが上記端末へＲＲＣ接続再設定メッセージを送信する段階と、
上記ＲＲＣ接続再設定メッセージの設定が失敗したとき、上記セカンダリノードが上記マスタノードから設定失敗通知を受信する段階と
をさらに備える、項目１から１１のいずれか一項に記載の方法。
［項目１３］
通信システムにおけるセカンダリノードに適用される設定装置であって、上記通信システムは、端末に対して共同でサービスを提供するマスタノードと上記セカンダリノードとを含み、上記装置は、第１の通信ユニットと第２の通信ユニットとを備え、上記第１の通信ユニットは、上記セカンダリノードと上記マスタノードとの間の通信を制御するよう構成され、上記第２の通信ユニットは、上記セカンダリノードと上記端末との間の通信を制御するよう構成され、
上記装置は、シグナリング無線ベアラＳＲＢのための設定情報を生成するよう構成された生成ユニットであって、上記ＳＲＢは、上記セカンダリノードと上記端末との間で無線リソース制御ＲＲＣメッセージを伝送するのに用いられる、生成ユニットをさらに備え、
上記第１の通信ユニットは、上記ＳＲＢのための上記設定情報を上記マスタノードへ送信するよう構成され、上記ＳＲＢのための上記設定情報は上記マスタノードを通じて上記端末へ送信され、
上記第１の通信ユニットまたは上記第２の通信ユニットは、上記ＳＲＢのための上記設定情報を用いて上記端末が上記ＳＲＢを設定した結果を受信するよう構成されている、設定装置。
［項目１４］
上記第１の通信ユニットはさらに、上記マスタノードからインジケーション情報を受信するよう構成されており、上記インジケーション情報は、上記ＳＲＢを確立するよう上記セカンダリノードに指示するのに用いられ、または、上記ＳＲＢのための上記設定情報を生成するよう上記セカンダリノードに指示するのに用いられ、
上記生成ユニットは、上記インジケーション情報に基づき上記ＳＲＢのための上記設定情報を生成するよう構成されている、項目１３に記載の装置。
［項目１５］
上記第１の通信ユニットはさらに、上記マスタノードから追加要求メッセージを受信するよう構成されており、上記追加要求メッセージは、セカンダリノードを追加するよう要求するのに用いられ、
上記生成ユニットは、上記第１の通信ユニットが上記追加要求メッセージを受信したときに上記ＳＲＢのための上記設定情報を生成するよう構成されている、項目１３に記載の装置。
［項目１６］
上記ＳＲＢの設定または確立をトリガするよう構成されたユニットをさらに備える、項目１３または１５に記載の方法。
［項目１７］
上記ＳＲＢのための上記設定情報は、ＳＲＢ識別子、上記ＳＲＢの無線リンク制御ＲＬＣレイヤ設定、論理チャネル設定、およびＳＲＢセキュリティパラメータのうち少なくとも１つの情報を含む、項目１３から１６のいずれか一項に記載の装置。
［項目１８］
上記第１の通信ユニットはさらに、上記生成ユニットが上記ＳＲＢのための上記設定情報を生成する前に、上記マスタノードから上記セカンダリノードの上記ＳＲＢのために用いられるセキュリティ情報を受信するよう構成されており、上記セキュリティ情報は、セキュリティ鍵、およびセキュリティアルゴリズムに関する情報のうち少なくとも１つを含む、項目１３から１７のいずれか一項に記載の装置。
［項目１９］
上記第１の通信ユニットはさらに、上記マスタノードから鍵グループを受信するよう構成されており、上記鍵グループは複数の鍵を含み、
上記装置は、上記セカンダリノードが鍵を更新するとき上記鍵グループから鍵を選択するよう構成された選択ユニットをさらに備える、項目１３から１８のいずれか一項に記載の装置。
［項目２０］
上記第１の通信ユニットはさらに、上記鍵グループ内の上記鍵を導出するのに用いられるカウント値グループを上記マスタノードから受信するよう構成されており、
上記第２の通信ユニットはさらに、上記セカンダリノードが鍵を更新するとき、上記カウント値グループ内のカウント値であって選択された上記鍵を導出するのに用いられるカウント値を上記端末へ送信するよう構成されている、項目１９に記載の装置。
［項目２１］
上記第１の通信ユニットはさらに、上記マスタノードから測定設定情報を受信するよう構成されており、上記測定設定情報は、上記セカンダリノードによる上記マスタノードへの測定結果の送信をトリガするための条件を設定するのに用いられ、
上記第１の通信ユニットはさらに、上記条件を満たす測定結果を上記マスタノードへ送信するよう構成されている、項目１３から２０のいずれか一項に記載の装置。
［項目２２］
上記第１の通信ユニットは、ＲＲＣコンテナとして上記マスタノードへ上記ＳＲＢのための上記設定情報を送信する、項目１３から２１のいずれか一項に記載の装置。
［項目２３］
上記コンテナは、上記第１の通信ユニットが上記マスタノードへ送信する肯定応答メッセージ内に保持され、上記肯定応答メッセージは、セカンダリノードを追加するよう要求するのに用いられる上記要求メッセージに対する応答メッセージである、項目２２に記載の装置。
［項目２４］
上記第２の通信ユニットはさらに、上記端末へＲＲＣ接続再設定メッセージを送信するよう構成されており、
上記第１の通信ユニットはさらに、上記ＲＲＣ接続再設定メッセージの設定が失敗したとき、上記マスタノードから設定失敗通知を受信するよう構成されている、項目１３から２３のいずれか一項に記載の方法。
［項目２５］
通信システムに適用される設定方法であって、上記通信システムは、端末に対して共同でサービスを提供するマスタノードとセカンダリノードとを含み、
上記端末が上記マスタノードから上記セカンダリノードのシグナリング無線ベアラＳＲＢのための設定情報を受信する段階であって、上記ＳＲＢは、上記セカンダリノードと上記端末との間で無線リソース制御ＲＲＣメッセージを伝送するのに用いられる、段階と、
上記端末が、上記ＳＲＢのための上記設定情報を用いて上記ＳＲＢを設定し、上記ＳＲＢを設定した結果を送信する段階と
を備える、設定方法。
［項目２６］
上記端末が、上記ＳＲＢを設定した結果を送信する上記段階は、
上記端末が直接上記セカンダリノードへ上記設定結果を送信する段階、または
上記端末が上記マスタノードを通じて上記セカンダリノードへ上記設定結果を送信する段階を
有する、項目２５に記載の方法。
［項目２７］
上記ＳＲＢのための上記設定情報は、ＳＲＢ識別子、上記ＳＲＢの無線リンク制御ＲＬＣレイヤ設定、論理チャネル設定、およびＳＲＢセキュリティパラメータのうち少なくとも１つの情報を含む、項目２５または２６に記載の方法。
［項目２８］
上記端末が上記セカンダリノードからカウント値を受信し、上記カウント値に基づき鍵を更新する段階をさらに備える、項目２５から２７のいずれか一項に記載の方法。
［項目２９］
上記端末が上記セカンダリノードからＲＲＣ接続再設定メッセージを受信する段階と、
上記端末が上記ＲＲＣ接続再設定メッセージに対応する再設定の実施に失敗したとき、上記ＲＲＣ接続再設定メッセージの受信前の設定に基づき上記端末が動作する段階と
をさらに備える、項目２５から２８のいずれか一項に記載の方法。
［項目３０］
上記端末はＲＲＣ接続再確立をトリガしない、項目２９に記載の方法。
［項目３１］
上記端末が上記マスタノードへ設定失敗通知を送信する段階をさらに備える、項目２９または３０に記載の方法。
［項目３２］
上記端末が、上記セカンダリノードのダウンリンクＲＲＣメッセージを受信する段階であって、上記ダウンリンクＲＲＣメッセージは、上記マスタノードにより上記セカンダリノードから受信され上記端末へ送信され、または、上記ダウンリンクＲＲＣメッセージは、上記セカンダリノードにより上記端末へ送信される、段階と、
上記端末がアップリンクＲＲＣメッセージを送信する段階であって、上記アップリンクＲＲＣメッセージは上記ダウンリンクＲＲＣメッセージに対する応答メッセージであり、上記端末が上記アップリンクＲＲＣメッセージを送信するパスは、上記端末が上記ダウンリンクＲＲＣメッセージを受信するパスと同じである、段階と
をさらに備える、項目２５から３１のいずれか一項に記載の方法。
［項目３３］
上記端末が上記マスタノードから上記セカンダリノードのアップリンクＲＲＣ設定情報を受信する段階であって、上記アップリンクＲＲＣ設定情報は、上記セカンダリノードのためのアップリンクＲＲＣメッセージを上記端末が送信する方式を設定するのに用いられる、段階と、
上記端末が、上記アップリンクＲＲＣ設定情報に基づき上記セカンダリノードのための上記アップリンクＲＲＣメッセージを送信する段階と
をさらに備える、項目２５から３１のいずれか一項に記載の方法。
［項目３４］
上記送信方式は、
上記端末が上記セカンダリノードへ上記セカンダリノードのための上記アップリンクＲＲＣメッセージを送信すること、または、
上記端末が上記マスタノードを通じて上記セカンダリノードへ上記セカンダリノードのための上記アップリンクＲＲＣメッセージを送信すること、または、
上記端末が上記セカンダリノードへ上記セカンダリノードのための上記アップリンクＲＲＣメッセージを送信することであって、上記アップリンクＲＲＣメッセージは、上記セカンダリノードのダウンリンクＲＲＣメッセージに対する応答メッセージである、こと、または、
上記端末が上記マスタノードを通じて上記セカンダリノードへ上記セカンダリノードのための上記アップリンクＲＲＣメッセージを送信することであって、上記アップリンクＲＲＣメッセージは、上記セカンダリノードのダウンリンクＲＲＣメッセージに対する応答メッセージである、こと、または、
上記端末が直接、または上記マスタノードを通じて上記セカンダリノードへ上記セカンダリノードのための上記アップリンクＲＲＣメッセージを、上記セカンダリノードのセルを測定した結果に基づき送信すること、または、
上記端末が、上記セカンダリノードのダウンリンクＲＲＣメッセージと同じパスで上記セカンダリノードのための上記アップリンクＲＲＣメッセージを送信すること
を含む、項目３３に記載の方法。
［項目３５］
通信システムにおける端末に適用される設定装置であって、上記通信システムは、上記端末に対して共同でサービスを提供するマスタノードとセカンダリノードとを含み、
上記マスタノードから上記セカンダリノードのシグナリング無線ベアラＳＲＢのための設定情報を受信するよう構成された受信ユニットであって、上記ＳＲＢは、上記セカンダリノードと上記端末との間で無線リソース制御ＲＲＣメッセージを伝送するのに用いられる、受信ユニットと、
上記ＳＲＢのための上記設定情報を用いて上記ＳＲＢを設定するよう構成された設定ユニットと、
上記ＳＲＢを設定した結果を送信するよう構成された送信ユニットと
を備える、設定装置。
［項目３６］
上記送信ユニットは、直接上記セカンダリノードへ上記設定結果を送信する、または、上記マスタノードを通じて上記セカンダリノードへ上記設定結果を送信するよう構成されている、項目３５に記載の装置。
［項目３７］
上記ＳＲＢのための上記設定情報は、ＳＲＢ識別子、上記ＳＲＢの無線リンク制御ＲＬＣレイヤ設定、論理チャネル設定、およびＳＲＢセキュリティパラメータのうち少なくとも１つの情報を含む、項目３５または３６に記載の装置。
［項目３８］
上記受信ユニットはさらに、上記セカンダリノードからカウント値を受信し、上記カウント値に基づき鍵を更新するよう構成されている、項目３５から３７のいずれか一項に記載の装置。
［項目３９］
上記受信ユニットはさらに、上記セカンダリノードからＲＲＣ接続再設定メッセージを受信するよう構成されており、
上記設定ユニットはさらに、上記ＲＲＣ接続再設定メッセージに対応する再設定を実施し、再設定が失敗したとき、上記ＲＲＣ接続再設定メッセージの受信前の設定に基づき動作するよう構成されている、項目３５から３８のいずれか一項に記載の装置。
［項目４０］
上記設定ユニットはＲＲＣ接続再確立をトリガしない、項目３９に記載の装置。
［項目４１］
上記送信ユニットはさらに、上記マスタノードへ設定失敗通知を送信するよう構成されている、項目３９または４０に記載の装置。
［項目４２］
上記受信ユニットはさらに、上記セカンダリノードのダウンリンクＲＲＣメッセージを受信するよう構成されており、上記ダウンリンクＲＲＣメッセージは、上記マスタノードにより上記セカンダリノードから受信され上記端末へ送信され、または、上記ダウンリンクＲＲＣメッセージは、上記セカンダリノードにより上記端末へ送信され、
上記送信ユニットはさらに、アップリンクＲＲＣメッセージを送信するよう構成されており、上記アップリンクＲＲＣメッセージは上記ダウンリンクＲＲＣメッセージに対する応答メッセージであり、上記送信ユニットが上記アップリンクＲＲＣメッセージを送信するパスは、上記受信ユニットが上記ダウンリンクＲＲＣメッセージを受信するパスと同じである、項目３２から４１のいずれか一項に記載の装置。
［項目４３］
上記受信ユニットはさらに、上記マスタノードから上記セカンダリノードのアップリンクＲＲＣ設定情報を受信するよう構成されており、上記アップリンクＲＲＣ設定情報は、上記セカンダリノードのためのアップリンクＲＲＣメッセージを上記端末が送信する方式を設定するのに用いられ、
上記送信ユニットはさらに、上記アップリンクＲＲＣ設定情報に基づき上記セカンダリノードのための上記アップリンクＲＲＣメッセージを送信するよう構成されている、項目３２から４１のいずれか一項に記載の装置。
［項目４４］
上記送信方式は、
上記セカンダリノードへ上記セカンダリノードのための上記アップリンクＲＲＣメッセージを送信すること、または、
上記マスタノードを通じて上記セカンダリノードへ上記セカンダリノードのための上記アップリンクＲＲＣメッセージを送信すること、または、
上記セカンダリノードへ上記セカンダリノードのための上記アップリンクＲＲＣメッセージを送信することであって、上記アップリンクＲＲＣメッセージは、上記セカンダリノードのダウンリンクＲＲＣメッセージに対する応答メッセージである、こと、または、
上記マスタノードを通じて上記セカンダリノードへ上記セカンダリノードのための上記アップリンクＲＲＣメッセージを送信することであって、上記アップリンクＲＲＣメッセージは、上記セカンダリノードのダウンリンクＲＲＣメッセージに対する応答メッセージである、こと、または、
直接、または上記マスタノードを通じて上記セカンダリノードへ上記セカンダリノードのための上記アップリンクＲＲＣメッセージを、上記端末が上記セカンダリノードのセルを測定した結果に基づき送信すること、または、
上記セカンダリノードのダウンリンクＲＲＣメッセージと同じパスで上記セカンダリノードのための上記アップリンクＲＲＣメッセージを送信すること
を含む、項目４３に記載の装置。
［項目４５］
通信システムに適用される設定方法であって、上記通信システムは、端末に対して共同でサービスを提供するマスタノードとセカンダリノードとを含み、
上記マスタノードが上記セカンダリノードからシグナリング無線ベアラＳＲＢのための設定情報を受信する段階であって、上記ＳＲＢは、上記セカンダリノードと上記端末との間で無線リソース制御ＲＲＣメッセージを伝送するのに用いられる、段階と、
上記マスタノードが上記端末へ上記ＳＲＢのための上記設定情報を送信する段階と、
上記ＳＲＢのための上記設定情報を用いて上記端末が上記ＳＲＢを設定した結果を上記マスタノードが受信する段階と、
上記マスタノードが上記セカンダリノードへ上記設定結果を送信する段階と
を備える、設定方法。
［項目４６］
上記マスタノードが、上記セカンダリノードのＳＲＢのための設定情報を受信する上記段階の前に、
上記マスタノードが上記セカンダリノードへインジケーション情報を送信する段階であって、上記インジケーション情報は、上記ＳＲＢを確立するよう上記セカンダリノードに指示するのに用いられる、または、上記ＳＲＢのための上記設定情報を生成するよう上記セカンダリノードに指示するのに用いられる、段階、または、
上記マスタノードが上記セカンダリノードへ追加要求メッセージを送信する段階であって、上記追加要求メッセージは、セカンダリノードを追加するよう要求するのに用いられ、上記セカンダリノードの上記ＳＲＢのための上記設定情報は、上記セカンダリノードが追加されるよう要求されるとき上記セカンダリノードが生成する、段階
をさらに備える、項目４５に記載の方法。
［項目４７］
上記ＳＲＢのための上記設定情報は、ＳＲＢ識別子、上記ＳＲＢの無線リンク制御ＲＬＣレイヤ設定、論理チャネル設定、およびＳＲＢセキュリティパラメータのうち少なくとも１つの情報を含む、項目４５または４６に記載の方法。
［項目４８］
上記マスタノードが上記セカンダリノードのＳＲＢのための設定情報を受信する上記段階の前に、上記マスタノードが、上記セカンダリノードの上記ＳＲＢのために用いられるセキュリティ情報を上記セカンダリノードへ送信する段階であって、上記セキュリティ情報は、セキュリティ鍵、およびセキュリティアルゴリズムに関する情報のうち少なくとも１つを含む、段階をさらに備える、項目４５から４７のいずれか一項に記載の方法。
［項目４９］
上記マスタノードが上記セカンダリノードへ鍵グループを送信する段階であって、鍵を更新するとき上記セカンダリノードが上記鍵グループから鍵を選択するよう上記鍵グループは複数の鍵を含む、段階をさらに備える、項目４５から４８のいずれか一項に記載の方法。
［項目５０］
上記マスタノードが、上記鍵グループ内の上記鍵を導出するのに用いられるカウント値グループを上記セカンダリノードへ送信する段階をさらに備える、項目４９に記載の方法。
［項目５１］
上記マスタノードが上記端末へ上記セカンダリノードのアップリンクＲＲＣ設定情報を送信する段階であって、上記アップリンクＲＲＣ設定情報は、上記端末が上記セカンダリノードのアップリンクＲＲＣメッセージを送信する方式を設定するのに用いられる、段階をさらに備える、項目４５から５０のいずれか一項に記載の方法。
［項目５２］
上記送信方式は、
上記端末が上記セカンダリノードへ上記セカンダリノードのための上記アップリンクＲＲＣメッセージを送信すること、または、
上記端末が上記マスタノードを通じて上記セカンダリノードへ上記セカンダリノードのための上記アップリンクＲＲＣメッセージを送信すること、または、
上記端末が上記セカンダリノードへ上記セカンダリノードのための上記アップリンクＲＲＣメッセージを送信することであって、上記アップリンクＲＲＣメッセージは、上記セカンダリノードのダウンリンクＲＲＣメッセージに対する応答メッセージである、こと、または、
上記端末が上記マスタノードを通じて上記セカンダリノードへ上記セカンダリノードのための上記アップリンクＲＲＣメッセージを送信することであって、上記アップリンクＲＲＣメッセージは、上記セカンダリノードのダウンリンクＲＲＣメッセージに対する応答メッセージである、こと、または、
上記端末が直接、または上記マスタノードを通じて上記セカンダリノードへ上記セカンダリノードのための上記アップリンクＲＲＣメッセージを、上記セカンダリノードのセルを測定した結果に基づき送信すること、または、
上記端末が、上記セカンダリノードのダウンリンクＲＲＣメッセージと同じパスで上記セカンダリノードのための上記アップリンクＲＲＣメッセージを送信すること
を含む、項目５１に記載の方法。
［項目５３］
上記セカンダリノードへ測定設定情報を送信する段階であって、上記測定設定情報は、上記セカンダリノードによる上記マスタノードへの測定結果の送信をトリガするための条件を設定するのに用いられる、段階と、
上記条件を満たす測定結果を上記セカンダリノードから受信する段階と
をさらに備える、項目４５から５２のいずれか一項に記載の方法。
［項目５４］
上記ＳＲＢのための上記設定情報はＲＲＣコンテナであり、上記マスタノードが上記端末へ上記ＳＲＢのための上記設定情報を送信する上記段階は、上記マスタノードが上記端末へ上記ＲＲＣコンテナをパースすることなく上記ＲＲＣコンテナを転送する段階を有する、項目４５から５３のいずれか一項に記載の方法。
［項目５５］
上記セカンダリノードが送信したＲＲＣ接続再設定メッセージの設定の実施に上記端末が失敗したとき、上記マスタノードが上記端末から設定失敗通知を受信する段階と、
上記設定が失敗したことを上記マスタノードが上記セカンダリノードに通知する段階と
をさらに備える、項目４５から５４のいずれか一項に記載の方法。
［項目５６］
通信システムにおけるマスタノードに適用される設定装置であって、上記通信システムは、端末に対して共同でサービスを提供する上記マスタノードとセカンダリノードとを含み、
上記セカンダリノードからシグナリング無線ベアラＳＲＢのための設定情報を受信するよう構成された第１の受信ユニットであって、上記ＳＲＢは、上記セカンダリノードと上記端末との間で無線リソース制御ＲＲＣメッセージを伝送するのに用いられる、第１の受信ユニットと、
上記端末へ上記ＳＲＢのための上記設定情報を送信するよう構成された第２の送信ユニットと、
上記ＳＲＢのための上記設定情報を用いて上記端末が上記ＳＲＢを設定した結果を受信するよう構成された第２の受信ユニットと、
さらに、上記セカンダリノードへ上記設定結果を送信するよう構成された第１の送信ユニットと
を備える、設定装置。
［項目５７］
上記第１の送信ユニットはさらに、上記第１の受信ユニットが上記セカンダリノードの上記ＳＲＢのための上記設定情報を受信する前に、
上記セカンダリノードへインジケーション情報を送信することであって、上記インジケーション情報は、上記ＳＲＢを確立するよう上記セカンダリノードに指示するのに用いられる、または、上記ＳＲＢのための上記設定情報を生成するよう上記セカンダリノードに指示するのに用いられる、こと、または、
上記セカンダリノードへ追加要求メッセージを送信することであって、上記追加要求メッセージは、セカンダリノードを追加するよう要求するのに用いられ、上記セカンダリノードの上記ＳＲＢのための上記設定情報は、上記セカンダリノードが追加されるよう要求されるとき上記セカンダリノードが生成する、こと
を行うよう構成されている、項目５６に記載の装置。
［項目５８］
上記ＳＲＢのための上記設定情報は、ＳＲＢ識別子、上記ＳＲＢの無線リンク制御ＲＬＣレイヤ設定、論理チャネル設定、およびＳＲＢセキュリティパラメータのうち少なくとも１つの情報を含む、項目５６または５７に記載の装置。
［項目５９］
上記第１の送信ユニットはさらに、上記第１の受信ユニットが上記セカンダリノードの上記ＳＲＢのための上記設定情報を受信する前に、上記セカンダリノードへ上記セカンダリノードの上記ＳＲＢのために用いられるセキュリティ情報を送信するよう構成されており、上記セキュリティ情報は、セキュリティ鍵、およびセキュリティアルゴリズムに関する情報のうち少なくとも１つを含む、項目５６から５８のいずれか一項に記載の装置。
［項目６０］
上記第１の送信ユニットはさらに、上記セカンダリノードへ鍵グループを送信するよう構成されており、鍵を更新するとき上記セカンダリノードが上記鍵グループから鍵を選択するよう上記鍵グループは複数の鍵を含む、項目５６から５９のいずれか一項に記載の装置。
［項目６１］
上記第１の送信ユニットはさらに、上記鍵グループ内の上記鍵を導出するのに用いられるカウント値グループを上記セカンダリノードへ送信するよう構成されている、項目６０に記載の装置。
［項目６２］
上記第２の送信ユニットはさらに、上記セカンダリノードのアップリンクＲＲＣ設定情報を上記端末へ送信するよう構成されており、上記アップリンクＲＲＣ設定情報は、上記端末が上記セカンダリノードのアップリンクＲＲＣメッセージを送信する方式を設定するのに用いられる、項目５６から６１のいずれか一項に記載の装置。
［項目６３］
上記送信方式は、
上記端末が上記セカンダリノードへ上記セカンダリノードの上記アップリンクＲＲＣメッセージを送信すること、または、
上記端末が上記マスタノードを用いて上記セカンダリノードへ上記セカンダリノードの上記アップリンクＲＲＣメッセージを送信すること、または、
上記端末が上記セカンダリノードへ上記セカンダリノードの上記アップリンクＲＲＣメッセージを送信することであって、上記アップリンクＲＲＣメッセージは、上記セカンダリノードのダウンリンクＲＲＣメッセージに対する応答メッセージである、こと、または、
上記端末が上記マスタノードを用いて上記セカンダリノードへ上記セカンダリノードの上記アップリンクＲＲＣメッセージを送信することであって、上記アップリンクＲＲＣメッセージは、上記セカンダリノードのダウンリンクＲＲＣメッセージに対する応答メッセージである、こと、または、
上記端末が直接、または上記マスタノードを用いて上記セカンダリノードへ上記セカンダリノードの上記アップリンクＲＲＣメッセージを、上記セカンダリノードのセルを測定した結果に基づき送信すること、または、
上記端末が、上記セカンダリノードのダウンリンクＲＲＣメッセージと同じパスで上記セカンダリノードの上記アップリンクＲＲＣメッセージを送信すること
を含む、項目６２に記載の装置。
［項目６４］
上記第１の送信ユニットはさらに、上記セカンダリノードへ測定設定情報を送信するよう構成されており、上記測定設定情報は、上記セカンダリノードによる上記マスタノードへの測定結果の送信をトリガするための条件を設定するのに用いられ、
上記第１の送信ユニットはさらに、上記条件を満たす測定結果を上記セカンダリノードから受信するよう構成されている、項目５６から６３のいずれか一項に記載の装置。
［項目６５］
上記ＳＲＢのための上記設定情報はＲＲＣコンテナであり、上記第２の送信ユニットは、上記ＲＲＣコンテナをパースすることなく上記端末へ上記ＲＲＣコンテナを転送する、項目５６から６４のいずれか一項に記載の装置。
［項目６６］
上記セカンダリノードが送信したＲＲＣ接続再設定メッセージの設定の実施に上記端末が失敗したとき、
上記第２の受信ユニットはさらに、上記端末から設定失敗通知を受信するよう構成されており、
上記第１の送信ユニットは、上記設定が失敗したことを上記セカンダリノードに通知するよう構成されている、項目５６から６５のいずれか一項に記載の装置。
［項目６７］
少なくとも１つの処理素子と少なくとも１つの記憶素子とを備える設定装置であって、上記少なくとも１つの記憶素子は、プログラムとデータとを格納するよう構成されており、上記少なくとも１つの処理素子は、項目１から１２のいずれか一項に記載の方法を実施するよう構成されている、設定装置。
［項目６８］
少なくとも１つの処理素子と少なくとも１つの記憶素子とを備える設定装置であって、上記少なくとも１つの記憶素子は、プログラムとデータとを格納するよう構成されており、上記少なくとも１つの処理素子は、項目２５から３４のいずれか一項に記載の方法を実施するよう構成されている、設定装置。
［項目６９］
少なくとも１つの処理素子と少なくとも１つの記憶素子とを備える設定装置であって、上記少なくとも１つの記憶素子は、プログラムとデータとを格納するよう構成されており、上記少なくとも１つの処理素子は、項目４５から５５のいずれか一項に記載の方法を実施するよう構成されている、設定装置。
［項目７０］
項目３５から４４のいずれか一項に記載の装置を備える、または項目６８に記載の装置を備える端末。
［項目７１］
プロセッサが走らせたとき、項目１から１２のいずれか一項に記載の方法を実施するのに用いられるコンピュータプログラム。
［項目７２］
プロセッサが走らせたとき、項目２５から３４のいずれか一項に記載の方法を実施するのに用いられるコンピュータプログラム。
［項目７３］
プロセッサが走らせたとき、項目４５から５５のいずれか一項に記載の方法を実施するのに用いられるコンピュータプログラム。
［項目７４］
項目７１から７３のいずれか一項に記載のプログラムを備えるコンピュータ可読記憶媒体。
［項目７５］
通信システムに適用される無線リソース制御ＲＲＣメッセージ伝送方法であって、上記通信システムは、端末に対して共同でサービスを提供するマスタノードとセカンダリノードとを含み、
上記端末が、上記セカンダリノードのダウンリンクＲＲＣメッセージを受信する段階であって、上記ダウンリンクＲＲＣメッセージは、上記マスタノードにより上記セカンダリノードから受信され上記端末へ送信され、または上記ダウンリンクＲＲＣメッセージは、上記セカンダリノードにより上記端末へ送信される、段階と、
上記端末がアップリンクＲＲＣメッセージを送信する段階であって、上記アップリンクＲＲＣメッセージは、上記ダウンリンクＲＲＣメッセージに対する応答メッセージであり、上記端末が上記アップリンクＲＲＣメッセージを送信するパスは、上記端末が上記ダウンリンクＲＲＣメッセージを受信するパスと同じである、段階と
を備える、無線リソース制御ＲＲＣメッセージ伝送方法。
［項目７６］
セカンダリノードのダウンリンクＲＲＣメッセージを受信するよう構成された受信ユニットであって、上記ダウンリンクＲＲＣメッセージは、マスタノードにより上記セカンダリノードから受信され端末へ送信され、または、上記ダウンリンクＲＲＣメッセージは、上記セカンダリノードにより端末へ送信される、受信ユニットと、
アップリンクＲＲＣメッセージを送信するよう構成された送信ユニットであって、上記アップリンクＲＲＣメッセージは上記ダウンリンクＲＲＣメッセージに対する応答メッセージであり、上記端末が上記アップリンクＲＲＣメッセージを送信するパスは、上記端末が上記ダウンリンクＲＲＣメッセージを受信するパスと同じである、送信ユニットと
を備える、無線リソース制御ＲＲＣメッセージ伝送装置。
［項目７７］
少なくとも１つの処理素子と少なくとも１つの記憶素子とを備える無線リソース制御ＲＲＣメッセージ伝送装置であって、上記少なくとも１つの記憶素子は、プログラムとデータとを格納するよう構成されており、上記少なくとも１つの処理素子は、項目７５に記載の方法を実施するよう構成されている、無線リソース制御ＲＲＣメッセージ伝送装置。
［項目７８］
項目７６または７７に記載の装置を備える端末。
［項目７９］
プロセッサが走らせたとき、項目７５に記載の方法を実施するのに用いられるコンピュータプログラム。
［項目８０］
項目７９に記載のプログラムを備えるコンピュータ可読記憶媒体。
【図１】
0006950140.tif 000002
【図２（ａ）】
0006950140.tif 000003
【図２（ｂ）】
0006950140.tif 000004
【図２（ｃ）】
0006950140.tif 000005
【図３ａ】
0006950140.tif 000006
【図３ｂ】
0006950140.tif 000007
【図４】
0006950140.tif 000008
【図５】
0006950140.tif 000009
【図６】
0006950140.tif 000010
【図７】
0006950140.tif 000011
【図８】
0006950140.tif 000012
【図９】
0006950140.tif 000013
【図１０】
0006950140.tif 000014
【図１１】
0006950140.tif 000015
【図１２】
0006950140.tif 000016
【図１３】
0006950140.tif 000017
【図１４】
0006950140.tif 000018
【図１５】
0006950140.tif 000019
【図１６】
0006950140.tif 000020